(57)【特許請求の範囲】
【請求項１】
無線通信システムにおけるユーザー装置（ＵＥ：Ｕｓｅｒ  Ｅｑｕｉｐｍｅｎｔ）により、Ｖ２Ｘ（Ｖｅｈｉｃｌｅ−ｔｏ−Ｅｖｅｒｙｔｈｉｎｇ）通信を行う方法であって、
前記ＵＥの上位層から、Ｖ２Ｘサービス識別子によって識別されたＶ２ＸサービスのＶ２Ｘメッセージの送信要求を受信する段階と、
前記ＵＥがＶ２Ｘ通信の為にＥ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）によってサービスされるか否かに応じて、前記ＰＣ５を通じてＶ２Ｘ通信の為の無線資源を要求するか又は選択する段階と、
前記ＰＣ５を通じて前記Ｖ２Ｘ通信の送信を実行する為に、前記Ｖ２Ｘメッセージを前記ＵＥの下位層に伝達する段階と、を含んでなり、
前記送信要求は、前記Ｖ２Ｘメッセージ、及び、前記Ｖ２Ｘメッセージの為に前記Ｖ２Ｘサービスの前記Ｖ２Ｘサービス識別子を含んでなり、
Ｖ２Ｘサービス識別子と関連する送信パラメータに基づいて、前記送信パラメータは前記Ｖ２Ｘメッセージと共にＡＳ（Access Stream）層に伝達され、
前記送信パラメータは、ＱＡＭの変調及びコーディング方式（ＭＣＳ：Ｍｏｄｕｌａｔｉｏｎ  ａｎｄ  Ｃｏｄｉｎｇ  Ｓｃｈｅｍｅ）レベルを選択する為の情報を含み、
前記Ｖ２Ｘサービス識別子に関連した前記送信パラメータに基づいて、前記ＭＣＳレベルは前記ＵＥのＭＡＣ（Medium Access Control）層により選択される、Ｖ２Ｘ通信の実行方法。
【請求項２】
前記Ｖ２Ｘサービスの前記Ｖ２Ｘメッセージは前記送信パラメータに関連したＱＡＭと共に送信される、請求項１に記載のＶ２Ｘ通信の実行方法。
【請求項３】
前記ＵＥの前記上位層は、前記送信パラメータと関連した設定（ｃｏｎｆｉｇｕｒａｔｉｏｎ）を備える、請求項１に記載のＶ２Ｘ通信の実行方法。
【請求項４】
前記選択されたＭＣＳレベルの情報は、サイドリンク制御情報（ＳＣＩ：Ｓｉｄｅｌｉｎｋ  Ｃｏｎｔｒｏｌ  Ｉｎｆｏｒｍａｔｉｏｎ）に含まれ、かつ、送信される、請求項１に記載のＶ２Ｘ通信の実行方法。
【請求項５】
前記送信要求は、前記Ｖ２Ｘサービス識別子と共にマップされたキャリア周波数情報を更に含んでなる、請求項１に記載のＶ２Ｘ通信の実行方法。
【請求項６】
前記ＵＥが使用しようとするキャリア周波数を選択し、及び
前記上位層に前記選択されたキャリア周波数を伝達することを更に含んでなる、請求項５に記載のＶ２Ｘ通信の実行方法。
【請求項７】
前記Ｖ２Ｘメッセージは前記キャリア周波数に送信される、請求項６に記載のＶ２Ｘ通信の実行方法。
【請求項８】
前記Ｖ２Ｘサービス識別子と共にマップされた前記キャリア周波数情報は、前記キャリア周波数情報が各々のキャリア周波数に対して特に使用されるべき必要があるか否かを報告する情報を含んでなる、請求項５に記載のＶ２Ｘ通信の実行方法。
【請求項９】
無線通信システムにおけるＶ２Ｘ（Ｖｅｈｉｃｌｅ−ｔｏ−Ｅｖｅｒｙｔｈｉｎｇ）通信を行うユーザー装置（ＵＥ：Ｕｓｅｒ  Ｅｑｕｉｐｍｅｎｔ）であって、
送受信機（ｔｒａｎｓｃｅｉｖｅｒ）と、
少なくとも一つのプロセッサと、及び
少なくとも一つのコンピュータメモリと、を備えてなり、
前記少なくとも一つのコンピュータメモリは、前記少なくとも一つのプロセッサと動作可能に連結可能とされてなり、かつ、前記少なくとも一つのプロセッサが駆動する際に、動作を実行する指示を格納するものであり、
前記動作が、
前記送受信機を介して、前記ＵＥの上位層から、Ｖ２Ｘサービス識別子によって識別されたＶ２ＸサービスのＶ２Ｘメッセージの送信要求を受信する段階と、
前記ＵＥがＶ２Ｘ通信の為にＥ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）によってサービスされるか否かに応じて、前記ＰＣ５を通じてＶ２Ｘ通信のための無線資源を要求するか又は選択する段階と、
前記送受信機を介して、前記ＰＣ５を通じて前記Ｖ２Ｘ通信の送信を実行する為に、前記Ｖ２Ｘメッセージを前記ＵＥの下位層に伝達する段階と、を含んでなり、
前記送信要求は、前記Ｖ２Ｘメッセージ、及び、前記Ｖ２Ｘメッセージの為に前記Ｖ２Ｘサービスの前記Ｖ２Ｘサービス識別子を含んでなり、
Ｖ２Ｘサービス識別子と関連する送信パラメータに基づいて、前記送信パラメータは前記Ｖ２Ｘメッセージと共にＡＳ（Access Stream）層に伝達され、
前記送信パラメータは、ＱＡＭの変調及びコーディング方式（ＭＣＳ：Ｍｏｄｕｌａｔｉｏｎ  ａｎｄ  Ｃｏｄｉｎｇ  Ｓｃｈｅｍｅ）レベルを選択する為の情報を含み、
前記Ｖ２Ｘサービス識別子に関連した前記送信パラメータに基づいて、前記ＭＣＳレベルは前記ＵＥのＭＡＣ（Medium Access Control）層により選択される、ユーザー装置。
【請求項１０】
前記Ｖ２Ｘサービスは、前記送信パラメータに関連したＱＡＭと共に送信される、請求項９に記載のユーザー装置。
【請求項１１】
前記ＵＥの前記上位層は、前記送信パラメータと関連した設定（ｃｏｎｆｉｇｕｒａｔｉｏｎ）を備える、請求項９に記載のユーザー装置。
【請求項１２】
前記選択されたＭＣＳレベルの情報は、サイドリンク制御情報（ＳＣＩ：Ｓｉｄｅｌｉｎｋ  Ｃｏｎｔｒｏｌ  Ｉｎｆｏｒｍａｔｉｏｎ）に含まれ、かつ、送信される、請求項９に記載のユーザー装置。
【請求項１３】
前記送信要求は、前記Ｖ２Ｘサービス識別子と共にマップされたキャリア周波数情報を更に含んでなる、請求項９に記載のユーザー装置。
【請求項１４】
前記動作は、
前記ＵＥが使用しようとするキャリア周波数を選択し、及び
前記上位層に前記選択されたキャリア周波数を伝達することを更に含んでなる、請求項１３に記載のユーザー装置。
【請求項１５】
前記Ｖ２Ｘメッセージは前記キャリア周波数に送信される、請求項１４に記載のユーザー装置。
【発明の詳細な説明】
【技術分野】
【０００１】
本発明は、無線通信システムに関し、より詳細に車両対モノ（Ｖ２Ｘ：Ｖｅｈｉｃｌｅ−ｔｏ−Ｅｖｅｒｙｔｈｉｎｇ）通信を行う／支援する方法、及びこれを支援する装置に関する。
【背景技術】
【０００２】
移動通信システムは、ユーザーの活動性を保障しながら音声サービスを提供するために開発された。しかしながら、移動通信システムは、音声だけでなくデータサービスまで領域を拡張し、現在では、爆発的なトラフィックの増加によって資源の不足現象が引き起こされ、ユーザーがより高速のサービスを要求するので、より発展した移動通信システムが要求されている。
【０００３】
次世代の移動通信システムの要求条件は大きく、爆発的なデータトラフィックの収容、ユーザー当たり送信率の画期的な増加、大幅増加した連結デバイス数の収容、非常に低い端対端遅延（Ｅｎｄ−ｔｏ−Ｅｎｄ  Ｌａｔｅｎｃｙ）、高エネルギー効率を支援できなければならない。そのために、二重連結性（Ｄｕａｌ  Ｃｏｎｎｅｃｔｉｖｉｔｙ）、大規模多重入出力（Ｍａｓｓｉｖｅ  ＭＩＭＯ：Ｍａｓｓｉｖｅ  Ｍｕｌｔｉｐｌｅ  Ｉｎｐｕｔ  Ｍｕｌｔｉｐｌｅ  Ｏｕｔｐｕｔ）、全二重（Ｉｎ-ｂａｎｄ  Ｆｕｌｌ  Ｄｕｐｌｅｘ）、非直交多重接続（ＮＯＭＡ：Ｎｏｎ-Ｏｒｔｈｏｇｏｎａｌ  Ｍｕｌｔｉｐｌｅ  Ａｃｃｅｓｓ）、超広帯域（Ｓｕｐｅｒ  ｗｉｄｅｂａｎｄ）支援、端末ネットワーキング（Ｄｅｖｉｃｅ  Ｎｅｔｗｏｒｋｉｎｇ）など、多様な技術が研究されている。
【発明の概要】
【発明が解決しようとする課題】
【０００４】
本発明の目的は、ＵＥがＰＣ５（即ち、ＵＥ（又は車両（ｖｅｈｉｃｌｅ））間の無線インターフェース／リファレンスポイント）を介したＶ２Ｘ通信を行う方法を提案する。
【０００５】
また、本発明では、ＰＣ５を介したＶ２Ｘ通信のためにクロス−キャリア（ｃｒｏｓｓ−ｃａｒｒｉｅｒ）スケジューリングの動作を支援するとき、ＵＥが適切なセル（又はキャリア周波数）を選択してＶ２Ｘ通信を行う方法を提案する。
【０００６】
また、本発明では、サービス別にＶ２Ｘメッセージ（パケット）を送信するための送信パラメータを決定する方法を提案する。
【０００７】
本発明で解決しようとする技術的課題は、以上で言及した技術的課題に制限されず、言及しないまた別の技術的課題は、以下の記載から本発明が属する技術分野で通常の知識を有する者にとって明確に理解されるべきである。
【課題を解決するための手段】
【０００８】
本発明の一様相は、無線通信システムにおけるユーザー装置（ＵＥ：Ｕｓｅｒ  Ｅｑｕｉｐｍｅｎｔ）が、Ｖ２Ｘ（Ｖｅｈｉｃｌｅ−ｔｏ−Ｅｖｅｒｙｔｈｉｎｇ）通信を行う方法において、上位層からＰＣ５インターフェースを介したＶ２Ｘ通信を利用し、Ｖ２Ｘサービス識別子によって識別されたＶ２ＸサービスのＶ２Ｘメッセージの送信要求を受信し、前記送信要求は、前記Ｖ２Ｘメッセージ及び前記Ｖ２Ｘサービス識別子を含む段階と、前記ＵＥがＶ２Ｘ通信のためにＥ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）によってサービスされるか否かに応じて、前記ＰＣ５インターフェースを介したＶ２Ｘ通信のための資源を基地局に要求するか又は選択する段階と、前記Ｖ２Ｘメッセージを下位層に伝達することによって、前記ＰＣ５インターフェースを介して前記Ｖ２Ｘメッセージを送信する段階とを含み、前記ＵＥが前記Ｖ２Ｘサービス識別子と送信パラメータ間のマッピングが設定されると、前記Ｖ２Ｘサービス識別子と関連した送信パラメータが前記Ｖ２Ｘメッセージと共に前記下位層に伝達されることができる。
【０００９】
本発明の別の一様相は、無線通信システムにおけるＶ２Ｘ（Ｖｅｈｉｃｌｅ−ｔｏ−Ｅｖｅｒｙｔｈｉｎｇ）通信を行うユーザー装置（ＵＥ：Ｕｓｅｒ  Ｅｑｕｉｐｍｅｎｔ）において、無線信号を送受信するための送受信機（ｔｒａｎｓｃｅｉｖｅｒ）及び前記送受信機を制御するプロセッサを含み、前記プロセッサは、上位層からＰＣ５インターフェースを介したＶ２Ｘ通信を利用し、Ｖ２Ｘサービス識別子によって識別されたＶ２ＸサービスのＶ２Ｘメッセージの送信要求を受信し、前記送信要求は、前記Ｖ２Ｘメッセージ及び前記Ｖ２Ｘサービス識別子を含み、前記ＵＥがＶ２Ｘ通信のためにＥ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）によってサービスされるか否かに応じて、前記ＰＣ５インターフェースを介したＶ２Ｘ通信のための資源を基地局に要求するか又は選択し、前記Ｖ２Ｘメッセージを下位層に伝達することによって、前記ＰＣ５インターフェースを介したＶ２Ｘ通信の送信を行うように構成され、前記ＵＥに前記Ｖ２Ｘサービス識別子と送信パラメータ間のマッピングが設定されると、前記Ｖ２Ｘサービス識別子と関連した送信パラメータが前記Ｖ２Ｘメッセージと共に前記下位層に伝達されることができる。
【００１０】
好ましく、前記送信パラメータは、６４ＱＡＭの変調及びコーディング方式（ＭＣＳ：Ｍｏｄｕｌａｔｉｏｎ  ａｎｄ  Ｃｏｄｉｎｇ  Ｓｃｈｅｍｅ）レベルの適用可否を指示するパラメータを含むことができる。
【００１１】
好ましく、下位層によって前記Ｖ２Ｘサービス識別子と関連した送信パラメータに基づいてＭＣＳレベルが決定されることができる。
【００１２】
好ましく、前記決定されたＭＣＳレベルは、サイドリンク制御情報（ＳＣＩ：Ｓｉｄｅｌｉｎｋ  Ｃｏｎｔｒｏｌ  Ｉｎｆｏｒｍａｔｉｏｎ）に含まれ、前記受信ＵＥに送信されることができる。
【００１３】
好ましく、前記送信要求は、前記Ｖ２Ｘサービス識別子とマッピングされたキャリア周波数の情報をさらに含むことができる。
【００１４】
好ましく、前記ＵＥが使用しようとするキャリア周波数を選択する段階、及び前記選択されたキャリア周波数の情報を前記上位層に伝達する段階をさらに含むことができる。
【００１５】
好ましく、前記上位層から送信のためのキャリア周波数の情報を受信する段階をさらに含み、前記Ｖ２Ｘメッセージは、前記送信のためのキャリア周波数上で送信されることができる。
【００１６】
好ましく、前記Ｖ２Ｘサービス識別子とマッピングされたキャリア周波数の情報は、各キャリア周波数別に必ず用いられるべきか否かを示す指示を含むことができる。
【発明の効果】
【００１７】
本発明の実施例に係ると、ＵＥが効果的にＶ２Ｘ通信を行うことができる。
【００１８】
また、本発明の実施例に係ると、ＰＣ５を介したＶ２Ｘ通信のために、クロス−キャリア（ｃｒｏｓｓ−ｃａｒｒｉｅｒ）スケジューリングの動作を支援するとき、ＵＥが効果的にＶ２Ｘ通信を行うことができる。
【００１９】
また、本発明の実施例に係ると、サービスタイプ別に送信パラメータを異なって決定することによって、サービスに応じて該当Ｖ２Ｘメッセージ（パケット）の受信対象（全てのＵＥ又は特定のＵＥ等）を調整することができる。
【００２０】
本発明で得ることができる効果は、以上で言及した効果に制限されるものではなく、言及していないまた別の効果は、以下の記載から本発明が属する技術分野で通常の知識を有する者にとって明確に理解されるべきである。
【図面の簡単な説明】
【００２１】
本発明に関する理解を助けるために詳細な説明の一部として含まれる添付図面は、本発明に対する実施例を提供し、詳細な説明と共に本発明の技術的特徴を説明する。
【００２２】
【図１】本発明が適用され得るＥＰＳ（Ｅｖｏｌｖｅｄ  Ｐａｃｋｅｔ  Ｓｙｓｔｅｍ）を簡略に例示する図である。
【図２】本発明が適用され得るＥ−ＵＴＲＡＮ（ｅｖｏｌｖｅｄ  ｕｎｉｖｅｒｓａｌ  ｔｅｒｒｅｓｔｒｉａｌ  ｒａｄｉｏ  ａｃｃｅｓｓ  ｎｅｔｗｏｒｋ）のネットワーク構造の一例を示す。
【図３】本発明が適用され得る無線通信システムにおけるＥ−ＵＴＲＡＮ及びＥＰＣの構造を例示する。
【図４】本発明が適用され得る無線通信システムにおける端末と、Ｅ−ＵＴＲＡＮ間の無線インターフェースプロトコル（ｒａｄｉｏ  ｉｎｔｅｒｆａｃｅ  ｐｒｏｔｏｃｏｌ）の構造を示す。
【図５】本発明が適用され得る無線通信システムにおける物理チャネルの構造を簡略に例示する図である。
【図６】本発明が適用され得る無線通信システムにおける競合ベースランダムアクセス手続を説明するための図である。
【図７】本発明の一実施例に係るＰＣ５を介したＶ２Ｘ通信のためにキャリア周波数の選択方法を例示する図である。
【図８】本発明の一実施例に係るＰＣ５を介したＶ２Ｘ通信のためにキャリア周波数の選択方法を例示する図である。
【図９】本発明の一実施例に係るキャリア周波数の選択及びＶ２Ｘメッセージの送信に関するＵＥの動作を例示する。
【図１０】本発明の一実施例に係るキャリア周波数の選択及びｃｅｌｌ／ＰＬＭＮの選択方法を例示する。
【図１１】本発明の一実施例に係るＶ２Ｘ通信の実行方法を例示する。
【図１２】本発明の一実施例に係るＶ２Ｘ通信の実行方法を例示する。
【図１３】本発明の一実施例に係る通信装置のブロック構成図を例示する。
【図１４】本発明の一実施例に係る通信装置のブロック構成図を例示する。
【発明を実施するための形態】
【００２３】
以下、本発明に係る好ましい実施形態を添付した図面を参照して詳細に説明する。添付した図面と共に以下に開示される詳細な説明は、本発明の例示的な実施形態を説明しようとするものであり、本発明が実施され得る唯一の実施形態を示そうとするものではない。以下の詳細な説明は、本発明の完全な理解を提供するために、具体的な細部事項を含む。しかしながら、当業者は本発明がこのような具体的な細部事項無しでも実施され得ることが分かる。
【００２４】
幾つかの場合、本発明の概念が曖昧になることを避けるために公知の構造及び装置は省略されるか、または各構造及び装置の中核機能を中心としたブロック図の形式で図示されることができる。
【００２５】
本明細書において、基地局は、端末と直接的に通信を行うネットワークの終端ノード（ｔｅｒｍｉｎａｌ  ｎｏｄｅ）としての意味を有する。本文書において基地局により行われると説明された特定の動作は、場合によっては、基地局の上位ノード（ｕｐｐｅｒ  ｎｏｄｅ）により行われてもよい。すなわち、基地局を含む複数のネットワークノード（ｎｅｔｗｏｒｋ  ｎｏｄｅｓ）からなるネットワークにおいて端末との通信のために行われる多様な動作は、基地局または基地局以外の他のネットワークノードにより行われ得ることは明らかである。「基地局（ＢＳ：Ｂａｓｅ  Ｓｔａｔｉｏｎ）」は、固定局（ｆｉｘｅｄ  ｓｔａｔｉｏｎ）、Ｎｏｄｅ  Ｂ、ｅＮＢ（ｅｖｏｌｖｅｄ−ＮｏｄｅＢ）、ＢＴＳ（ｂａｓｅｔｒａｎｓｃｅｉｖｅｒ  ｓｙｓｔｅｍ）、アクセスポイント（ＡＰ：Ａｃｃｅｓｓ Ｐｏｉｎｔ）などの用語により代替され得る。また、「端末（Ｔｅｒｍｉｎａｌ）」は、固定されるか、または移動性を有することができ、ＵＥ（Ｕｓｅｒ  Ｅｑｕｉｐｍｅｎｔ）、ＭＳ（Ｍｏｂｉｌｅ  Ｓｔａｔｉｏｎ）、ＵＴ（ｕｓｅｒ  ｔｅｒｍｉｎａｌ）、ＭＳＳ（Ｍｏｂｉｌｅ  Ｓｕｂｓｃｒｉｂｅｒ Ｓｔａｔｉｏｎ）、ＳＳ（Ｓｕｂｓｃｒｉｂｅｒ  Ｓｔａｔｉｏｎ）、ＡＭＳ（Ａｄｖａｎｃｅｄ  Ｍｏｂｉｌｅ  Ｓｔａｔｉｏｎ）、ＷＴ（Ｗｉｒｅｌｅｓｓ  ｔｅｒｍｉｎａｌ）、ＭＴＣ（Ｍａｃｈｉｎｅ−Ｔｙｐｅ  Ｃｏｍｍｕｎｉｃａｔｉｏｎ）装置、Ｍ２Ｍ（Ｍａｃｈｉｎｅ−ｔｏ−Ｍａｃｈｉｎｅ）装置、Ｄ２Ｄ（Ｄｅｖｉｃｅ−ｔｏ−Ｄｅｖｉｃｅ）装置などの用語に代替され得る。
【００２６】
以下、ダウンリンク（ＤＬ：ｄｏｗｎｌｉｎｋ）は基地局から端末への通信を意味し、アップリンク（ＵＬ：ｕｐｌｉｎｋ）は端末から基地局への通信を意味する。ダウンリンクにおける送信機は基地局の一部であり、受信機は端末の一部であり得る。アップリンクにおける送信機は端末の一部であり、受信機は基地局の一部であり得る。
【００２７】
以下の説明で使われる特定用語は本発明の理解を助けるために提供されたものであり、このような特定用語の使用は本発明の技術的思想を外れない範囲で異なる形態に変更され得る。
【００２８】
以下の技術は、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ-ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）、ＮＯＭＡ（ｎｏｎ-ｏｒｔｈｏｇｏｎａｌｍｕｌｔｉｐｌｅ  ａｃｃｅｓｓ）などの多様な無線接続システムに利用できる。ＣＤＭＡは、ＵＴＲＡ（ｕｎｉｖｅｒｓａｌ  ｔｅｒｒｅｓｔｒｉａｌ  ｒａｄｉｏ  ａｃｃｅｓｓ）やＣＤＭＡ２０００のような無線技術（ｒａｄｉｏ  ｔｅｃｈｎｏｌｏｇｙ）で具現できる。ＴＤＭＡは、ＧＳＭ（登録商標）（ｇｌｏｂａｌ  ｓｙｓｔｅｍ  ｆｏｒ  ｍｏｂｉｌｅ  ｃｏｍｍｕｎｉｃａｔｉｏｎｓ）／ＧＰＲＳ（ｇｅｎｅｒａｌ  ｐａｃｋｅｔ  ｒａｄｉｏ  ｓｅｒｖｉｃｅ）／ＥＤＧＥ（ｅｎｈａｎｃｅｄ  ｄａｔａ  ｒａｔｅｓ  ｆｏｒ  ＧＳＭ（登録商標）  ｅｖｏｌｕｔｉｏｎ）のような無線技術で具現できる。ＯＦＤＭＡは、ＩＥＥＥ  ８０２．１１（ＷｉＦｉ）、ＩＥＥＥ  ８０２．１６（ＷｉＭＡＸ）、ＩＥＥＥ  ８０２−２０、Ｅ-ＵＴＲＡ（ｅｖｏｌｖｅｄ  ＵＴＲＡ）などの無線技術で具現できる。ＵＴＲＡは、ＵＭＴＳ（ｕｎｉｖｅｒｓａｌ  ｍｏｂｉｌｅ  ｔｅｌｅｃｏｍｍｕｎｉｃａｔｉｏｎｓ  ｓｙｓｔｅｍ）の一部である。３ＧＰＰ（３ｒｄ  ｇｅｎｅｒａｔｉｏｎ  ｐａｒｔｎｅｒｓｈｉｐ  ｐｒｏｊｅｃｔ）ＬＴＥ（ｌｏｎｇ  ｔｅｒｍ  ｅｖｏｌｕｔｉｏｎ）は、Ｅ-ＵＴＲＡを使用するＥ−ＵＭＴＳ（ｅｖｏｌｖｅｄ  ＵＭＴＳ）の一部であって、ダウンリンクでＯＦＤＭＡを採用し、アップリンクでＳＣ−ＦＤＭＡを採用する。ＬＴＥ−Ａ（ａｄｖａｎｃｅｄ）は３ＧＰＰ  ＬＴＥの進化である。
【００２９】
本発明の実施例は、無線接続システムであるＩＥＥＥ  ８０２、３ＧＰＰ及び３ＧＰＰ２の少なくとも一つに開示された標準文書によって裏付けられることができる。即ち、本発明の実施例のうち、本発明の技術的思想を明確に示すために、説明しない段階又は部分は前記文書によって裏付けられることができる。また、本文書で開示している全ての用語は、前記標準文書によって説明されることができる。
【００３０】
説明を明確にするために、３ＧＰＰ  ＬＴＥ／ＬＴＥ−Ａを中心に記述するが、本発明の技術的特徴がこれに制限されるわけではない。
【００３１】
本文書で使用されることができる用語は次のように定義される。
【００３２】
−  ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）：３ＧＰＰによって開発された、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎ）ベースの３世代（Ｇｅｎｅｒａｔｉｏｎ）移動通信技術。
【００３３】
−  ＥＰＳ（Ｅｖｏｌｖｅｄ  Ｐａｃｋｅｔ  Ｓｙｓｔｅｍ）：ＩＰ（Ｉｎｔｅｒｎｅｔ  Ｐｒｏｔｏｃｏｌ）ベースのパケット交換（ｐａｃｋｅｔ  ｓｗｉｔｃｈｅｄ）のコアネットワークであるＥＰＣ（Ｅｖｏｌｖｅｄ  Ｐａｃｋｅｔ  Ｃｏｒｅ）やＬＴＥ、ＵＴＲＡＮ等のアクセスネットワークで構成されたネットワークシステム。ＵＭＴＳが進化した形態のネットワークである。
【００３４】
−  ＮｏｄｅＢ：ＵＭＴＳネットワークの基地局。屋外に設置し、カバレッジはマクロセル（ｍａｃｒｏ  ｃｅｌｌ）規模である。
【００３５】
−  ｅＮｏｄｅＢ：ＥＰＳネットワークの基地局。屋外に設置し、カバレッジはマクロセル（ｍａｃｒｏ  ｃｅｌｌ）規模である。
【００３６】
−  端末（Ｕｓｅｒ  Ｅｑｕｉｐｍｅｎｔ）：ユーザー機器。端末は、端末（ｔｅｒｍｉｎａｌ）、ＭＥ(Ｍｏｂｉｌｅ  Ｅｑｕｉｐｍｅｎｔ)、ＭＳ（Ｍｏｂｉｌｅ  Ｓｔａｔｉｏｎ）等の用語として言及されることができる。また、端末は、ノートパソコン、携帯電話、ＰＤＡ（Ｐｅｒｓｏｎａｌ  Ｄｉｇｉｔａｌ  Ａｓｓｉｓｔａｎｔ）、スマートフォン、マルチメディア機器等のように携帯可能な機器であってもよく、またはＰＣ（Ｐｅｒｓｏｎａｌ  Ｃｏｍｐｕｔｅｒ）、車両搭載装置のように携帯できない機器であってもよい。ＭＴＣに関する内容で、端末または端末という用語は、ＭＴＣ端末を指称することができる。
【００３７】
−  ＩＭＳ（Ｉｐ  Ｍｕｌｔｉｍｅｄｉａ  Ｓｕｂｓｙｓｔｅｍ）：マルチメディアサービスをＩＰベースに提供するサブシステム。
【００３８】
−  ＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）：移動通信ネットワークで国際的に固有に割り当てられるユーザー識別子。
【００３９】
−  ＲＡＮ（Ｒａｄｉｏ  Ａｃｃｅｓｓ  Ｎｅｔｗｏｒｋ）：３ＧＰＰネットワークでＮｏｄｅ  Ｂ及びこれを制御するＲＮＣ（Ｒａｄｉｏ  Ｎｅｔｗｏｒｋ  Ｃｏｎｔｒｏｌｌｅｒ）、ｅＮｏｄｅＢを含む単位。端末の端に存在し、コアネットワークへの連結を提供する。
【００４０】
−  ＨＬＲ（Ｈｏｍｅ  Ｌｏｃａｔｉｏｎ  Ｒｅｇｉｓｔｅｒ）／ＨＳＳ（Ｈｏｍｅ  Ｓｕｂｓｃｒｉｂｅｒ  Ｓｅｒｖｅｒ）：３ＧＰＰネットワーク内の加入者情報を有しているデータベース。ＨＳＳは設定格納（ｃｏｎｆｉｇｕｒａｔｉｏｎ  ｓｔｏｒａｇｅ）、識別子管理（ｉｄｅｎｔｉｔｙ  ｍａｎａｇｅｍｅｎｔ）、ユーザー状態格納等の機能を行うことができる。
【００４１】
−  ＰＬＭＮ（Ｐｕｂｌｉｃ  Ｌａｎｄ  Ｍｏｂｉｌｅ  Ｎｅｔｗｏｒ）：個人に移動通信サービスを提供する目的で構成されたネットワーク。オペレーター別に区分されて構成されることができる。
【００４２】
以下、前記のように定義された用語に基づいて、本発明について記述する。
【００４３】
本発明が適用され得るシステム一般
【００４４】
図１は、本発明が適用され得るＥＰＳ（Ｅｖｏｌｖｅｄ  Ｐａｃｋｅｔ  Ｓｙｓｔｅｍ）を簡略に例示する図である。
【００４５】
図１のネットワークの構造図は、ＥＰＣ（Ｅｖｏｌｖｅｄ  Ｐａｃｋｅｔ  Ｃｏｒｅ）を含むＥＰＳ（Ｅｖｏｌｖｅｄ  Ｐａｃｋｅｔ  Ｓｙｓｔｅｍ）の構造を、これを簡略に再構成したものである。
【００４６】
ＥＰＣ（Ｅｖｏｌｖｅｄ  Ｐａｃｋｅｔ  Ｃｏｒｅ）は、３ＧＰＰ技術の性能を向上するためのＳＡＥ（Ｓｙｓｔｅｍ  Ａｒｃｈｉｔｅｃｔｕｒｅ  Ｅｖｏｌｕｔｉｏｎ）の中核的な要素である。ＳＡＥは、様々な種類のネットワーク間の移動性を支援するネットワークの構造を決定する研究課題に該当する。ＳＡＥは、例えば、ＩＰベースに多様な無線接続技術を支援し、より向上したデータ送信能力を提供する等の最適化されたパケット−ベースのシステムを提供することを目標とする。
【００４７】
具体的に、ＥＰＣは３ＧＰＰ  ＬＴＥシステムのためのＩＰ移動通信システムのコアネットワーク（Ｃｏｒｅ  Ｎｅｔｗｏｒｋ）であり、パケット−ベースのリアルタイム及び非リアルタイムのサービスを支援することができる。既存の移動通信システム（即ち、２世代または３世代移動通信システム）では、音声のためのＣＳ（Ｃｉｒｃｕｉｔ−Ｓｗｉｔｃｈｅｄ）及びデータのためのＰＳ（Ｐａｃｋｅｔ−Ｓｗｉｔｃｈｅｄ）の二つの区別されるサブ−ドメインを介してコアネットワークの機能が具現された。しかし、３世代移動通信システムの進化である３ＧＰＰ  ＬＴＥシステムでは、ＣＳ及びＰＳのサブ−ドメインが一つのＩＰドメインとして単一化した。即ち、３ＧＰＰ  ＬＴＥシステムでは、ＩＰ能力（ｃａｐａｂｉｌｉｔｙ）を有する端末と端末間の連結が、ＩＰベースの基地局（例えば、ｅＮｏｄｅＢ（ｅｖｏｌｖｅｄ  Ｎｏｄｅ  Ｂ））、ＥＰＣ、アプリケーションドメイン（例えば、ＩＭＳ）を介して構成されることができる。即ち、ＥＰＣは、端対端（ｅｎｄ−ｔｏ−ｅｎｄ）のＩＰサービスの具現に必須的な構造である。
【００４８】
ＥＰＣは多様な構成要素を含むことができ、図１では、そのうち一部に該当する、ＳＧＷ（Ｓｅｒｖｉｎｇ  Ｇａｔｅｗａｙ）（またはＳ−ＧＷ）、ＰＤＮ  ＧＷ（Ｐａｃｋｅｔ  Ｄａｔａ  Ｎｅｔｗｏｒｋ  Ｇａｔｅｗａｙ）（若しくはＰＧＷまたはＰ−ＧＷ）、ＭＭＥ（Ｍｏｂｉｌｉｔｙ  Ｍａｎａｇｅｍｅｎｔ  Ｅｎｔｉｔｙ）、ＳＧＳＮ（Ｓｅｒｖｉｎｇ  ＧＰＲＳ（Ｇｅｎｅｒａｌ  Ｐａｃｋｅｔ  Ｒａｄｉｏ  Ｓｅｒｖｉｃｅ）Ｓｕｐｐｏｒｔｉｎｇ  Ｎｏｄｅ）、ｅＰＤＧ（ｅｎｈａｎｃｅｄ  Ｐａｃｋｅｔ  Ｄａｔａ  Ｇａｔｅｗａｙ）を示す。
【００４９】
ＳＧＷは、無線接続ネットワーク（ＲＡＮ）とコアネットワーク間の境界点として動作し、ｅＮｏｄｅＢとＰＤＮ  ＧＷ間のデータ経路を維持する機能をする要素である。また、端末がｅＮｏｄｅＢによってサービング（ｓｅｒｖｉｎｇ）される領域にかけて移動する場合、ＳＧＷはローカル移動性アンカーポイント（ａｎｃｈｏｒ  ｐｏｉｎｔ）の役割を果たす。即ち、Ｅ−ＵＴＲＡＮ（３ＧＰＰのリリース８の以降から定義されるＥｖｏｌｖｅｄ−ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）Ｔｅｒｒｅｓｔｒｉａｌ  Ｒａｄｉｏ  Ａｃｃｅｓｓ  Ｎｅｔｗｏｒｋ）内での移動性のために、ＳＧＷを介してパケットがルーティングされることができる。さらに、ＳＧＷは他の３ＧＰＰのネットワーク（３ＧＰＰのリリース８の以前に定義されるＲＡＮ、例えば、ＵＴＲＡＮまたはＧＥＲＡＮ（ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎ）／ＥＤＧＥ（Ｅｎｈａｎｃｅｄ  Ｄａｔａ  ｒａｔｅｓ  ｆｏｒ  Ｇｌｏｂａｌ  Ｅｖｏｌｕｔｉｏｎ）Ｒａｄｉｏ  Ａｃｃｅｓｓ  Ｎｅｔｗｏｒｋ）との移動性のためのアンカーポイントとして機能することもできる。
【００５０】
ＰＤＮ  ＧＷは、パケットデータネットワークに向かったデータインターフェースの終端点（ｔｅｒｍｉｎａｔｉｏｎ  ｐｏｉｎｔ）に該当する。ＰＤＮ  ＧＷは、ポリシー執行特徴（Ｐｏｌｉｃｙ  ｅｎｆｏｒｃｅｍｅｎｔ  ｆｅａｔｕｒｅｓ）、パケットフィルタリング（ｐａｃｋｅｔ  ｆｉｌｔｅｒｉｎｇ）、課金支援（ｃｈａｒｇｉｎｇ  ｓｕｐｐｏｒｔ）等をサポートすることができる。また、３ＧＰＰのネットワークと非３ＧＰＰ（ｎｏｎ−３ＧＰＰ）のネットワーク（例えば、Ｉ−ＷＬＡＮ（Ｉｎｔｅｒｗｏｒｋｉｎｇ  Ｗｉｒｅｌｅｓｓ  Ｌｏｃａｌ  Ａｒｅａ  Ｎｅｔｗｏｒｋ）のような信頼できないネットワーク、ＣＤＭＡ（Ｃｏｄｅ  Ｄｉｖｉｓｉｏｎ  Ｍｕｌｔｉｐｌｅ  Ａｃｃｅｓｓ）ネットワークや、Ｗｉｍａｘのような信頼できるネットワーク）との移動性管理のためのアンカーポイントの役割を果たすことができる。
【００５１】
図１のネットワーク構造の例示では、ＳＧＷとＰＤＮ  ＧＷが別のゲートウェイで構成されることを示すが、二つのゲートウェイが単一ゲートウェイ構成オプション（Ｓｉｎｇｌｅ  Ｇａｔｅｗａｙ  Ｃｏｎｆｉｇｕｒａｔｉｏｎ  Ｏｐｔｉｏｎ）によって具現されることもできる。
【００５２】
ＭＭＥは、端末のネットワーク連結に対するアクセス、ネットワーク資源の割り当て、トラッキング（ｔｒａｃｋｉｎｇ）、ページング（ｐａｇｉｎｇ）、ローミング（ｒｏａｍｉｎｇ）、及びハンドオーバー等を支援するためのシグナリング及び制御機能を行う要素である。ＭＭＥは、加入者及びセッション管理に関するコントロールプレーン機能を制御する。ＭＭＥは、数多くのｅＮｏｄｅＢを管理し、他の２Ｇ／３Ｇネットワークに対するハンドオーバーのための従来のゲートウェイの選択のためのシグナリングを行う。また、ＭＭＥは、保安過程（Ｓｅｃｕｒｉｔｙ  Ｐｒｏｃｅｄｕｒｅｓ）、端末対ネットワークセッションハンドリング（Ｔｅｒｍｉａｎｌ−ｔｏ−ｎｅｔｗｏｒｋ  Ｓｅｓｓｉｏｎ  Ｈａｎｄｌｉｎｇ）、遊休端末位置決定管理（Ｉｄｌｅ  Ｔｅｒｍｉｎａｌ  Ｌｏｃａｔｉｏｎ  Ｍａｎａｇｅｍｅｎｔ）等の機能を行う。
【００５３】
ＳＧＳＮは、他の３ＧＰＰのネットワーク（例えば、ＧＰＲＳネットワーク）に対するユーザーの移動性管理及び認証（ａｕｔｈｅｎｔｉｃａｔｉｏｎ）のような全てのパケットデータをハンドリングする。
【００５４】
ｅＰＤＧは、信頼できない非３ＧＰＰのネットワーク（例えば、Ｉ−ＷＬＡＮ、ＷｉＦｉホットスポット（ｈｏｔｓｐｏｔ）等）に対する保安ノードとしての役割を果たす。
【００５５】
図１を参照して説明したように、ＩＰ能力を有する端末は、３ＧＰＰのアクセスはもちろん、非３ＧＰＰのアクセスベースでもＥＰＣ内の多様な要素を経由して、事業者（即ち、オペレーター（ｏｐｅｒａｔｏｒ））が提供するＩＰサービスネットワーク（例えば、ＩＭＳ）にアクセスすることができる。
【００５６】
また、図１では、多様なリファレンスポイント（例えば、Ｓ１−Ｕ、Ｓ１−ＭＭＥ等）を示す。３ＧＰＰのシステムでは、Ｅ−ＵＴＲＡＮ及びＥＰＣの異なる機能個体（ｆｕｎｃｔｉｏｎａｌ  ｅｎｔｉｔｙ）に存在する２つの機能を連結する概念的なリンクをリファレンスポイント（ｒｅｆｅｒｅｎｃｅ  ｐｏｉｎｔ）と定義する。次の表１は、図１に示すリファレンスポイントを整理したものである。表１の例示以外にも、ネットワーク構造によって様々なリファレンスポイント（ｒｅｆｅｒｅｎｃｅ ｐｏｉｎｔ）が存在し得る。
【００５７】
【表１】
0006949205.tif 000002
0006949205.tif 000003
【００５８】
図１に示すリファレンスポイントのうちＳ２ａ及びＳ２ｂは、非３ＧＰＰのインターフェースに該当する。Ｓ２ａは信頼できる非３ＧＰＰのアクセス及びＰＤＮ  ＧＷ間の関連制御及び移動性資源をユーザープレーンに提供するリファレンスポイントである。Ｓ２ｂは、ｅＰＤＧ及びＰＤＮ  ＧＷ間の関連制御及び移動性支援をユーザープレーンに提供するリファレンスポイントである。
【００５９】
図２は、本発明が適用され得るＥ−ＵＴＲＡＮ（ｅｖｏｌｖｅｄ  ｕｎｉｖｅｒｓａｌ  ｔｅｒｒｅｓｔｒｉａｌ  ｒａｄｉｏ  ａｃｃｅｓｓ  ｎｅｔｗｏｒｋ）のネットワーク構造の一例を示す。
【００６０】
Ｅ−ＵＴＲＡＮシステムは、既存のＵＴＲＡＮシステムで進化したシステムであって、例えば、３ＧＰＰ ＬＴＥ／ＬＴＥ−Ａシステムであり得る。通信ネットワークは、ＩＭＳ及びパケットデータを介して音声（ｖｏｉｃｅ）（例えば、ＶｏＩＰ（Ｖｏｉｃｅ  ｏｖｅｒ  Ｉｎｔｅｒｎｅｔ  Ｐｒｏｔｏｃｏｌ））のような多様な通信サービスを提供するために広範囲に配置される。
【００６１】
図２を参照すると、Ｅ−ＵＭＴＳのネットワークは、Ｅ−ＵＴＲＡＮ、ＥＰＣ、及び一つ以上のＵＥを含む。Ｅ−ＵＴＲＡＮは端末にコントロールプレーン（ｃｏｎｔｒｏｌ  ｐｌａｎｅ）とユーザープレーン（ｕｓｅｒ  ｐｌａｎｅ）のプロトコルを提供するｅＮＢで構成され、ｅＮＢはＸ２のインターフェースを介して連結される。
【００６２】
Ｘ２ユーザープレーンのインターフェース（Ｘ２−Ｕ）は、ｅＮＢ間で定義される。Ｘ２−Ｕのインターフェースは、ユーザープレーンのＰＤＵ（ｐｒｏｔｏｃｏｌ  ｄａｔａ  ｕｎｉｔ）の保障されない伝達（ｎｏｎ  ｇｕａｒａｎｔｅｅｄ  ｄｅｌｉｖｅｒｙ）を提供する。Ｘ２コントロールプレーンのインターフェース（Ｘ２−ＣＰ）は、二つの隣り合うｅＮＢ間で定義される。Ｘ２−ＣＰは、ｅＮＢ間のコンテキスト（ｃｏｎｔｅｘｔ）伝達、ソースｅＮＢとターゲットｅＮＢ間のユーザープレーントンネルの制御、ハンドオーバー関連メッセージの伝達、アップリンク負荷管理等の機能を行う。
【００６３】
ｅＮＢは、無線インターフェースを介して端末と連結され、Ｓ１のインターフェースを介してＥＰＣ（ｅｖｏｌｖｅｄ  ｐａｃｋｅｔ  ｃｏｒｅ）に連結される。
【００６４】
Ｓ１ユーザープレーンのインターフェース（Ｓ１−Ｕ）は、ｅＮＢとサービングゲートウェイ（Ｓ−ＧＷ：ｓｅｒｖｉｎｇ  ｇａｔｅｗａｙ）間で定義される。Ｓ１コントロールプレーンのインターフェース（Ｓ１−ＭＭＥ）は、ｅＮＢと移動性管理個体（ＭＭＥ：ｍｏｂｉｌｉｔｙ  ｍａｎａｇｅｍｅｎｔ  ｅｎｔｉｔｙ）間で定義される。Ｓ１のインターフェースは、ＥＰＳ（ｅｖｏｌｖｅｄ  ｐａｃｋｅｔ  ｓｙｓｔｅｍ）ベアラーサービス管理機能、ＮＡＳ（ｎｏｎ−ａｃｃｅｓｓ  ｓｔｒａｔｕｍ）シグナリングトランスポート機能、ネットワークシェアリング、ＭＭＥ負荷バランシング機能等を行う。Ｓ１のインターフェースはｅＮＢとＭＭＥ／Ｓ−ＧＷ間に多対多の関係（ｍａｎｙ−ｔｏ−ｍａｎｙ−ｒｅｌａｔｉｏｎ）を支援する。
【００６５】
ＭＭＥは、ＮＡＳシグナリング保安（ｓｅｃｕｒｉｔｙ）、ＡＳ（Ａｃｃｅｓｓ  Ｓｔｒａｔｕｍ）保安（ｓｅｃｕｒｉｔｙ）制御、３ＧＰＰのアクセスネットワーク間の移動性を支援するためのＣＮ（Ｃｏｒｅ  Ｎｅｔｗｏｒｋ）ノード間（Ｉｎｔｅｒ−ＣＮ）シグナリング、（ページング再送信の実行及び制御を含んで）アイドル（ＩＤＬＥ）モードのＵＥ接近性（ｒｅａｃｈａｂｉｌｉｔｙ）、（アイドル及びアクティブモード端末のための）トラッキング領域識別子（ＴＡＩ：Ｔｒａｃｋｉｎｇ  Ａｒｅａ  Ｉｄｅｎｔｉｔｙ）管理、ＰＤＮ  ＧＷ及びＳＧＷ選択、ＭＭＥが変更されるハンドオーバーのためのＭＭＥ選択、２Ｇまたは３Ｇ  ３ＧＰＰのアクセスネットワークへのハンドオーバーのためのＳＧＳＮ選択、ローミング（ｒｏａｍｉｎｇ）、認証（ａｕｔｈｅｎｔｉｃａｔｉｏｎ）、専用ベアラーの確立（ｄｅｄｉｃａｔｅｄ  ｂｅａｒｅｒ  ｅｓｔａｂｌｉｓｈｍｅｎｔ）を含むベアラー管理機能、公共警報システム（ＰＷＳ：Ｐｕｂｌｉｃ  Ｗａｒｎｉｎｇ  Ｓｙｓｔｅｍ）（地震及びツナミ警報システム（ＥＴＷＳ：Ｅａｒｔｈｑｕａｋｅ  ａｎｄ  Ｔｓｕｎａｍｉ  Ｗａｒｎｉｎｇ  Ｓｙｓｔｅｍ）、及び商用モバイル警報システム（ＣＭＡＳ：Ｃｏｍｍｅｒｃｉａｌ  Ｍｏｂｉｌｅ  Ａｌｅｒｔ  Ｓｙｓｔｅｍ）を含む）メッセージ送信の支援等様々な機能を行い得る。
【００６６】
図３は、本発明が適用され得る無線通信システムにおけるＥ−ＵＴＲＡＮ及びＥＰＣの構造を例示する。
【００６７】
図３を参照すると、ｅＮＢはゲートウェイ（例えば、ＭＭＥ）の選択、無線資源制御（ＲＲＣ：ｒａｄｉｏ  ｒｅｓｏｕｒｃｅ  ｃｏｎｔｒｏｌ）の活性（ａｃｔｉｖａｔｉｏｎ）の間にゲートウェイへのルーティング、放送チャネル（ＢＣＨ：ｂｒｏａｄｃａｓｔ  ｃｈａｎｎｅｌ）のスケジューリング及び送信、アップリンク及びダウンリンクからＵＥへの動的資源の割り当て、かつＬＴＥ＿ＡＣＴＩＶＥの状態で移動性制御連結の機能を行い得る。前述したように、ＥＰＣ内におけるゲートウェイは、ページングの開始（ｏｒｇｉｎａｔｉｏｎ）、ＬＴＥ＿ＩＤＬＥ状態の管理、ユーザープレーン（ｕｓｅｒ  ｐｌａｎｅ）の暗号化（ｃｉｐｈｅｒｉｎｇ）、システム構造の進化（ＳＡＥ：Ｓｙｓｔｅｍ  Ａｒｃｈｉｔｅｃｔｕｒｅ  Ｅｖｏｌｕｔｉｏｎ）ベアラー制御、かつＮＡＳシグナリングの暗号化（ｃｉｐｈｅｒｉｎｇ）及び完全性（ｉｎｔｅｒｇｒｉｔｙ）保護の機能を行い得る。
【００６８】
図４は、本発明が適用され得る無線通信システムにおける端末とＥ−ＵＴＲＡＮ間の無線インターフェースプロトコル（ｒａｄｉｏ  ｉｎｔｅｒｆａｃｅ  ｐｒｏｔｏｃｏｌ）の構造を示す。
【００６９】
図４（ａ）は、コントロールプレーン（ｃｏｎｔｒｏｌ  ｐｌａｎｅ）に対する無線プロトコルの構造を示し、図４（ｂ）は、ユーザープレーン（ｕｓｅｒ  ｐｌａｎｅ）に対する無線プロトコルの構造を示す。
【００７０】
図４を参照すると、端末とＥ−ＵＴＲＡＮ間の無線インターフェースプロトコルの層は、通信システムの技術分野に公知となった広く知られている開放型システム間の相互接続（ＯＳＩ：ｏｐｅｎ  ｓｙｓｔｅｍ  ｉｎｔｅｒｃｏｎｎｅｃｔｉｏｎ）の標準モデルの下位３層に基づき、第１層Ｌ１、第２層Ｌ２、及び第３層Ｌ３に分割できる。端末とＥ−ＵＴＲＡＮ間の無線インターフェースプロトコルは、水平的に物理層（ｐｈｙｓｉｃａｌ  ｌａｙｅｒ）、データリンク層（ｄａｔａ  ｌｉｎｋ  ｌａｙｅｒ）、及びネットワーク層（ｎｅｔｗｏｒｋ  ｌａｙｅｒ）からなり、垂直的にはデータ情報の送信のためのプロトコルスタック（ｐｒｏｔｏｃｏｌ  ｓｔａｃｋ）のユーザープレーン（ｕｓｅｒ  ｐｌａｎｅ）と、制御信号（ｓｉｇｎａｌｉｎｇ）の伝達のためのプロトコルスタックであるコントロールプレーン（ｃｏｎｔｒｏｌ  ｐｌａｎｅ）とに区分される。
【００７１】
コントロールプレーンは、端末とネットワークが呼を管理するために利用する制御メッセージが送信される通路を意味する。ユーザープレーンは、アプリケーション層で生成されたデータ、例えば、音声データ又はインターネットパケットデータ等が送信される通路を意味する。以下、無線プロトコルのコントロールプレーンとユーザープレーンの各層を説明する。
【００７２】
第１層Ｌ１である物理層（ＰＨＹ：ｐｈｙｓｉｃａｌ  ｌａｙｅｒ）は、物理チャネル（ｐｈｙｓｉｃａｌ  ｃｈａｎｎｅｌ）を用いることによって、上位層への情報送信サービス（ｉｎｆｏｒｍａｔｉｏｎ  ｔｒａｎｓｆｅｒ  ｓｅｒｖｉｃｅ）を提供する。物理層は、上位レベルに位置した媒体接続制御（ＭＡＣ：ｍｅｄｉｕｍ  ａｃｃｅｓｓ  ｃｏｎｔｒｏｌ）層に送信チャネル（ｔｒａｎｓｐｏｒｔ  ｃｈａｎｎｅｌ）を介して連結され、送信チャネルを介してＭＡＣ層と物理層間でデータが送信される。送信チャネルは、無線インターフェースを介してデータがどのように、どんな特徴で送信されるかによって分類される。また、互いに異なる物理層の間、送信端の物理層と受信端の物理層間には物理チャネル（ｐｈｙｓｉｃａｌ  ｃｈａｎｎｅｌ）を介してデータが送信される。物理層は、 ＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）方式で変調され、時間と周波数を無線資源として活用する。
【００７３】
物理層で用いられる幾つかの物理制御チャネルがある。物理ダウンリンク制御チャネル（ＰＤＣＣＨ： ｐｈｙｓｉｃａｌ  ｄｏｗｎｌｉｎｋ  ｃｏｎｔｒｏｌ  ｃｈａｎｎｅｌ）は、端末にページングチャネル（ＰＣＨ：ｐａｇｉｎｇ  ｃｈａｎｎｅｌ）とダウンリンク共有チャネル（ＤＬ−ＳＣＨ：ｄｏｗｎｌｉｎｋ  ｓｈａｒｅｄ  ｃｈａｎｎｅｌ）の資源割り当て、及びアップリンク共有チャネル（ＵＬ−ＳＣＨ：ｕｐｌｉｎｋ  ｓｈａｒｅｄ  ｃｈａｎｎｅｌ）と関連したＨＡＲＱ（ｈｙｂｒｉｄ  ａｕｔｏｍａｔｉｃ  ｒｅｐｅａｔ ｒｅｑｕｅｓｔ）の情報を知らせる。また、ＰＤＣＣＨは、端末にアップリング送信の資源割り当てを知らせるアップリンク承認（ＵＬ  ｇｒａｎｔ）を運ぶことができる。物理制御フォーマット指示子チャネル（ＰＣＦＩＣＨ：ｐｈｙｓｉｃａｌ  ｃｏｎｔｒｏｌ  ｆｏｒｍａｔ  ｉｎｄｉｃａｔｏｒ ｃｈａｎｎｅｌ）は、端末にＰＤＣＣＨに用いられるＯＦＤＭシンボルの数を知らせ、毎サブフレーム毎に送信される。物理ＨＡＲＱ指示子チャネル（ＰＨＩＣＨ：ｐｈｙｓｉｃａｌ  ＨＡＲＱ  ｉｎｄｉｃａｔｏｒ  ｃｈａｎｎｅｌ）は、アップリンク送信の応答として、 ＨＡＲＱ  ＡＣＫ（ａｃｋｎｏｗｌｅｄｇｅ）／ＮＡＣＫ（ｎｏｎ−ａｃｋｎｏｗｌｅｄｇｅ）の信号を運ぶ。物理アップリング制御チャネル（ＰＵＣＣＨ：ｐｈｙｓｉｃａｌ  ｕｐｌｉｎｋ  ｃｏｎｔｒｏｌ  ｃｈａｎｎｅｌ)は、ダウンリンクの送信に対するＨＡＲＱ  ＡＣＫ／ＮＡＣＫ、スケジューリングの要求及びチャネル品質指示子（ＣＱＩ：ｃｈａｎｎｅｌ  ｑｕａｌｉｔｙ  ｉｎｄｉｃａｔｏｒ）等のようなアップリンク制御情報を運ぶ。物理アップリンク共有チャネル（ＰＵＳＣＨ： ｐｈｙｓｉｃａｌ  ｕｐｌｉｎｋ  ｓｈａｒｅｄ  ｃｈａｎｎｅｌ）はＵＬ−ＳＣＨを運ぶ。
【００７４】
第２層Ｌ２のＭＡＣ層は、論理チャネル（ｌｏｇｉｃａｌ  ｃｈａｎｎｅｌ）を介して上位層である無線リンク制御（ＲＬＣ：ｒａｄｉｏ  ｌｉｎｋ  ｃｏｎｔｒｏｌ）層にサービスを提供する。また、ＭＡＣ層は、論理チャネルと送信チャネル間のマッピング及び論理チャネルに属するＭＡＣサービスデータユニット（ＳＤＵ：ｓｅｒｖｉｃｅ  ｄａｔａ  ｕｎｉｔ）の送信チャネル上に物理チャネルとして提供されるトランスポートブロック（ｔｒａｎｓｐｏｒｔ  ｂｌｏｃｋ）への多重化／逆多重化機能を含む。
【００７５】
第２層Ｌ２のＲＬＣ層は、信頼性のあるデータ送信を支援する。ＲＬＣ層の機能は、ＲＬＣ  ＳＤＵの連結（ｃｏｎｃａｔｅｎａｔｉｏｎ）、分割（ｓｅｇｍｅｎｔａｔｉｏｎ）、及び再結合（ｒｅａｓｓｅｍｂｌｙ）を含む。無線ベアラー（ＲＢ：ｒａｄｉｏ  ｂｅａｒｅｒ）が要求する多様なＱｏＳ（ｑｕａｌｉｔｙ  ｏｆ  ｓｅｒｖｉｃｅ）を保障するために、ＲＬＣ層は透過モード（ＴＭ：ｔｒａｎｓｐａｒｅｎｔ  ｍｏｄｅ）、非確認モード（ＵＭ：ｕｎａｃｋｎｏｗｌｅｄｇｅｄ  ｍｏｄｅ）、及び確認モード（ＡＭ：ａｃｋｎｏｗｌｅｄｇｅ  ｍｏｄｅ）の三つの動作モードを提供する。ＡＭ  ＲＬＣは、ＡＲＱ（ａｕｔｏｍａｔｉｃ  ｒｅｐｅａｔ  ｒｅｑｕｅｓｔ）を介して誤謬の訂正を提供する。一方、ＭＡＣ層がＲＬＣ機能を行う場合に、ＲＬＣ層はＭＡＣ層の機能ブロックに含まれ得る。
【００７６】
第２層Ｌ２のパケットデータコンバージェンスプロトコル（ＰＤＣＰ：ｐａｃｋｅｔ  ｄａｔａ  ｃｏｎｖｅｒｇｅｎｃｅ  ｐｒｏｔｏｃｏｌ）層は、ユーザープレーンでユーザーデータの伝達、ヘッダの圧縮（ｈｅａｄｅｒ  ｃｏｍｐｒｅｓｓｉｏｎ）、及び暗号化（ｃｉｐｈｅｒｉｎｇ）機能を行う。ヘッダの圧縮機能は、小さな帯域幅を有する無線インターフェースを介して、ＩＰｖ４（ｉｎｔｅｒｎｅｔ  ｐｒｏｔｏｃｏｌ  ｖｅｒｓｉｏｎ  ４）またはＩＰｖ６（ｉｎｔｅｒｎｅｔ ｐｒｏｔｏｃｏｌ  ｖｅｒｓｉｏｎ  ６）のようなインターネットプロトコル（ＩＰ：ｉｎｔｅｒｎｅｔ  ｐｒｏｔｏｃｏｌ）パケットを効率的に送信させるために、相対的にサイズが大きく、不要な制御情報を含んでいるＩＰパケットヘッダのサイズを減らす機能を意味する。コントロールプレーンでのＰＤＣＰ層の機能は、コントロールプレーンデータの伝達及び暗号化／完全性保護（ｉｎｔｅｇｒｉｔｙ  ｐｒｏｔｅｃｔｉｏｎ）を含む。
【００７７】
第３層Ｌ３の最下位部分に位置する無線資源制御（ＲＲＣ：ｒａｄｉｏ  ｒｅｓｏｕｒｃｅ  ｃｏｎｔｒｏｌ）層は、コントロールプレーンでのみ定義される。ＲＲＣ層は、端末とネットワーク間の無線資源を制御する役割を果たす。このため、端末とネットワークは、ＲＲＣ層を介してＲＲＣメッセージを互いに交換する。ＲＲＣ層は、無線ベアラーの設定（ｃｏｎｆｉｇｕｒａｔｉｏｎ）、再設定（ｒｅ−ｃｏｎｆｉｇｕｒａｔｉｏｎ）、及び解除（ｒｅｌｅａｓｅ）と関連して、論理チャネル、送信チャネル、及び物理チャネルを制御する。無線ベアラーは、端末とネットワーク間のデータ送信のために、第２層Ｌ２によって提供される論理的な経路を意味する。無線ベアラーが設定されるというのは、特定のサービスを提供するために、無線プロトコル層及びチャネルの特性を規定し、各々の具体的なパラメータ及び動作方法を設定することを意味する。無線ベアラーは、再度シグナリング無線ベアラー（ＳＲＢ：ｓｉｇｎａｌｉｎｇ  ＲＢ）とデータ無線ベアラー（ＤＲＢ：ｄａｔａ  ＲＢ）の二つに分けられる。ＳＲＢは、コントロールプレーンでＲＲＣメッセージを送信する通路として用いられ、ＤＲＢは、ユーザープレーンでユーザーデータを送信する通路として用いられる。
【００７８】
ＲＲＣ層の上位に位置するＮＡＳ（ｎｏｎ−ａｃｃｅｓｓ  ｓｔｒａｔｕｍ）層は、セッション管理（ｓｅｓｓｉｏｎ  ｍａｎａｇｅｍｅｎｔ）や移動性管理（ｍｏｂｉｌｉｔｙ  ｍａｎａｇｅｍｅｎｔ）等の機能を行う。
【００７９】
基地局を構成する一つのセルは、１．２５、２．５、５、１０、２０Ｍｈｚ等の帯域幅のうち一つに設定され、様々な端末にダウンまたはアップの送信サービスを提供する。互いに異なるセルは、互いに異なる帯域幅を提供するように設定され得る。
【００８０】
ネットワークから端末へデータを送信するダウンリンク送信チャネル（ｄｏｗｎｌｉｎｋ  ｔｒａｎｓｐｏｒｔ ｃｈａｎｎｅｌ）は、システム情報を送信する放送チャネル（ＢＣＨ：ｂｒｏａｄｃａｓｔ ｃｈａｎｎｅｌ）、ページングメッセージを送信するＰＣＨ、ユーザーのトラフィックや制御メッセージを送信するＤＬ−ＳＣＨなどがある。ダウンリンクマルチキャストまたは放送サービスのトラフィックまたは制御メッセージの場合、ＤＬ−ＳＣＨを介して送信されてもよく、または別途のダウンリンクマルチキャストチャネル（ＭＣＨ：ｍｕｌｔｉｃａｓｔ  ｃｈａｎｎｅｌ）を介して送信されてもよい。一方、端末からネットワークへデータを送信するアップリンクの送信チャネル（ｕｐｌｉｎｋ  ｔｒａｎｓｐｏｒｔ  ｃｈａｎｎｅｌ）としては、初期の制御メッセージを送信するランダムアクセスチャネル（ＲＡＣＨ：ｒａｎｄｏｍ  ａｃｃｅｓｓ  ｃｈａｎｎｅｌ）、ユーザーのトラフィックや制御メッセージを送信するＵＬ−ＳＣＨ（ｕｐｌｉｎｋ ｓｈａｒｅｄ  ｃｈａｎｎｅｌ）がある。
【００８１】
論理チャネル（ｌｏｇｉｃａｌ  ｃｈａｎｎｅｌ）は送信チャネルの上位にあり、送信チャネルにマッピングされる。論理チャネルは、制御領域情報の伝達のための制御チャネルとユーザー領域情報の伝達のためのトラフィックチャネルとに区分できる。制御チャネルとしては、放送制御チャネル（ＢＣＣＨ：ｂｒｏａｄｃａｓｔ  ｃｏｎｔｒｏｌ  ｃｈａｎｎｅｌ）、ページング制御チャネル（ＰＣＣＨ：ｐａｇｉｎｇ  ｃｏｎｔｒｏｌ  ｃｈａｎｎｅｌ）、共通制御チャネル（ＣＣＣＨ：ｃｏｍｍｏｎ  ｃｏｎｔｒｏｌ  ｃｈａｎｎｅｌ）、専用制御チャネル（ＤＣＣＨ：ｄｅｄｉｃａｔｅｄ  ｃｏｎｔｒｏｌ  ｃｈａｎｎｅｌ）、マルチキャスト制御チャネル（ＭＣＣＨ：ｍｕｌｔｉｃａｓｔ  ｃｏｎｔｒｏｌ  ｃｈａｎｎｅｌ）等がある。トラフィックチャネルとしては、専用トラフィックチャネル（ＤＴＣＨ：ｄｅｄｉｃａｔｅｄ  ｔｒａｆｆｉｃ  ｃｈａｎｎｅｌ）、マルチキャストトラフィックチャネル（ＭＴＣＨ：ｍｕｌｔｉｃａｓｔ ｔｒａｆｆｉｃ  ｃｈａｎｎｅｌ）等がある。ＰＣＣＨはページング情報を伝達するダウンリンクチャネルであり、ネットワークがＵＥの属したセルを知らない時に用いられる。ＣＣＣＨは、ネットワークとのＲＲＣ連結を有さないＵＥにより用いられる。ＭＣＣＨネットワークからＵＥへのＭＢＭＳ（Ｍｕｌｔｉｍｅｄｉａ  Ｂｒｏａｄｃａｓｔ  ａｎｄ  Ｍｕｌｔｉｃａｓｔ  Ｓｅｒｖｉｃｅ）制御情報を伝達するために用いられる一対多（ｐｏｉｎｔ−ｔｏ−ｍｕｌｔｉｐｏｉｎｔ）のダウンリンクチャネルである。ＤＣＣＨは、ＵＥとネットワーク間に専用制御情報を伝達するＲＲＣ連結を有する端末により用いられる一対一（ｐｏｉｎｔ−ｔｏ−ｐｏｉｎｔ）の両方向（ｂｉ−ｄｉｒｅｃｔｉｏｎａｌ）のチャネルである。ＤＴＣＨは、アップリンク及びダウンリンクで存在し得るユーザー情報を伝達するために一つの端末に専用される一対一（ｐｏｉｎｔ−ｔｏ−ｐｏｉｎｔ）のチャネルである。ＭＴＣＨは、ネットワークからＵＥへのトラフィックデータを伝達するための一対多（ｐｏｉｎｔ−ｔｏ−ｍｕｌｔｉｐｏｉｎｔ）のダウンリンクチャネルである。
【００８２】
論理チャネル（ｌｏｇｉｃａｌ  ｃｈａｎｎｅｌ）と送信チャネル（ｔｒａｎｓｐｏｒｔ  ｃｈａｎnｅｌ）間のアップリンク連結の場合、ＤＣＣＨはＵＬ−ＳＣＨとマッピングされてもよく、ＤＴＣＨはＵＬ−ＳＣＨとマッピングされてもよく、ＣＣＣＨはＵＬ−ＳＣＨとマッピングされてもよい。論理チャネル（ｌｏｇｉｃａｌ  ｃｈａｎｎｅｌ）と送信チャネル（ｔｒａｎｓｐｏｒｔ  ｃｈａｎｎｅｌ）間のダウンリンク連結の場合、ＢＣＣＨはＢＣＨまたはＤＬ−ＳＣＨとマッピングされてもよく、ＰＣＣＨはＰＣＨとマッピングされてもよく、ＤＣＣＨはＤＬ−ＳＣＨとマッピングされてもよく、ＤＴＣＨはＤＬ−ＳＣＨとマッピングされてもよく、ＭＣＣＨはＭＣＨとマッピングされてもよく、ＭＴＣＨはＭＣＨとマッピングされてもよい。
【００８３】
図５は、本発明が適用され得る無線通信システムにおける物理チャネルの構造を簡略に例示する図である。
【００８４】
図５を参照すると、物理チャネルは、周波数領域（ｆｒｅｑｕｅｎｃｙ  ｄｏｍａｉｎ）で一つ以上のサブキャリアと時間領域（ｔｉｍｅ  ｄｏｍａｉｎ）で一つ以上のシンボルで構成される無線資源を介してシグナリング及びデータを伝達する。
【００８５】
１．０ｍｓの長さを有する一つのサブフレームは複数のシンボルで構成される。サブフレームの特定のシンボル（例えば、サブフレームの一番目のシンボル）はＰＤＣＣＨのために用いられ得る。ＰＤＣＣＨは動的に割り当てられる資源に対する情報（例えば、資源ブロック（Ｒｅｓｏｕｒｃｅ  Ｂｌｏｃｋ）、変調、及びコーディング方式（ＭＣＳ： Ｍｏｄｕｌａｔｉｏｎ  ａｎｄ  Ｃｏｄｉｎｇ  Ｓｃｈｅｍｅ）等）を運ぶ。
【００８６】
ランダムアクセス手続（Ｒａｎｄｏｍ  Ａｃｃｅｓｓ  Ｐｒｏｃｅｄｕｒｅ）
【００８７】
以下では、ＬＴＥ／ＬＴＥ−Ａシステムで提供するランダムアクセス手続（ｒａｎｄｏｍ  ａｃｃｅｓｓ  ｐｒｏｃｅｄｕｒｅ）について見る。
【００８８】
ランダムアクセス手続は、端末が基地局とのＲＲＣ連結（ＲＲＣ  Ｃｏｎｎｅｃｔｉｏｎ）がなく、ＲＲＣアイドルの状態で初期接続（ｉｎｉｔｉａｌ  ａｃｃｅｓｓ）を行う場合、ＲＲＣ連結再確立手続（ＲＲＣ  ｃｏｎｎｅｃｔｉｏｎ  ｒｅ−ｅｓｔａｂｌｉｓｈｍｅｎｔ  ｐｒｏｃｅｄｕｒｅ）を行う場合等に行われる。
【００８９】
ＬＴＥ／ＬＴＥ−Ａシステムでは、ランダムアクセスプリアンブル（ｒａｎｄｏｍ  ａｃｃｅｓｓ  ｐｒｅａｍｂｌｅ、ＲＡＣＨ  ｐｒｅａｍｂｌｅ）を選択する過程で、特定の集合内で端末が任意に一つのプリアンブルを選択して用いる競合ベースランダムアクセス手続（ｃｏｎｔｅｎｔｉｏｎ  ｂａｓｅｄ  ｒａｎｄｏｍ  ａｃｃｅｓｓ  ｐｒｏｃｅｄｕｒｅ）と、基地局が特定の端末にのみ割り当てたランダムアクセスプリアンブルを用いる非競合ベースランダムアクセス手続（ｎｏｎ−ｃｏｎｔｅｎｔｉｏｎ  ｂａｓｅｄ  ｒａｎｄｏｍ  ａｃｃｅｓｓ  ｐｒｏｃｅｄｕｒｅ）を全て提供する。
【００９０】
図６は、本発明が適用され得る無線通信システムにおける競合ベースランダムアクセス手続を説明するための図である。
【００９１】
（１）第１メッセージ（Ｍｓｇ  １、ｍｅｓｓａｇｅ  １）
【００９２】
先ず、端末は、システム情報（ｓｙｓｔｅｍ  ｉｎｆｏｒｍａｔｉｏｎ）又はハンドオーバーの命令（ｈａｎｄｏｖｅｒ  ｃｏｍｍａｎｄ）を介して指示されたランダムアクセスプリアンブルの集合で、任意に（ｒａｎｄｏｍｌｙ）一つのランダムアクセスプリアンブル（ｒａｎｄｏｍ  ａｃｃｅｓｓ  ｐｒｅａｍｂｌｅ、ＲＡＣＨ  ｐｒｅａｍｂｌｅ）を選択し、前記ランダムアクセスプリアンブルを送信することができるＰＲＡＣＨ（ｐｈｙｓｉｃａｌ  ＲＡＣＨ）資源を選択して送信する。
【００９３】
端末からランダムアクセスプリアンブルを受信した基地局は、プリアンブルをデコーディングし、ＲＡ−ＲＮＴＩを獲得する。ランダムアクセスプリアンブルが送信されたＰＲＡＣＨと関連したＲＡ−ＲＮＴＩは、該当端末が送信したランダムアクセスプリアンブルの時間−周波数資源によって決定される。
【００９４】
（２）第２メッセージ（Ｍｓｇ  ２、ｍｅｓｓａｇｅ  ２）
【００９５】
基地局は、第１メッセージ上のプリアンブルを介して獲得したＲＡ−ＲＮＴＩに指示（ａｄｄｒｅｓｓ）されるランダムアクセス応答（ｒａｎｄｏｍ  ａｃｃｅｓｓ  ｒｅｓｐｏｎｓｅ）を端末に送信する。ランダムアクセス応答には、ランダムアクセスプリアンブルの区分子／識別子（ＲＡ  ｐｒｅａｍｂｌｅ  ｉｎｄｅｘ／ｉｄｅｎｔｉｆｉｅｒ）、アップリンクの無線資源を知らせるアップリンク承認（ＵＬ  ｇｒａｎｔ）、仮のセル識別子（ＴＣ−ＲＮＴＩ：Ｔｅｍｐｏｒａｒｙ  Ｃｅｌｌ  ＲＮＴＩ）、且つ時間同期値（ＴＡＣ：ｔｉｍｅ  ａｌｉｇｎｍｅｎｔ  ｃｏｍｍａｎｄ）が含まれることができる。ＴＡＣは、基地局が端末にアップリンクの時間整列（ｔｉｍｅ  ａｌｉｇｎｍｅｎｔ）を維持するために送る時間同期値を指示する情報である。端末は、前記時間同期値を用いて、アップリンク送信のタイミングを更新する。端末が時間同期を更新すると、時間同期タイマー（ｔｉｍｅ  ａｌｉｇｎｍｅｎｔ  ｔｉｍｅｒ）を開始又は再開始する。ＵＬグラントは、後述するスケジューリングメッセージ（第３メッセージ）の送信に用いられるアップリンク資源割り当て及びＴＰＣ（ｔｒａｎｓｍｉｔ  ｐｏｗｅｒ  ｃｏｍｍａｎｄ）を含む。ＴＰＣは、スケジューリングされたＰＵＳＣＨのための送信パワーの決定に用いられる。
【００９６】
端末は、ランダムアクセスプリアンブルを送信した後、基地局がシステム情報又はハンドオーバーの命令を介して指示されたランダムアクセス応答ウィンドウ（ｒａｎｄｏｍ  ａｃｃｅｓｓ  ｒｅｓｐｏｎｓｅ  ｗｉｎｄｏｗ）内で自身のランダムアクセス応答（ｒａｎｄｏｍ  ａｃｃｅｓｓ  ｒｅｓｐｏｎｓｅ）の受信を試み、ＰＲＡＣＨに対応するＲＡ−ＲＮＴＩでマスキングされたＰＤＣＣＨを検出し、検出されたＰＤＣＣＨにより指示されるＰＤＳＣＨを受信することになる。ランダムアクセス応答の情報は、ＭＡＣ  ＰＤＵ（ＭＡＣ  ｐａｃｋｅｔ  ｄａｔａ  ｕｎｉｔ）の形式で送信されることができ、前記ＭＡＣ  ＰＤＵはＰＤＳＣＨを介して伝達されることができる。
【００９７】
端末は、基地局に送信したランダムアクセスプリアンブルと同一のランダムアクセスプリアンブルの区分子／識別子を有するランダムアクセス応答を成功的に受信すると、ランダムアクセス応答のモニタリングを中止する。反面、ランダムアクセス応答ウィンドウが終了するまでランダムアクセス応答のメッセージを受信することができないか、基地局に送信したランダムアクセスプリアンブルと同一のランダムアクセスプリアンブルの区分子を有する有効なランダムアクセス応答を受信することができない場合、ランダムアクセス応答の受信は失敗したと見なされ、その後、端末はプリアンブルの再送信を行うことができる。
【００９８】
（３）第３メッセージ（Ｍｓｇ  ３、ｍｅｓｓａｇｅ  ３）
【００９９】
端末が自身に有効なランダムアクセス応答を受信した場合には、前記ランダムアクセス応答に含まれた情報を各々処理する。即ち、端末はＴＡＣを適用させ、ＴＣ−ＲＮＴＩを格納する。また、ＵＬグラントを用いて、端末のバッファーに格納されたデータまたは新たに生成されたデータを基地局に送信する。
【０１００】
端末の最初の接続の場合、ＲＲＣ層で生成され、ＣＣＣＨを介して伝達されたＲＲＣ連結要求（ＲＲＣ  Ｃｏｎｎｅｃｔｉｏｎ  Ｒｅｑｕｅｓｔ）が第３メッセージに含まれて送信されることができ、ＲＲＣ連結再確立手続の場合、ＲＲＣ層で生成され、ＣＣＣＨを介して伝達されたＲＲＣ連結再確立要求（ＲＲＣ  Ｃｏｎｎｅｃｔｉｏｎ  Ｒｅ−ｅｓｔａｂｌｉｓｈｍｅｎｔ  Ｒｅｑｕｅｓｔ）が第３メッセージに含まれて送信されることができる。また、ＮＡＳ接続要求のメッセージを含むこともできる。
【０１０１】
第３メッセージは端末の識別子が含まれなければならない。端末の識別子を含ませる方法としては、二つの方法が存在する。第一の方法は、端末が前記ランダムアクセス手続以前に既に該当セルから割り当てられた有効なセル識別子（Ｃ−ＲＮＴＩ）を有していたならば、端末は前記ＵＬグラントに対応するアップリンク送信信号を介して自身のセル識別子を送信する。反面、もしランダムアクセス手続以前に有効なセル識別子が割り当てられなかったならば、端末は自身の固有の識別子（例えば、Ｓ−ＴＭＳＩ（ＳＡＥ  ｔｅｍｐｏｒａｒｙ  ｍｏｂｉｌｅ  ｓｕｂｓｃｒｉｂｅｒ  ｉｄｅｎｔｉｔｙ）又は任意の値（ｒａｎｄｏｍ  ｎｕｍｂｅｒ））を含んで送信する。一般的に前記固有の識別子は、Ｃ−ＲＮＴＩよりも長い。
【０１０２】
端末は、前記ＵＬグラントに対応するデータを送信したならば、競合解決のためのタイマー（ｃｏｎｔｅｎｔｉｏｎ  ｒｅｓｏｌｕｔｉｏｎ  ｔｉｍｅｒ）を開始する。
【０１０３】
（４）第４メッセージ（Ｍｓｇ  ４、ｍｅｓｓａｇｅ  ４）
【０１０４】
基地局は、端末から第３メッセージを介して該当端末のＣ−ＲＮＴＩを受信した場合、受信したＣ−ＲＮＴＩを用いて端末に第４メッセージを送信する。反面、端末から第３メッセージを介して前記固有の識別子（即ち、Ｓ−ＴＭＳＩ又は任意の値（ｒａｎｄｏｍ  ｎｕｍｂｅｒ））を受信した場合、ランダムアクセス応答で該当端末に割り当てたＴＣ−ＲＮＴＩを用いて第４メッセージを端末に送信する。一例として、第４メッセージは、ＲＲＣ連結設定のメッセージ（ＲＲＣ  Ｃｏｎｎｅｃｔｉｏｎ  Ｓｅｔｕｐ） を含むことができる。
【０１０５】
端末は、ランダムアクセス応答に含まれたＵＬグラントを介して自身の識別子を含んだデータを送信した後、競合解決のために基地局の指示を待つ。即ち、特定のメッセージを受信するためにＰＤＣＣＨの受信を試みる。前記ＰＤＣＣＨを受信する方法においても二つの方法が存在する。前記で言及したように、前記ＵＬグラントに対応して送信された第３メッセージが自身の識別子がＣ−ＲＮＴＩである場合、自身のＣ−ＲＮＴＩを用いてＰＤＣＣＨの受信を試みて、前記識別子が固有の識別子（即ち、Ｓ−ＴＭＳＩ又は任意の値（ｒａｎｄｏｍ  ｎｕｍｂｅｒ））である場合には、ランダムアクセス応答に含まれたＴＣ−ＲＮＴＩを用いてＰＤＣＣＨの受信を試みる。その後、前者の場合、もし前記競合解決のタイマーが満了となる前に自身のＣ−ＲＮＴＩを介してＰＤＣＣＨを受信した場合に、端末は正常にランダムアクセス手続が行われたと判断し、ランダムアクセス手続を終了する。後者の場合には、前記競合解決のタイマーが満了となる前にＴＣ−ＲＮＴＩを介してＰＤＣＣＨを受信したならば、前記ＰＤＣＣＨの指示するＰＤＳＣＨが伝達するデータを確認する。もし前記データの内容に自身の固有の識別子が含まれていれば、端末は正常にランダムアクセス手続が行われたと判断し、ランダムアクセス手続を終了する。第４メッセージを介して端末はＣ−ＲＮＴＩを獲得し、その後、端末とネットワークはＣ−ＲＮＴＩを用いて端末の特定メッセージ（ｄｅｄｉｃａｔｅｄ  ｍｅｓｓａｇｅ）を送受信することになる。
【０１０６】
一方、非競合ベース任意接続の過程での動作は、図６に示された競合ベース任意接続の過程と異なり、第１メッセージの送信及び第２メッセージの送信だけで任意接続手続が終了することになる。但し、第１メッセージとして端末が基地局に任意接続プリアンブルを送信する前に、端末は基地局から任意接続のプリアンブルを割り当てられ、この割り当てられた任意接続プリアンブルを基地局に第１メッセージとして送信し、基地局から任意接続応答を受信することによって任意接続手続が終了することになる。
【０１０７】
以下、本明細書で使用される用語に対する説明は次の通りである。
【０１０８】
−  専用ベアラー（Ｄｅｄｉｃａｔｅｄ  ｂｅａｒｅｒ）：ＵＥ内のアップリンクパケットフィルタとＰ−ＧＷ内のダウンリンクパケットフィルタと関連したＥＰＳベアラーである。ここで、フィルタは、特定のパケットのみがマッチングされる。
【０１０９】
−  基本ベアラー（Ｄｅｆａｕｌｔ  ｂｅａｒｅｒ）：毎新しいＰＤＮの連結として確立されるＥＰＳベアラーである。基本ベアラーのコンテキストはＰＤＮ連結の寿命時間（ｌｉｆｅｔｉｍｅ）間に維持される。
【０１１０】
−  ＥＭＭ（ＥＰＳ  Ｍｏｂｉｌｉｔｙ  Ｍａｎａｇｅｍｅｎｔ）−ナル（ＥＭＭ−ＮＵＬＬ）状態：ＵＥ内のＥＰＳサービスが非活性となる。如何なるＥＰＳ移動性管理機能も行われない。
【０１１１】
−  ＥＭＭ非登録（ＥＭＭ−ＤＥＲＥＧＩＳＴＥＲＥＤ）状態：ＥＭＭ非登録の状態で、ＥＭＭコンテキストが確立されず、ＵＥの位置はＭＭＥに知らせない。従って、ＭＭＥによりＵＥが接近可能ではない（ｕｎｒｅａｃｈａｂｌｅ）。ＥＭＭコンテキストを確立するために、ＵＥはアタッチ（Ａｔｔａｃｈ）又は結合されたアタッチ（ｃｏｍｂｉｎｅｄ  Ａｔｔａｃｈ）手続を始めなければならない。
【０１１２】
−  ＥＭＭ−登録（ＥＭＭ−ＲＥＧＩＳＴＥＲＥＤ）状態：ＥＭＭ−登録の状態で、ＵＥ内のＥＭＭコンテキストが確立されており、基本（ｄｅｆａｕｌｔ）ＥＰＳベアラーコンテキストが活性化されている。ＵＥがＥＭＭ−ＩＤＬＥモードにある時、ＵＥの位置はＴＡの特定の番号を含むＴＡのリストの正確度でＭＭＥに知らせる。ＵＥはユーザーデータ及びシグナリング情報の送受信を開始することができ、ページングに応答することができる。また、ＴＡＵ又は結合されたＴＡＵ（ｃｏｍｂｉｎｅｄ  ＴＡＵ）手続が行われる。
【０１１３】
−  ＥＭＭ−連結（ＥＭＭ−ＣＯＮＮＥＣＴＥＤ）モード：ＵＥとネットワーク間にＮＡＳシグナリング連結が確立される時、ＵＥはＥＭＭ−連結モードである。ＥＭＭ−連結の用語は、ＥＣＭ−連結状態の用語とも指称され得る。
【０１１４】
−  ＥＭＭ−アイドル（ＥＭＭ−ＩＤＬＥ）モード：ＵＥとネットワーク間にＮＡＳシグナリング連結が存在しないか（即ち、留保の指示がないＥＭＭ−ＩＤＬＥモード）、又はＲＲＣ連結留保（ＲＲＣ  ｃｏｎｎｅｃｔｉｏｎ  ｓｕｓｐｅｎｄ）が下位層により指示された時（即ち、留保の指示を伴ったＥＭＭ−ＩＤＬＥモード）、ＵＥはＥＭＭ−ＩＤＬＥモードである。ＥＭＭ−ＩＤＬＥの用語は、ＥＣＭ−ＩＤＬＥ状態の用語とも指称され得る。
【０１１５】
−  ＥＭＭコンテキスト（ＥＭＭ  ｃｏｎｔｅｘｔ）：アタッチ（Ａｔｔａｃｈ）手続が成功的に完了すると、ＥＭＭコンテキストはＵＥ及びＭＭＥ内に確立される。
【０１１６】
−  コントロールプレーン（Ｃｏｎｔｒｏｌ  ｐｌａｎｅ）ＣＩｏＴ  ＥＰＳの最適化：ＭＭＥを経由してコントロールプレーンを介したユーザーデータ（ＩＰ、非ＩＰ又はＳＭＳ）の効率的な伝達（ｔｒａｎｓｐｏｒｔ）を可能にするシグナリングの最適化。選択的にＩＰデータのヘッダー圧縮（ｈｅａｄｅｒ  ｃｏｍｐｒｅｓｓｉｏｎ）を含むことができる。
【０１１７】
−  ユーザープレーン（Ｕｓｅｒ  Ｐｌａｎｅ）ＣＩｏＴ  ＥＰＳ最適化：ユーザープレーンを介したユーザーデータ（ＩＰ又は非ＩＰ）の効率的な伝達を可能にするシグナリングの最適化。
【０１１８】
−  ＥＰＳサービス：ＰＳドメインによって提供されるサービス。
【０１１９】
−  ＮＡＳシグナリングの連結：ＵＥとＭＭＥ間のピア対ピア（ｐｅｅｒ−ｔｏ−ｐｅｅｒ）のＳ１モード連結。ＮＡＳシグナリングの連結は、ＬＴＥ−Ｕｕのインターフェースを経由するＲＲＣ連結とＳＩのインターフェースを経由するＳ１ＡＰ連結の連鎖（ｃｏｎｃａｔｅｎａｔｉｏｎ）で構成される。
【０１２０】
−  コントロールプレーンＣＩｏＴ  ＥＰＳの最適化を伴うＥＰＳサービス（ＥＰＳ  ｓｅｒｖｉｃｅｓ  ｗｉｔｈ  ｃｏｎｔｒｏｌ  ｐｌａｎｅ  ＣＩｏＴ  ＥＰＳ  ｏｐｔｉｍｉｚａｔｉｏｎ）を使用するＵＥ：ネットワークにより許可されたコントロールプレーンＣＩＯＴ  ＥＰＳの最適化を伴うＥＰＳサービスのためにアタッチ（ａｔｔａｃｈ）されたＵＥ。
【０１２１】
−  ＮＡＳ（Ｎｏｎ−Ａｃｃｅｓｓ  Ｓｔｒａｔｕｍ）：ＵＭＴＳ、ＥＰＳプロトコルスタックで端末とコアネットワーク間のシグナリング、トラフィックメッセージをやり取りするための機能的な層。端末の移動性を支援し、端末とＰＤＮ  ＧＷ間のＩＰ連結を確立及び維持するセッション管理手続を支援することを主な機能とする。
【０１２２】
−  ＡＳ（Ａｃｃｅｓｓ  Ｓｔｒａｔｕｍ）：Ｅ−ＵＴＲＡＮ（ｅＮＢ）とＵＥ間又はＥ−ＵＴＲＡＮ（ｅＮＢ）とＭＭＥ間のインターフェースプロトコル（ｉｎｔｅｒｆａｃｅ  ｐｒｏｔｏｃｏｌ）上でＮＡＳ層の下のプロトコル層を意味する。例えば、コントロールプレーンプロトコルスタックで、ＲＲＣ層、ＰＤＣＰ層、ＲＬＣ層、ＭＡＣ層、ＰＨＹ層を通称するか、このうち何れかの層をＡＳ層と指称することができる。または、ユーザープレーンプロトコルスタックで、ＰＤＣＰ層、ＲＬＣ層、ＭＡＣ層、ＰＨＹ層を通称するか、このうち何れかの層をＡＳ層と指称することができる。
【０１２３】
−  Ｓ１モード（Ｓ１  ｍｏｄｅ）：無線アクセスネットワークとコアネットワーク間のＳ１のインターフェースの使用による機能的な分離を有するシステムに適用されるモードを意味する。Ｓ１モードは、ＷＢ−Ｓ１モードとＮＢ−Ｓ１モードを含む。
【０１２４】
−  ＮＢ−Ｓ１モード（ＮＢ−Ｓ１  ｍｏｄｅ）：ＵＥのサービング無線アクセスネットワークが狭帯域（ＮＢ：Ｎａｒｒｏｗ  Ｂａｎｄ）−ＩｏＴ（Ｉｎｔｅｒｎｅｔ  ｏｆ  Ｔｈｉｎｇｓ）による（Ｅ−ＵＴＲＡを経由した）ネットワークサービスへのアクセスを提供する時、ＵＥはこのモードが適用される。
【０１２５】
−  ＷＢ−Ｓ１モード（ＷＢ−Ｓ１  ｍｏｄｅ）：システムがＳ１モードで動作するが、ＮＢ−Ｓ１モードでなければ、このモードが適用される。
【０１２６】
サービスタイプとＶ２Ｘ周波数との間のマッピング
【０１２７】
３ＧＰＰでサービスタイプとＶ２Ｘ周波数との間のマッピングを支援するための設定パラメータ（ｃｏｎｆｉｇｕｒａｔｉｏｎ  ｐａｒａｍｅｔｅｒ）の追加に関して、寄稿が承認された。これについて見る。
【０１２８】
５．２．４  ＰＣ５（即ち、ＵＥ間の直接インターフェース）を介したＶ２Ｘ通信のための設定パラメータ
【０１２９】
ＰＣ５を介したＶ２Ｘ通信のための設定パラメータは次を含む：
【０１３０】
ａ）ＰＣ５を介したＶ２Ｘ通信のための設定パラメータの有効性（ｖａｌｉｄｉｔｙ）のための満了時間（ｅｘｐｉｒａｔｉｏｎ  ｔｉｍｅ）；
【０１３１】
ｂ）ＵＥがＥ−ＵＴＲＡＮによってサービスされるモード（「ｓｅｒｖｅｄ  ｂｙ  Ｅ−ＵＴＲＡＮ」）であるとき、ＵＥがＰＣ５を介したＶ２Ｘ通信を使用するように許可された（ａｕｔｈｏｒｉｚｅｄ）ＰＬＭＮのリスト；
【０１３２】
ｃ）ＵＥがＥ−ＵＴＲＡＮによってサービスされないモード（「ｎｏｔ  ｓｅｒｖｅｄ  ｂｙ  Ｅ−ＵＴＲＡＮ」）であるとき、ＵＥがＰＣ５を介したＶ２Ｘ通信を使用するように許可（ａｕｔｈｏｒｉｚｅｄ）されたかを指示；
【０１３３】
ｄ）地理的領域当たり：
【０１３４】
１）ＵＥが「Ｅ−ＵＴＲＡＮによってサービスされないとき、且つＵＥが地理的領域内に位置するとき、適用可能なＰＣ５を介したＶ２Ｘ通信を無線パラメータ、及びこれらの無線パラメータが「運営者によって管理される（ｏｐｅｒａｔｏｒ  ｍａｎａｇｅｄ）」パラメータであるか、又は「運営者によって管理されない（ｎｏｎ−ｏｐｅｒａｔｏｒ  ｍａｎａｇｅｄ）」パラメータであるかを指示
【０１３５】
ｅ）ＰＣ５を介したＶ２Ｘ通信のために許可された（ａｕｔｈｏｒｉｚｅｄ）Ｖ２Ｘサービスのリスト。リストの各項目（ｅｎｔｒｙ）は次を含む：
【０１３６】
１）Ｖ２Ｘサービス識別子（Ｖ２Ｘ  ｓｅｒｖｉｃｅ  ｉｄｅｎｔｉｆｉｅｒ）；及び
２）宛先第２層識別子（ｄｅｓｔｉｎａｔｉｏｎ  Ｌａｙｅｒ−２  ＩＤ）；
【０１３７】
ｆ）ＰＣ５を介したＶ２Ｘ通信のためのパケット遅延予算（ＰＤＢ：Ｐａｃｋｅｔ  Ｄｅｌａｙ  Ｂｕｄｇｅｔ）と近接性ベースサービス（ＰｒｏＳｅ：Ｐｒｏｘｉｍｉｔｙ−ｂａｓｅｄ  ｓｅｒｖｉｃｅｓ）パケット当たりの優先順位（ＰＰＰＰ：ＰｒｏＳｅ  Ｐｅｒ−Ｐａｃｋｅｔ  Ｐｒｉｏｒｉｔｙ）間のＰＰＰＰとＰＤＢマッピング規則；
【０１３８】
ｇ）選択的に、基本（ｄｅｆａｕｌｔ）宛先第２層識別子（ｄｅｓｔｉｎａｔｉｏｎ  Ｌａｙｅｒ−２  ＩＤ）；
【０１３９】
ｈ）選択的に、ＰＣ５を介したＶ２Ｘ通信のためのプライバシーの適用可能性のための設定、次を含む：
【０１４０】
１）ＰＣ５を介したＶ２Ｘ通信のためにＵＥによって自己に割り当てられた（ｓｅｌｆ−ａｓｓｉｇｎｅｄ）ソース第２層の識別子（ｓｏｕｒｃｅ  Ｌａｙｅｒ−２  ＩＤ）とソースＩＰ（Ｉｎｔｅｒｎｅｔ  Ｐｒｏｔｏｃｏｌ）アドレス（ＩＰデータのための）をどれくらいの頻度で変更すべきか指示するＴ５００タイマー；及び
【０１４１】
２）ＰＣ５を介したＶ２Ｘ通信のためのプライバシーを要求するＶ２Ｘサービスのリスト。リスト内の各項目は次を含む：
【０１４２】
Ａ）Ｖ２Ｘサービス識別子；及び
【０１４３】
Ｂ）選択的に、一つ又はそれ以上の関連した地理的領域；及び
【０１４４】
ｉ）選択的に、ＰＣ５を介したＶ２Ｘ通信のために関連した地理的領域を有する、Ｖ２Ｘサービス識別子とＶ２Ｘ周波数間のＶ２Ｘサービス識別子とＶ２Ｘ周波数へのマッピング規則
【０１４５】
６．１．２．１開始
【０１４６】
上位層は、ＵＥがＰＣ５を介したＶ２Ｘ通信を利用してＶ２Ｘサービス識別子によって識別されるＶ２ＸサービスのＶ２Ｘメッセージを送信するように要求することができる。
【０１４７】
上位層からの要求は次を含む：
【０１４８】
ａ）Ｖ２Ｘメッセージ；
【０１４９】
ｂ）Ｖ２ＸメッセージのためのＶ２ＸサービスのＶ２Ｘサービス識別子；
【０１５０】
ｃ）Ｖ２Ｘメッセージ内のデータタイプ（インターネットプロトコル（ＩＰ：Ｉｎｔｅｒｎｅｔ  Ｐｒｏｔｏｃｏｌ）又は非ＩＰ（ｎｏｎ−ＩＰ））；
【０１５１】
ｄ）Ｖ２Ｘメッセージが非ＩＰデータを含むと、Ｖ２Ｘメッセージ内のデータのＶ２Ｘメッセージのファミリー（ｆａｍｉｌｙ）；及び
【０１５２】
ｅ）Ｖ２Ｘメッセージの優先順位。
【０１５３】
上位層からＰＣ５を介したＶ２Ｘ通信を利用してＶ２Ｘサービス識別子によって識別されるＶ２ＸサービスのＶ２Ｘメッセージを送信するように要求を受信すると、ＵＥは次の手続を行う：
【０１５４】
ａ）もし、次の条件が満たされると：
【０１５５】
１）ＵＥがＥ−ＵＴＲＡＮによってサービスされるモードである（「ｓｅｒｖｅｄ  ｂｙ  Ｅ−ＵＴＲＡＮ」）；
【０１５６】
２）ＵＥがＥ−ＵＴＲＡＮセルによって提供される無線資源（即ち、キャリア周波数）を使用しようとする；
【０１５７】
３）ＵＥがＥ−ＵＴＲＡＮによってサービスされるとき、登録されたＰＬＭＮが、ＵＥがＰＣ５を介したＶ２Ｘ通信を利用するように許可されたＰＬＭＮリスト内に属する；
【０１５８】
４）Ｖ２ＸサービスのＶ２Ｘサービス識別子がＰＣ５を介したＶ２Ｘ通信のために許可されたＶ２Ｘサービスのリスト内に含まれるか、又はＵＥがＰＣ５を介したＶ２Ｘ通信のための基本宛先第２層識別子（ｄｅｓｔｉｎａｔｉｏｎ  Ｌａｙｅｒ−２  ＩＤ（Ｉｄｅｎｔｉｆｉｅｒ））に設定される；
【０１５９】
この場合、ＵＥは次のように動作する：
【０１６０】
１）ＵＥがＰＣ５を介したＶ２Ｘ通信のためのＶ２Ｘ周波数のマッピング規則に対するＶ２Ｘサービス識別子が設定されると、且つ現在の地理的領域内Ｖ２ＸメッセージのためのＶ２ＸサービスのＶ２Ｘサービス識別子と関連した一つ以上のＶ２Ｘ周波数があると、Ｖ２ＸメッセージのためのＶ２ＸサービスのＶ２Ｘサービス識別子と関連した一つ以上のＶ２Ｘ周波数を下位層に伝達する；
【０１６１】
２）３ＧＰＰ  ＴＳ  ２４．３３４  １０．２．２節で規定されたように、ＰＣ５を介したＶ２Ｘ通信のための無線資源を要求する；及び
【０１６２】
３）６．１．２．２節で規定されたように、ＰＣ５を介したＶ２Ｘ通信の送信を行う。
【０１６３】
ｂ）反面、次の条件が満たされると：
【０１６４】
１）ＵＥが：
【０１６５】
Ａ）Ｅ−ＵＴＲＡＮによってサービスされないモードである（「ｎｏｔ  ｓｅｒｖｅｄ  ｂｙ  Ｅ−ＵＴＲＡＮ」）；又は
【０１６６】
Ｂ）もし、ＵＥが制限されたサービス状態（ｌｉｍｉｔｅｄ  ｓｅｒｖｉｃｅ  ｓｔａｔｅ）である理由が次の何れかに該当すると、ｌｉｍｉｔｅｄ  ｓｅｒｖｉｃｅ  ｓｔａｔｅで；
【０１６７】
ｉ）ＵＥが選択されたＰＬＭＮ内で好適なセル（ｓｕｉｔａｂｌｅ  ｃｅｌｌ）を見つけることができない場合；
【０１６８】
ｉｉ）ＵＥがＥＭＭ原因＃１１「ＰＬＭＮが許可されない（ＰＬＭＮ  ｎｏｔ  ａｌｌｏｗｅｄ）」を含むアタッチ拒絶（ＡＴＴＡＣＨ  ＲＥＪＥＣＴ）メッセージ又はトラッキング領域更新拒絶（ＴＲＡＣＫＩＮＧ  ＡＲＥＡ  ＵＰＤＡＴＥ  ＲＥＪＥＣＴ）メッセージ又はサービス拒絶（ＳＥＲＶＩＣＥ  ＲＥＪＥＣＴ）メッセージを受信するか、又はＵＥがＥＭＭ原因＃１１「ＰＬＭＮが許可されない（ＰＬＭＮ  ｎｏｔ  ａｌｌｏｗｅｄ）」を含む位置更新拒絶（ＬＯＣＡＴＩＯＮ  ＵＰＤＡＴＩＮＧ  ＲＥＪＥＣＴ）メッセージ又はＧＰＲＳアタッチ拒絶（ＧＰＲＳ  ＡＴＴＡＣＨ  ＲＥＪＥＣＴ）メッセージ又はルーティング領域更新拒絶（ＲＯＵＴＩＮＧ  ＡＲＥＡ  ＵＰＤＡＴＥ  ＲＥＪＥＣＴ）メッセージを受信した場合；或いは
【０１６９】
ｉｉｉ）ＵＥがＥＭＭ原因＃７「ＥＰＳサービスが許可されない（ＥＰＳ  ｓｅｒｖｉｃｅｓ  ｎｏｔ  ａｌｌｏｗｅｄ）」を含むアタッチ拒絶メッセージ又はトラッキング領域更新拒絶メッセージ又はサービス拒絶メッセージを受信した場合、又はＥＭＭ原因＃７「ＧＰＲＳサービスが許可されない（ＧＰＲＳ  ｓｅｒｖｉｃｅｓ  ｎｏｔ  ａｌｌｏｗｅｄ）」を含む位置更新拒絶メッセージ又はＧＰＲＳアタッチ拒絶メッセージ又はルーティング領域更新拒絶メッセージ又はサービス拒絶メッセージを受信した場合；或いは
【０１７０】
Ｃ）前記のｉ）、ｉｉ）、ｉｉｉ）以外の理由で、制限されたサービス状態（ｌｉｍｉｔｅｄ  ｓｅｒｖｉｃｅ  ｓｔａｔｅ）であり、「運営者によって管理されない（ｎｏｎ−ｏｐｅｒａｔｏｒ  ｍａｎａｇｅｄ）」無線パラメータがプロビジョニング（ｐｒｏｖｉｓｉｏｎｉｎｇ）される地理的領域内に位置する；
【０１７１】
２）ＵＥがＥ−ＵＴＲＡＮによってサービスされないモードであるとき、ＵＥがＰＣ５を介したＶ２Ｘ通信を利用するように許可される；及び
【０１７２】
３）Ｖ２ＸサービスのＶ２Ｘサービス識別子がＰＣ５を介したＶ２Ｘ通信のために許可されたＶ２Ｘサービスのリスト内に含まれるか、又はＵＥがＰＣ５を介したＶ２Ｘ通信のための基本宛先第２層識別子（ｄｅｓｔｉｎａｔｉｏｎ  Ｌａｙｅｒ−２  ＩＤ（Ｉｄｅｎｔｉｆｉｅｒ））に設定される；
【０１７３】
この場合、ＵＥは次のように動作する：
【０１７４】
１）ＵＥがＰＣ５を介したＶ２Ｘ通信のためのＶ２Ｘ周波数のマッピング規則に対するＶ２Ｘサービス識別子が設定されると、且つ現在の地理的領域内Ｖ２ＸメッセージのためのＶ２ＸサービスのＶ２Ｘサービス識別子と関連した一つ以上のＶ２Ｘ周波数があると、Ｖ２ＸメッセージのためのＶ２ＸサービスのＶ２Ｘサービス識別子と関連した一つ以上のＶ２Ｘ周波数を下位層に伝達する；
【０１７５】
２）６．１．２．３節に規定されたように、ＰＣ５を介したＶ２Ｘ通信のための無線資源を選択する；及び
【０１７６】
３）６．１．２．２節に規定されたように、ＰＣ５を介したＶ２Ｘ通信の送信を行う；
【０１７７】
そうでなければ、ＵＥはＰＣ５を介したＶ２Ｘ通信を行わない。
【０１７８】
一方、３ＧＰＰでＶ２Ｘ通信のためのクロス−キャリア（ｃｒｏｓｓ−ｃａｒｒｉｅｒ）の動作を支援するために、Ｖ２Ｘ通信のためのＥ−ＵＴＲＡＮによってサービスされないモードを追加し、例外的にＵＥ動作を追加する寄稿が承認された。そのうち、主要な変更は次の通りである。
【０１７９】
後述する変更によると、ＵＥはネットワーク（例えば、ｅＮＢ、ｃｅｌｌ）が提供するキャリア周波数或いは運営（ｏｐｅｒａｔｉｎｇ）する周波数によって「Ｅ−ＵＴＲＡＮによってサービスされる（Ｓｅｒｖｅｄ  ｂｙ  Ｅ−ＵＴＲＡＮ）」か、「Ｅ−ＵＴＲＡＮによってサービスされない（Ｎｏｔ  ｓｅｒｖｅｄ  ｂｙ  Ｅ−ＵＴＲＡＮ）」か否かが決定される。その「Ｅ−ＵＴＲＡＮによってサービスされる（Ｓｅｒｖｅｄ  ｂｙ  Ｅ−ＵＴＲＡＮ）」か、「Ｅ−ＵＴＲＡＮによってサービスされない（Ｎｏｔ  ｓｅｒｖｅｄ  ｂｙ  Ｅ−ＵＴＲＡＮ）」か否かの決定によって、ＵＥは各選択による無線資源を獲得するための手続を行う。
【０１８０】
ＵＥが次のようであるとき、Ｖ２Ｘ通信のための「Ｅ−ＵＴＲＡＮによってサービスされない」モードと定義する：
【０１８１】
−  Ｅ−ＵＴＲＡＮカバレッジを外れるとき；
【０１８２】
−  Ｅ−ＵＴＲＡＮカバレッジ内であるが、どのセルにもキャンプ（ｃａｍｐ）しないとき；
【０１８３】
−  Ｅ−ＵＴＲＡＮカバレッジ内であるが、非-Ｅ-ＵＴＲＡＮ（ｎｏｎ−Ｅ−ＵＴＲＡＮ）セルにキャンプ（ｃａｍｐ）するとき；
【０１８４】
−  ＰＣ５を介したＶ２Ｘ通信がネットワークによって支援されると指示しないＥ−ＵＴＲＡＮセルにキャンプ（ｃａｍｐ）するとき；或いは
【０１８５】
−  ＰＣ５を介したＶ２Ｘ通信がネットワークによって支援されると指示する、且つＵＥが使用しようとするプロビジョニングされた（ｐｒｏｖｉｓｉｏｎｅｄ）キャリア周波数に属さないＰＣ５を介したＶ２Ｘ通信のためのキャリア周波数及び／又は無線資源を提供するＥ−ＵＴＲＡＮセルにキャンプ（ｃａｍｐ）するとき。
【０１８６】
Ｖ２Ｘサービス識別子：Ｖ２Ｘサービスのための識別子（例えば、Ｖ２Ｘアプリケーションの提供者サービス識別子（ＰＳＩＤ：Ｐｒｏｖｉｄｅｒ  Ｓｅｒｖｉｃｅ  Ｉｄｅｎｔｉｆｉｅｒ）又は知能型交通システム（ＩＴＳ：Ｉｎｔｅｌｌｉｇｅｎｔ  Ｔｒａｎｓｐｏｒｔ  Ｓｙｓｔｅｍ）アプリケーション識別子（ＩＴＳ−ＡＩＤ：ＩＴＳ  Ａｐｐｌｉｃａｔｉｏｎ  Ｉｄｅｎｔｉｆｉｅｒ））。
【０１８７】
上位層は、ＵＥがＰＣ５を介したＶ２Ｘ通信を利用してＶ２Ｘサービス識別子によって識別されるＶ２ＸサービスのＶ２Ｘメッセージを送信するように要求することができる。
【０１８８】
上位層からの要求は、次を含む：
【０１８９】
ａ）Ｖ２Ｘメッセージ；
【０１９０】
ｂ）Ｖ２ＸメッセージのためのＶ２ＸサービスのＶ２Ｘサービス識別子；
【０１９１】
ｃ）Ｖ２Ｘメッセージ内のデータタイプ（ＩＰ又は非ＩＰ）；
【０１９２】
ｄ）Ｖ２Ｘメッセージが非ＩＰデータを含むと、Ｖ２Ｘメッセージ内データのＶ２Ｘメッセージのファミリー（ｆａｍｉｌｙ）；及び
【０１９３】
ｅ）Ｖ２Ｘメッセージの優先順位。
【０１９４】
上位層からＰＣ５を介したＶ２Ｘ通信を利用してＶ２Ｘサービス識別子によって識別されるＶ２ＸサービスのＶ２Ｘメッセージを送信するように要求を受信すると、ＵＥは次の手続を行う：
【０１９５】
ａ）もし、次の条件が満たされると：
【０１９６】
１）ＵＥがＶ２Ｘ通信のためのＥ−ＵＴＲＡＮによってサービスされるモードである（「ｓｅｒｖｅｄ  ｂｙ  Ｅ−ＵＴＲＡＮ」）；
【０１９７】
２）ＵＥがＥ−ＵＴＲＡＮセルによって提供される無線資源（即ち、キャリア周波数）を使用しようとする；
【０１９８】
３）ＵＥがＶ２Ｘ通信のためにＥ−ＵＴＲＡＮによってサービスされるとき、登録されたＰＬＭＮが、ＵＥがＰＣ５を介したＶ２Ｘ通信を利用するように許可されたＰＬＭＮリスト内に属する；
【０１９９】
４）Ｖ２ＸサービスのＶ２Ｘサービス識別子がＰＣ５を介したＶ２Ｘ通信のために許可されたＶ２Ｘサービスのリスト内に含まれるか、又はＵＥがＰＣ５を介したＶ２Ｘ通信のための基本宛先第２層識別子（ｄｅｓｔｉｎａｔｉｏｎ  Ｌａｙｅｒ−２  ＩＤ（Ｉｄｅｎｔｉｆｉｅｒ））に設定される；
【０２００】
この場合、ＵＥは次のように動作する：
【０２０１】
１）３ＧＰＰ  ＴＳ  ２４．３３４  １０．２．２節で規定されたように、ＰＣ５を介したＶ２Ｘ通信のための無線資源を要求する；且つ
【０２０２】
２）３ＧＰＰ  ＴＳ  ２４．３８６  ６．１．２．２節で規定されたように、ＰＣ５を介したＶ２Ｘ通信の送信を行う。
【０２０３】
ｂ）反面、次の条件が満たされると：
【０２０４】
１）ＵＥが：
【０２０５】
Ａ）Ｖ２Ｘ通信のためのＥ−ＵＴＲＡＮによってサービスされないモードである（「ｎｏｔ  ｓｅｒｖｅｄ  ｂｙ  Ｅ−ＵＴＲＡＮ」）；或いは
【０２０６】
Ｂ）もし、ＵＥがｌｉｍｉｔｅｄ  ｓｅｒｖｉｃｅ  ｓｔａｔｅである理由が次の何れかに該当すると、ｌｉｍｉｔｅｄ  ｓｅｒｖｉｃｅ  ｓｔａｔｅにおいて；
【０２０７】
ｉ）ＵＥが選択されたＰＬＭＮ内で好適なセル（ｓｕｉｔａｂｌｅ  ｃｅｌｌ）を見つけることができない場合；
【０２０８】
ｉｉ）ＵＥがＥＭＭ原因＃１１「ＰＬＭＮが許可されない（ＰＬＭＮ  ｎｏｔ  ａｌｌｏｗｅｄ）」を含むアタッチ拒絶（ＡＴＴＡＣＨ  ＲＥＪＥＣＴ）メッセージ又はトラッキング領域更新拒絶（ＴＲＡＣＫＩＮＧ  ＡＲＥＡ  ＵＰＤＡＴＥ  ＲＥＪＥＣＴ）メッセージ又はサービス拒絶（ＳＥＲＶＩＣＥ  ＲＥＪＥＣＴ）メッセージを受信するか、又はＵＥがＥＭＭ原因＃１１「ＰＬＭＮが許可されない（ＰＬＭＮ  ｎｏｔ  ａｌｌｏｗｅｄ）」を含む位置更新拒絶（ＬＯＣＡＴＩＯＮ  ＵＰＤＡＴＩＮＧ  ＲＥＪＥＣＴ）メッセージ又はＧＰＲＳアタッチ拒絶（ＧＰＲＳ  ＡＴＴＡＣＨ  ＲＥＪＥＣＴ）メッセージ又はルーティング領域更新拒絶（ＲＯＵＴＩＮＧ  ＡＲＥＡ  ＵＰＤＡＴＥ  ＲＥＪＥＣＴ）メッセージを受信した場合；又は
【０２０９】
ｉｉｉ）ＵＥがＥＭＭ原因＃７「ＥＰＳサービスが許可されない（ＥＰＳ  ｓｅｒｖｉｃｅｓ  ｎｏｔ  ａｌｌｏｗｅｄ）」を含むアタッチ拒絶メッセージ又はトラッキング領域更新拒絶メッセージ又はサービス拒絶メッセージを受信した場合、又はＥＭＭ原因＃７「ＧＰＲＳサービスが許可されない（ＧＰＲＳ  ｓｅｒｖｉｃｅｓ  ｎｏｔ  ａｌｌｏｗｅｄ）」を含む位置更新拒絶メッセージ又はＧＰＲＳアタッチ拒絶メッセージ又はルーティング領域更新拒絶メッセージ又はサービス拒絶メッセージを受信した場合；或いは
【０２１０】
Ｃ）前記のｉ）、ｉｉ）、ｉｉｉ）以外の理由でｌｉｍｉｔｅｄ  ｓｅｒｖｉｃｅ  ｓｔａｔｅであり、「運営者により管理されない（ｎｏｎ−ｏｐｅｒａｔｏｒ  ｍａｎａｇｅｄ）」無線パラメータがプロビジョニング（ｐｒｏｖｉｓｉｏｎｉｎｇ）される地理的領域内に位置する；
【０２１１】
２）ＵＥがＶ２Ｘ通信のためにＥ−ＵＴＲＡＮによってサービスされないモードであるとき、ＵＥがＰＣ５を介したＶ２Ｘ通信を利用するように許可される；及び
【０２１２】
３）Ｖ２ＸサービスのＶ２Ｘサービス識別子がＰＣ５を介したＶ２Ｘ通信のために許可されたＶ２Ｘサービスのリスト内に含まれるか、又はＵＥがＰＣ５を介したＶ２Ｘ通信のための基本宛先第２層識別子（ｄｅｓｔｉｎａｔｉｏｎ  Ｌａｙｅｒ−２  ＩＤ（Ｉｄｅｎｔｉｆｉｅｒ））に設定される；
【０２１３】
この場合、ＵＥは次のように動作する：
【０２１４】
１）６．１．２．３節に規定されたように、ＰＣ５を介したＶ２Ｘ通信のための無線資源を選択する；且つ
【０２１５】
２）６．１．２．２節に規定されたように、ＰＣ５を介したＶ２Ｘ通信の送信を行う；
【０２１６】
そうでなければ、ＵＥはＰＣ５を介したＶ２Ｘ通信を行わない。
【０２１７】
もし、ＵＥがＰＣ５を介したＶ２Ｘ通信がネットワークによって支援されると指示するが、ＰＣ５を介したＶ２Ｘ通信のためのどのキャリア周波数及び無線資源をブロードキャスティングしないＥ−ＵＴＲＡＮセルにキャンプ（ｃａｍｐ）すると、ＵＥは３ＧＰＰ  ＴＳ  ２４．３３４  １０．２．２節で規定されたように、ＰＣ５を介したＶ２Ｘ通信のための無線資源を要求する。
【０２１８】
ＵＥがＥ−ＵＴＲＡＮによってサービスされる（ｓｅｒｖｅｄ  ｂｙ  Ｅ−ＵＴＲＡＮ）モードであるとき、ＰＣ５を介したＶ２Ｘ通信のための無線資源を要求する手続
【０２１９】
以下、ＵＥがＥ−ＵＴＲＡＮによってサービスされる場合、無線資源を要求する方式について記述する。
【０２２０】
１０．２．２サービングＥ−ＵＴＲＡＮによって実行可能な（ｆａｃｉｌｉｔａｔｅｄ）ＰｒｏＳｅ直接通信
【０２２１】
ＵＥがＥ−ＵＴＲＡＮによってサービスされ（ｓｅｒｖｅｄ  ｂｙ  Ｅ−ＵＴＲＡＮ）Ｅ−ＵＴＲＡＮセルによって提供されたＰｒｏＳｅ無線資源（即ち、キャリア周波数）を用いることを希望するとき、ＵＥはＰｒｏＳｅ直接通信を送信するか、又は受信するためのパラメータを下位層に要求する。下位層がＰｒｏＳｅ直接通信がネットワークによって支援されると指示する時のみ、ＵＥは直接通信を行う。ＥＭＭ−ＩＤＬＥモードであるＵＥがＰｒｏＳｅ直接通信のための資源を要求すべき場合、ＵＥは３ＧＰＰ  ＴＳ２４．３０１内で規定されたように、サービス要求（ｓｅｒｖｉｃｅ  ｒｅｑｕｅｓｔ）手続又はトラッキング領域更新（ｔｒａｃｋｉｎｇ  ａｒｅａ  ｕｐｄａｔｅ）手続を行う。３ＧＰＰ  ＴＳ３６．３３１内に規定されたように、ＰｒｏＳｅ直接通信を受信するか、又は受信するための無線資源がｅＮＢにより提供されるとき、ＵＥはＰｒｏＳｅ直接通信を開始する。
【０２２２】
ＵＥがＥ−ＵＴＲＡＮによってサービスされない（ｎｏｔ  ｓｅｒｖｅｄ  ｂｙ  Ｅ−ＵＴＲＡＮ）モードであるとき、ＰＣ５を介したＶ２Ｘ通信のための無線資源を要求する手続
【０２２３】
ＵＥがＶ２Ｘ通信のためにＥ−ＵＴＲＡＮによってサービスされないとき（ｎｏｔ  ｓｅｒｖｅｄ  ｂｙ  Ｅ−ＵＴＲＡＮ）、ＵＥは次のようにＰＣ５を介したＶ２Ｘ通信のために使用される無線パラメータ（ｒａｄｉｏ  ｐａｒａｍｅｔｅｒｓ）を選択する：
【０２２４】
−  ＵＥが地理的領域（ｇｅｏｇｒａｐｈｉｃａｌ  ａｒｅａ）内に自身が位置すると自己判断でき、ＵＥに地理的領域のための無線パラメータがプロビジョニング（ｐｒｏｖｉｓｉｏｎｉｎｇ）されると、ＵＥは地理的領域と関連した無線パラメータを選択する；或いは
【０２２５】
−  他の全ての場合において、ＵＥはＰｒｏＳｅ直接通信を開始しない。
【０２２６】
ＵＥが３ＧＰＰ  ＲＡＴのカバレッジ内にあるとき、例えば、ＵＥはサービングＰＬＭＮから導出された情報を用いて、ＵＥが自身が特定の地理的領域内に位置すると決定することができる。また、ＵＥが３ＧＰＰ  ＲＡＴのカバレッジにないとき、ＵＥはローカル規定によって決定された他の技術（例えば、 全地球航法衛星システム（ＧＮＳＳ：Ｇｌｏｂａｌ  Ｎａｖｉｇａｔｉｏｎ  Ｓａｔｅｌｌｉｔｅ  Ｓｙｓｔｅｍ）を利用してＵＥが自身が特定の地理的領域内に位置すると決定することができる。
【０２２７】
ＰＣ５を介したＶ２Ｘ通信を開始する前にＵＥが「運営者によって管理される（ｏｐｅｒａｔｏｒ  ｍａｎａｇｅｄ）」無線パラメータを使用することを希望すると、ＵＥは選択された無線パラメータが他のセルに干渉を誘発せず、現在の位置内で用いられることができるかを下位層とチェックする。
【０２２８】
−  下位層が、使用がどんな干渉も誘発しないと指示すると、ＵＥはＰＣ５を介したＶ２Ｘ通信を開始する；或いは
【０２２９】
−  そうでなく、下位層がプロビジョニングされた無線資源（即ち、キャリア周波数）内で一つ以上のＰＬＭＮを報告すると、
【０２３０】
ａ）次のような条件が満たされると：
【０２３１】
１）下位層によって報告されたＰＬＭＮが登録されたＰＬＭＮ又は登録されたＰＬＭＮと同等のＰＬＭＮではない場合；
【０２３２】
２）下位層によって報告されたＰＬＭＮの少なくとも一つがＰＣ５を介したＶ２Ｘ通信のために許可されたＰＬＭＮのリストに含まれ、ＰＣ５を介したＶ２Ｘ通信のための無線資源を提供する場合；及び
【０２３３】
３）ＵＥが緊急のＰＤＮ連結を有さない場合；
【０２３４】
そうすれば、ＵＥは次のように動作する：
【０２３５】
１）ＥＭＭ−ＩＤＬＥモードであると、ＰＣ５を介したＶ２Ｘ通信によってトリガーされたＰＬＭＮの選択を行う；或いは
【０２３６】
２）そうでなく、ＥＭＭ−連結モードであると、次のうちの一つを行う：
【０２３７】
ｉ）ディタッチ（ｄｅｔａｃｈ）手続を行い、ＰＣ５を介したＶ２Ｘ通信によってトリガーされたＰＬＭＮの選択を行う；或いは
【０２３８】
ｉｉ）ＰｒｏＳｅ直接通信を開始しない。
【０２３９】
ＵＥが前記のｉ）又はｉｉ）のうちどの動作を行うかはＵＥの具現に従う。
【０２４０】
ｂ）そうでなければ、ＵＥはＰＣ５を介したＶ２Ｘ通信を開始しない。
【０２４１】
選択されたＰＬＭＮへの登録が成功されると、ＵＥはＰＣ５を介したＶ２Ｘ通信を開始するための手続を行う。
【０２４２】
ＵＥが地理的領域と関連した無線パラメータを用いてＰＣ５を介したＶ２Ｘ通信を行う中に地理的領域を外れると、ＵＥはＰＣ５を介したＶ２Ｘ通信を行うことを中断する：
【０２４３】
−  ＵＥがＶ２Ｘ通信のためにＥ−ＵＴＲＡＮによってサービスされないと（ｎｏｔ  ｓｅｒｖｅｄ  ｂｙ  Ｅ−ＵＴＲＡＮ）、又はＵＥがサービングＥ−ＵＴＲＡＮセルによって動作（ｏｐｅｒａｔｅ）される無線資源以外のＰＣ５を介したＶ２Ｘ通信のための無線資源を用いることを希望すると、ＵＥは新たな地理的領域のための適切な無線パラメータを選択する；或いは
【０２４４】
−  ＵＥがＶ２Ｘ通信のためにＥ−ＵＴＲＡＮによってサービスされ（ｓｅｒｖｅｄ  ｂｙ  Ｅ−ＵＴＲＡＮ））、サービングＥ−ＵＴＲＡＮセルによって動作（ｏｐｅｒａｔｅ）されるＰＣ５を介したＶ２Ｘ通信のための無線資源を用いることを希望すると、ＵＥはＶ２Ｘ通信のためにＥ−ＵＴＲＡＮによってサービスされるとき、ＰＣ５を介したＶ２Ｘ通信を開始するための手続を行う。
【０２４５】
ＰＣ５を介したＶ２Ｘ通信によってトリガー（ｔｒｉｇｇｅｒ）されるＰＬＭＮの選択
【０２４６】
３．１Ｃ  ＰＣ５を介したＶ２Ｘ通信によってトリガーされたＰＬＭＮの選択
【０２４７】
ＭＳ（Ｍｏｂｉｌｅ  Ｓｔａｔｉｏｎ）がＰＣ５を介したＶ２Ｘ通信を支援し、ＰＣ５を介したＶ２Ｘ通信のためにＰＬＭＮの選択を行う必要があると、ＭＳは次のように行う：
【０２４８】
ｉ）このＰＣ５を介したＶ２Ｘ通信によるＰＬＭＮの選択がＰＣ５を介したＶ２Ｘ通信又はマニュアルＣＳＧ（Ｃｌｏｓｅｄ  Ｓｕｂｓｃｒｉｂｅ  Ｇｒｏｕｐ）の選択によるまた別のＰＬＭＮの選択に従わない限り、ＭＳはＰＣ５を介したＶ２Ｘ通信によりＰＬＭＮの選択が開始される前に用いられていたＰＬＭＮの選択モードの複写値及び登録されたＰＬＭＮ（ＲＰＬＭＮ：Ｒｅｇｉｓｔｅｒｅｄ  ＰＬＭＮの複写値を格納する；
【０２４９】
ｉｉ）ＭＳは後述する追加的な要求事項ｉｉｉ）乃至ｘ）を考慮し、ＰＬＭＮの選択の自動モードに進入する；
【０２５０】
ｉｉｉ）ＰＣ５を介したＶ２Ｘ通信のためにＭＳにプロビジョニングされた無線資源を運営するＥ−ＵＴＲＡセルによって広告されたＰＬＭＮのうち、ＭＳは次のような一つの許可可能なＰＬＭＮを選択する：
【０２５１】
１）ＰＣ５を介したＶ２Ｘ通信のための無線資源を提供するＰＬＭＮ；
【０２５２】
２）ＰＣ５を介したＶ２Ｘ通信のために許可されたＰＬＭＮのリストに属したＰＬＭＮ；及び
【０２５３】
３）「Ｅ−ＵＴＲＡＮにＰＬＭＮが許可されない」のリストに属さないＰＬＭＮ；
【０２５４】
前述した条件１）乃至３）が満たされると、ＭＳはＰＬＭＮに登録を試みる。前述した条件１）乃至３）の何れの条件で満たさなければ、ＭＳは格納された複写されたＰＬＭＮの選択モードに戻し、追加的な動作のために、格納されたＲＰＬＭＮの複写された値を使用する；
【０２５５】
ｉｖ）「ＰＬＭＮが許可されない」又は「ＥＰＳサービスが許可されない」ことによって登録が失敗されると、ＭＳは禁止されたＰＬＭＮの適切なリストを更新し、次を行う：
【０２５６】
Ａ）ＰＬＭＮがＰＣ５を介したＶ２Ｘ通信を行うためにＭＳによって必要な共通の無線資源を提供すると、ＭＳは制限されたサービス状態で選択されたＰＬＭＮ上でＰＣ５を介したＶ２Ｘ通信を行う。この場合、ＭＳはＰＣ５を介したＶ２Ｘ通信の区間の間に利用可能な、且つ許可可能なＰＬＭＮを探索しない；
【０２５７】
Ｂ）格納された複写されたＰＬＭＮの選択モードに戻し、追加された動作のために格納されたＲＰＬＭＮの複写された値を使用する；或いは
【０２５８】
Ｃ）ＭＳが登録に失敗したＰＬＭＮを除き、ＰＬＭＮの選択でｉｉｉ）で前述した動作を再度行う。
【０２５９】
ＭＳが前述したＡ）、Ｂ）又はＣ）を行うかは、ＭＳの具現に従う。
【０２６０】
ｖ）「ＰＬＭＮが許可されない」又は「ＥＰＳサービスが許可されない」ことによって登録が失敗すると、ＭＳは次を行う：
【０２６１】
−  失敗の処理が禁止されたＰＬＭＮのリストを更新を要求すると、適切なリストに更新する；且つ
【０２６２】
−    失敗の処理が禁止されたＰＬＭＮのリストを更新を要求しないと、ＭＳが登録に失敗したＰＬＭＮとして該当ＰＬＭＮを記憶する；
【０２６３】
そして、ＭＳは次のうち一つを行う：
【０２６４】
Ａ１）格納された複写されたＰＬＭＮの選択モードに戻し、以降の動作のために格納されたＲＰＬＭＮの複写された値を使用する；
【０２６５】
Ｂ１）ＭＳが登録に失敗したＰＬＭＮを除き、ＰＬＭＮの選択でｉｉｉ）で記述された動作を再度行う。
【０２６６】
Ｃ１）このＰＬＭＮ上の登録が以前にＰＬＭＮが許可されない」又は「ＥＰＳサービスが許可されない」ことによって失敗された場合、且つこのＰＬＭＮがＰＣ５を介したＶ２Ｘ通信を行うためにＭＳによって必要な共通の無線資源を提供すると、ＭＳはＰＣ５を介したＶ２Ｘ通信のためにＭＳでプロビジョニングされた無線資源内で動作するセルにより広告されたＰＬＭＮ上で制限されたサービス状態でＰＣ５を介したＶ２Ｘ通信を行う。この場合、ＭＳはＰＣ５を介したＶ２Ｘ通信の区間の間に利用可能な、且つ許可可能なＰＬＭＮの探索をしない；
【０２６７】
ＭＳが前述したＡ１）、Ｂ１）又はＣ１）を行うかはＭＳの具現に従う。
【０２６８】
ｖｉ）ＭＥが選択されたＰＬＭＮのカバレッジに位置しないと、ＵＥは次のうち一つを行う：
【０２６９】
Ａ２）プロビジョニングされた無線資源を用いてＰＣ５を介したＶ２Ｘ通信を行う；或いは
【０２７０】
Ｂ２）格納された複写されたＰＬＭＮの選択モードに戻し、追加動作のために格納されたＲＰＬＭＮの複写された値を用いる。
【０２７１】
ＭＳが前述したＡ２）又はＢ２）を行うかは、ＭＳの具現に従う。
【０２７２】
ｖｉｉ）ＭＳが選択されたＰＬＭＮ上で好適なセルを見つけることができなければ、ＭＳは次のうち一つを行う：
【０２７３】
Ａ３）ＰＬＭＮがＰＣ５を介したＶ２Ｘ通信を行うためにＭＳにより必要な共通の無線資源を提供すると、ＭＳは制限されたサービス状態で選択されたＰＬＭＮ上でＰＣ５を介したＶ２Ｘ通信を行う。この場合、ＭＳはＰＣ５を介したＶ２Ｘ通信の区間の間に利用可能な、且つ許可可能なＰＬＭＮの探索をしない；或いは
【０２７４】
Ｂ３）格納された複写されたＰＬＭＮの選択モードに戻し、追加動作のために格納されたＲＰＬＭＮの複写された値を用いる。
【０２７５】
ＭＳが前述したＡ３）又はＢ３）を行うかは、ＭＳの具現に従う。
【０２７６】
ｖｉｉｉ）ＭＳが選択されたＰＬＭＮにある間、電源がオフになり、再度オンになった場合、ＭＳはＲＰＬＭＮとして格納されたＲＰＬＭＮの複写された値を用いる；
【０２７７】
ｉｘ）ユーザーが選択されたセルにある間、ＰＬＭＮの選択を開始すると、ＭＳはＰＬＭＮの選択モードの格納された複写値を削除し、ＲＰＬＭＮとして格納されたＲＰＬＭＮの複写値を用いる。ＭＳが選択されたＰＬＭＮに成功的に登録されるとき、ＭＳはＲＰＬＭＮの格納された複写値を削除する；且つ
【０２７８】
ｘ）ＭＳがＰＣ５を介したＶ２Ｘ通信の実行をこれ以上必要としないと、ＭＳは格納された複写されたＰＬＭＮの選択モードに戻し、追加動作のためにＲＰＬＭＮの格納された複写値を用いる。
【０２７９】
ＰＣ５を介したＶ２Ｘ通信のために選択されたＰＬＭＮが訪問ＰＬＭＮ（ＶＰＬＭＮ：Ｖｉｓｉｔｅｄ  ＰＬＭＮ）であると、ＭＳはＰＣ５を介したＶ２Ｘ通信の区間の間に、より高い優先順位のＰＬＭＮを周期的にスキャンしない。
【０２８０】
ＰＣ５を介したＶ２Ｘ通信の実行方法
【０２８１】
前述した内容によると、ＵＥ（即ち、ＰｒｏＳｅ層）が送信すべきＶ２Ｘメッセージを受信すると、該当Ｖ２Ｘメッセージのサービスタイプを確認する。その後、現在の地理的領域に該当するサービスタイプとＶ２Ｘ（キャリア）周波数のマッピングを確認し、該当するＶ２Ｘ周波数を下位層（例えば、ＡＳ層（ＲＲＣ、ＰＤＣＰ、ＭＡＣ層等））にＶ２Ｘメッセージと共に伝達する。
【０２８２】
ＵＥにＰＣ５を介したＶ２Ｘ通信のためのＶ２Ｘサービス識別子とＶ２Ｘ周波数のマッピング規則が設定されると、且つ現在の地理的領域内のＶ２ＸメッセージのためのＶ２ＸサービスのＶ２Ｘサービス識別子と関連した一つ以上のＶ２Ｘ周波数が存在すると、ＵＥは下位層にＶ２ＸメッセージのためのＶ２ＸサービスのＶ２Ｘサービス識別子と関連した一つ以上のＶ２Ｘ周波数を伝達する。
【０２８３】
このとき、サービスタイプとマッピングがあるＶ２Ｘ周波数は一つ以上になってもよく、その一つ以上のＶ２Ｘ周波数が下位層に伝達される。
【０２８４】
しかし、クロスキャリアの動作に関して、ＵＥはネットワーク（ｅＮＢ又はセル）が提供するキャリア周波数又は動作する周波数に応じて、「Ｅ−ＵＴＲＡＮによってサービスされる（Ｓｅｒｖｅｄ  ｂｙ  Ｅ−ＵＴＲＡＮ）」か、「Ｅ−ＵＴＲＡＮによってサービスされない（Ｎｏｔ  ｓｅｒｖｅｄ  ｂｙ  Ｅ−ＵＴＲＡＮ）」か否かが決定される。また、「Ｓｅｒｖｅｄ  ｂｙ  Ｅ−ＵＴＲＡＮ」であるか、「Ｅ−ＵＴＲＡＮによってサービスされない（Ｎｏｔ  ｓｅｒｖｅｄ  ｂｙ  Ｅ−ＵＴＲＡＮ）」か否かの決定によって、ＵＥは各選択による無線資源を獲得するための手続を行う。
【０２８５】
［問題点１］
【０２８６】
前述したように、Ｖ２Ｘサービス毎に選択されたＶ２Ｘキャリア周波数が異なり得、選択されたＶ２Ｘキャリア周波数によって「Ｅ−ＵＴＲＡＮによってサービスされる」と「Ｅ−ＵＴＲＡＮによってサービスされない」が決定されることができる。このとき、選択したＶ２Ｘキャリア周波数が異なり、選択されたＶ２Ｘキャリア周波数によるモード（「Ｅ−ＵＴＲＡＮによってサービスされる」又は「Ｅ−ＵＴＲＡＮによってサービスされない」）が異なるＶ２Ｘサービスが同時に発生する場合、ＵＥは二つのモード（「Ｅ−ＵＴＲＡＮによってサービスされる」、「Ｅ−ＵＴＲＡＮによってサービスされない」）による動作を同時に行わなければならない。
【０２８７】
この場合、「Ｅ−ＵＴＲＡＮによってサービスされない」モードによる動作を行う場合、ＰＣ５を介したＶ２Ｘ通信によってトリガーされたＰＬＭＮの選択を行うことができ、これによって、「Ｅ−ＵＴＲＡＮによってサービスされる」動作を行う登録されたＰＬＭＮとは異なる、新たなＰＬＭＮに登録を行う場合が発生し得る。
【０２８８】
結果、ＵＥは一度に一つのＰＬＭＮにのみ登録しなければならないので、複数のＶ２Ｘサービスを同時に行うことができない場合が発生するという問題がある。
【０２８９】
［問題点２］
【０２９０】
従来のＵＥ−ＰｒｏＳｅ層がキャリア周波数を下位層（例えば、ＵＥ−ＲＲＣ層）に伝達すると、下位層はそのうち一つ以上のキャリア周波数を選択して送信を行う。この場合、下位層はただ一つのキャリア周波数のみを選択することもできる。
【０２９１】
もし、同一のＶ２Ｘメッセージを一つ以上のキャリア周波数上で同時に送信する必要がある場合、従来の方法では具現できない。例えば、特定のサービスに対してＡという地域ではキャリア周波数１が設定されており、Ｂという地域では、キャリア周波数２が設定されている場合、ＡとＢの境界地域ではキャリア周波数１と２に同時にＶ２Ｘメッセージを送信する必要がある。
【０２９２】
但し、このような状況で同一のＶ２Ｘメッセージを一つ以上のキャリア周波数上で同時に送信することができないという問題が発生する。
【０２９３】
従って、本発明に係る実施例では、前記のような問題を解決するために、ＰＣ５を介したＶ２Ｘ通信のために周波数を選択する方法を提案する。
【０２９４】
本明細書において、ＵＥがＥ−ＵＴＲＡＮによってサービスされる（ｓｅｒｖｅｄ  ｂｙ  Ｅ−ＵＴＲＡＮ）モードでＰＣ５を介したＶ２Ｘ通信を行うというのは、ネットワーク（例えば、ｅＮＢ）からサイドリンク（ｓｉｄｅｌｉｎｋ）（即ち、ＰＣ５）資源の提供を受け、サイドリンクの動作（例えば、ＰＣ５を介したＶ２Ｘ通信）を行うということを意味する。
【０２９５】
また、ＵＥがＥ−ＵＴＲＡＮによってサービスされない（Ｎｏｔ  ｓｅｒｖｅｄ  ｂｙ  Ｅ−ＵＴＲＡＮ）モードでＰＣ５を介したＶ２Ｘ通信を行うというのは、（ネットワークの助けを受けずに）予め設定された無線資源を用いて、サイドリンクの動作（例えば、ＰＣ５を介したＶ２Ｘ通信）を行うということを意味する。
【０２９６】
［実施例１］現在進行中の（ｏｎ−ｇｏｉｎｇ）Ｖ２Ｘサービスがない場合
【０２９７】
キャリア周波数の選択方法は次の通りである。
【０２９８】
新たに発生した新たなＶ２Ｘサービスに対するサービスタイプとキャリア周波数のマッピングによって導出されたキャリア周波数のうち、「Ｅ−ＵＴＲＡＮによってサービスされる」に該当するキャリア周波数が存在する場合、ＵＥは「Ｅ−ＵＴＲＡＮによってサービスされる」に該当するキャリア周波数を優先的に選択することができる。
【０２９９】
具体的に見ると次の通りである。
【０３００】
現在進行中のＶ２Ｘサービスがない場合：
【０３０１】
新たに発生した新たなＶ２Ｘサービスに対するサービスタイプとキャリア周波数のマッピングによって、導出されたキャリア周波数が一つ以上であってもよく、その結果によって次の場合が発生し得る：
【０３０２】
１．導出された全てのキャリア周波数が「Ｅ−ＵＴＲＡＮによってサービスされる」の場合 ；
【０３０３】
２．導出された全てのキャリア周波数が「Ｅ−ＵＴＲＡＮによってサービスされない」の場合；
【０３０４】
３．導出されたキャリア周波数のうち一部のキャリア周波数は、「Ｅ−ＵＴＲＡＮによってサービスされる」であり、一部は「Ｅ−ＵＴＲＡＮによってサービスされない」である場合；
【０３０５】
このとき、ＵＥは次のように動作する：
【０３０６】
前記のケースで１）と２）である場合、ＵＥは該当動作を行うことができる。即ち、１）の場合、ＵＥは「Ｅ−ＵＴＲＡＮによってサービスされる」動作を行い、２）の場合、「Ｅ−ＵＴＲＡＮによってサービスされない」動作を行うことができる。
【０３０７】
反面、３）の場合、ＵＥは「Ｅ−ＵＴＲＡＮによってサービスされる」を優先的に選択することができる。但し、この場合も、キャリア周波数の選択時、必ず特定のキャリア周波数を選択すべき場合は除外することができる。
【０３０８】
［実施例２］現在進行中の（ｏｎ−ｇｏｉｎｇ）Ｖ２Ｘサービスがある場合
【０３０９】
キャリア周波数の選択方法は次の通りである。
【０３１０】
新たに発生した新たなＶ２Ｘサービスに対するサービスタイプとキャリア周波数のマッピングによって導出されたキャリア周波数と、進行中のＶ２Ｘサービスに対するサービスタイプとキャリア周波数のマッピングによって導出されたキャリア周波数で共通するモード（即ち、「Ｅ−ＵＴＲＡＮによってサービスされる」又は「Ｅ−ＵＴＲＡＮによってサービスされない」）に該当するキャリア周波数がＶ２Ｘサービス毎に存在する場合、全てのＶ２Ｘサービスは共通するモードに該当するキャリア周波数を選択することができる。次の具現方法が可能である。
【０３１１】
Ａ．ＵＥは新たなＶ２Ｘサービスのためのキャリア周波数を進行中のＶ２Ｘサービスが行われているモードに該当するキャリア周波数を選択することができる。
【０３１２】
Ｂ．ＵＥは進行中のＶ２Ｘサービスのキャリア周波数を新たなＶ２Ｘサービスの選択されたキャリア周波数のモードに該当するキャリア周波数に変更することができる。
【０３１３】
Ｃ．新たなＶ２Ｘサービスのキャリア周波数は、進行中のＶ２Ｘサービスと独立に／関係なく選択して用いることができる。
【０３１４】
前記のＣ）の場合、ＵＥが不要なＰＬＭＮの選択を行わないように、ＵＥは次のように動作することが好ましい。これについて、下記の図７を参照して説明する。
【０３１５】
図７は、本発明の一実施例に係るＰＣ５を介したＶ２Ｘ通信のためにキャリア周波数の選択方法を例示する図である。
【０３１６】
「Ｅ−ＵＴＲＡＮによってサービスされる」で動作を通じてＶ２Ｘメッセージの送信を行う進行中のＶ２Ｘサービスがあり（他の進行中のＶ２Ｘサービスは「Ｅ−ＵＴＲＡＮによってサービスされない」で予め設定された無線資源でＶ２Ｘメッセージを送信していることがある）、新たに発生したＶ２Ｘメッセージの該当Ｖ２Ｘサービスが「Ｅ−ＵＴＲＡＮによってサービスされない」に該当するキャリア周波数を選択した場合（Ｓ７０１）、ＵＥ（例えば、ＡＳ又はＲＲＣ層）は選択したキャリア周波数を現在の位置で干渉を誘発せずに使用可能であるか確認する（Ｓ７０２）。
【０３１７】
Ｉ．干渉を与えない状況であると判断される場合、ＵＥは選択したキャリア周波数を介してＶ２Ｘ通信を使用することができる（Ｓ７０３）。
【０３１８】
ＩＩ．干渉を与える状況であると判断される場合（該当キャリア周波数で動作するセルが見える／存在する場合）、
【０３１９】
１．ＵＥは進行中のＶ２ＸサービスのＶ２Ｘサービスタイプとキャリア周波数のマッピングに該当するキャリア周波数と、新たなＶ２ＸサービスのＶ２Ｘサービスタイプとキャリア周波数のマッピングに該当するキャリア周波数をいずれも提供するセル（又はＰＬＭＮ）を優先的に見つける（キャリア周波数を提供するという意味は、「ＩｎｔｅｒＶ２ＸｆｒｅｑｕｅｎｃｙＬｉｓｔ」に該当キャリア周波数を含むか動作するキャリア周波数が該当キャリア周波数である場合をいずれも含む）（Ｓ７０４）。
【０３２０】
ａ）ＵＥはいずれも提供するセル（又はＰＬＭＮ）を見つけた場合、６．１．２．３節によって該当セル（又はＰＬＭＮ）に変更するためのセルの再選択／ハンドオーバー又はＰＣ５を介したＶ２Ｘ通信のためのＰＬＭＮの再選択を行う（Ｓ７０５）。
【０３２１】
ｂ）いずれも提供するセル（又はＰＬＭＮ）を見つけることができず、新たに発生したＶ２Ｘメッセージの該当Ｖ２ＸサービスのＶ２Ｘサービスタイプとキャリア周波数のマッピングに該当するキャリア周波数を提供するセルのみ見つけた場合、
【０３２２】
ｉ）ＵＥは進行中のＶ２ＸサービスのＶ２Ｘサービスタイプとキャリア周波数のマッピングに該当するキャリア周波数のうち、「Ｅ−ＵＴＲＡＮによってサービスされない」モードが可能であり、現在の位置で干渉なくＶ２Ｘ通信が可能なキャリア周波数を見つける（Ｓ７０６）。
【０３２３】
１）該当するキャリア周波数を見つけた場合、ＵＥは該当キャリア周波数を選択し、進行中のＶ２ＸサービスのためのＰＣ５を介したＶ２Ｘ通信を行う。また、ＵＥは新たなＶ２ＸサービスのＶ２Ｘサービスタイプとキャリア周波数のマッピングに該当するキャリア周波数を提供するセル（又はＰＬＭＮ）に変更するためのセルの再選択／ハンドオーバー又はＰＣ５を介したＶ２Ｘ通信のためのＰＬＭＮ再選択を行う（Ｓ７０７）。
【０３２４】
２）該当するキャリア周波数を見つけることができない場合、ＵＥはＰＰＰＰ基準に高い優先順位（即ち、低いＰＰＰＰ値を有する）を有するＶ２Ｘメッセージを先に処理する（Ｓ７０８）。
【０３２５】
即ち、最も低いＰＰＰＰ値を有するＶ２Ｘメッセージが進行中のＶ２Ｘサービスに該当する場合、ＵＥは現在登録されたＰＬＭＮとキャンプ（ｃａｍｐ）するセルで該当Ｖ２Ｘメッセージを送信するためのＰＣ５を介したＶ２Ｘ通信の送信動作を行う。
【０３２６】
つまり、最も低いＰＰＰＰ値を有するＶ２Ｘメッセージが新たに発生したＶ２Ｘメッセージの該当Ｖ２Ｘサービスである場合、ＵＥは新たなＶ２ＸサービスのＶ２Ｘサービスタイプとキャリア周波数のマッピングに該当するキャリア周波数を提供するセル（又はＰＬＭＮ）に変更し、該当Ｖ２Ｘメッセージを送信するためのＰＣ５を介したＶ２Ｘ通信の送信動作を行う。
【０３２７】
前記ＩＩ−１−ｂ−ｉ−２）の該当動作を行う場合、ＵＥは頻繁なセルの再選択／ハンドオーバー又はＰＣ５を介したＶ２Ｘ通信のためのＰＬＭＮの再選択を行う場合が発生し得る。従って、できるだけＩＩ−１−ｂ−ｉ−２）の状況は避けることが好ましい。このために、ＩＩ−１−ｂ−ｉ−２）である場合、ＵＥは前記で説明したキャリア周波数の選択方法のＡ）又はＢ）を選択することができる。
【０３２８】
また、前記ＩＩ−１）の動作を行うために、既存のＰＣ５を介したＶ２Ｘ通信によってトリガーされたＰＬＭＮの選択動作で追加的に次の動作が追加されることができる。
【０３２９】
１．ＵＥのＰｒｏＳｅ層が下位層（即ち、ＵＥのＡＳ層又はＵＥのＲＲＣ層）に「進行中のＶ２Ｘサービスと新たなＶ２Ｘサービスのための全てのキャリア周波数」を伝達する。
【０３３０】
２．下位層（即ち、ＵＥのＡＳ層又はＵＥのＲＲＣ層）は、受信したキャリア周波数をいずれも支援するセル／ＰＬＭＮを見つける。
【０３３１】
Ａ．該当セル／ＰＬＭＮを見つけた場合、従来技術によってセルの再選択又はハンドオーバーを行い、該当セルを選択して移動するか、ＰＣ５を介したＶ２Ｘ通信によってトリガーされたＰＬＭＮの選択を介して該当ＰＬＭＮに選択して移動する。
【０３３２】
３．下位層（即ち、ＵＥのＡＳ層又はＵＥのＲＲＣ層）は受信したキャリア周波数をいずれも支援するセル／ＰＬＭＮを見つけることができない場合、前記ＩＩ−１−ｂ）の動作を行う。
【０３３３】
前述したキャリア周波数の選択方法で、ＵＥがＡ）、Ｂ）、Ｃ）のどちらの動作を行うかを見ると次の通りである。
【０３３４】
Ｖ２ＸサービスのためのＶ２Ｘメッセージが発生したが、現在進行中のＶ２Ｘサービスがある場合（進行中のＶ２Ｘサービスが発生したＶ２Ｘサービスと同じ場合も含む）：
【０３３５】
現在進行中のＶ２Ｘサービスが行われる状態によって、次の場合が発生可能である：
【０３３６】
１．ＵＥが進行中のＶ２Ｘサービスのために、「Ｅ−ＵＴＲＡＮによってサービスされる」で動作する場合：
【０３３７】
ｉ．新たなＶ２Ｘサービスに対するサービスタイプとキャリア周波数のマッピングによって、導出されたキャリア周波数のうち全てが「Ｅ−ＵＴＲＡＮによってサービスされる」に該当するキャリア周波数である場合；
【０３３８】
ｉｉ．新たなＶ２Ｘサービスに対するサービスタイプとキャリア周波数のマッピングによって、導出されたキャリア周波数のうち一部が「Ｅ−ＵＴＲＡＮによってサービスされる」に該当するキャリア周波数が存在する場合；
【０３３９】
ｉｉｉ．新たなＶ２Ｘサービスに対するサービスタイプとキャリア周波数のマッピングによって、導出されたキャリア周波数のうち全てが「Ｅ−ＵＴＲＡＮによってサービスされない」に該当するキャリア周波数である場合；
【０３４０】
２．ＵＥが進行中のＶ２Ｘサービスのために「Ｅ−ＵＴＲＡＮによってサービスされない」で動作する場合（予め設定されたキャリア周波数で進行中のＶ２Ｘサービスに対するＰＣ５を介したＶ２Ｘ通信を進行中である場合）
【０３４１】
ｉ．新たなＶ２Ｘサービスに対するサービスタイプとキャリア周波数のマッピングによって、導出されたキャリア周波数のうち全てが「Ｅ−ＵＴＲＡＮによってサービスされない」に該当するキャリア周波数である場合；
【０３４２】
ｉｉ．新たなＶ２Ｘサービスに対するサービスタイプとキャリア周波数のマッピングによって、導出されたキャリア周波数のうち一部が「Ｅ−ＵＴＲＡＮによってサービスされない」に該当するキャリア周波数が存在する場合；
【０３４３】
ｉｉｉ．新たなＶ２Ｘサービスに対するサービスタイプとキャリア周波数のマッピングによって、導出されたキャリア周波数のうち全てが「Ｅ−ＵＴＲＡＮによってサービスされる」に該当するキャリア周波数である場合；
【０３４４】
前記の場合によるＵＥの動作は次の通りである。
【０３４５】
Ｉ．１−ｉ）である場合、ＵＥはキャリア周波数の選択方法でＡ）を選択することが好ましい。
【０３４６】
ＩＩ．１−ｉｉ）である場合、ＵＥはキャリア周波数の選択方法でＡ）、Ｃ）が可能である。
【０３４７】
ＩＩＩ．１−ｉｉｉ）である場合、ＵＥはキャリア周波数の選択方法でＣ）が可能である。
【０３４８】
ＩＶ．２）である場合、ＵＥは進行中のＶ２Ｘサービスに関係なく、新たなＶ２Ｘサービスに対するキャリアの選択が可能である。即ち、２）の場合、ＵＥは、Ａ）、Ｃ）のうち何の選択も可能である。
【０３４９】
もちろん、キャリア周波数の選択方法でＢ）の場合、進行中のＶ２Ｘサービスがサービスタイプとキャリア周波数のマッピングによって、導出されたキャリア周波数のうち、新たなＶ２Ｘサービスが選択したキャリア周波数によるモードに該当するキャリア周波数が存在する場合可能である。例えば、ＩＩ）、ＩＩＩ）、ＩＶ）で該当条件が満たす場合、ＵＥはＢ）を選択／実行することも可能である。
【０３５０】
以下、ＵＥの動作をより具体的に見る。
【０３５１】
方法１）ＵＥのＰｒｏＳｅ層がキャリア周波数の選択動作を行う方法
【０３５２】
１．ＵＥのＰｒｏＳｅ層はＶ２Ｘサービスタイプにマッピングされるキャリア周波数をＵＥの下位層（即ち、ＵＥのＡＳ層又はＵＥのＲＲＣ層）に伝達されるとき、前記提案されたキャリア周波数の選択動作を行い、キャリア周波数の選択条件に合うキャリア周波数のみを下位層に伝達することができる。
【０３５３】
２．これを受信した下位層は、従来の動作の通り、提供されたキャリア周波数のうち送信すべきキャリア周波数を選択し、該当Ｖ２Ｘメッセージを送信する。
【０３５４】
方法２）ＵＥの下位層（即ち、ＵＥのＡＳ層又はＵＥのＲＲＣ層）がキャリア周波数の選択動作を行う方法
【０３５５】
１．ＵＥのＰｒｏＳｅ層は、従来の通り、Ｖ２Ｘサービスタイプにマッピングされるキャリア周波数をＵＥの下位層（即ち、ＵＥのＡＳ層又はＵＥのＲＲＣ層） に伝達する。
【０３５６】
２．これを受信した下位層は、提供されたキャリア周波数のうち、前記キャリア周波数の選択条件に合うキャリア周波数を選択し、そのうち送信すべきキャリア周波数を選択し、該当Ｖ２Ｘメッセージを送信することができる。
【０３５７】
前記説明した実施例１及び実施例２について、次のような事項が共通に適用されることができる。
【０３５８】
−  新たなＶ２Ｘサービスは、進行中のＶ２Ｘサービスを除いたＶ２Ｘサービスを意味してもよく、進行中のＶ２Ｘサービスを含んでもよい。後者の場合、Ｖ２Ｘメッセージ毎に（Ｖ２Ｘサービスタイプとキャリア周波数のマッピングを考慮した）キャリア周波数の選択を行う場合に適用可能である。
【０３５９】
−  相手の受信ＵＥのために特定のキャリア周波数で送信すべき状況（受信ＵＥが特定のキャリア周波数でのみ送信／受信を行うことができる場合）では、前記提案された実施例の動作の適用が除かれることができる。
【０３６０】
−  前記説明でキャリア周波数は一つ以上のキャリア周波数を意味し得る。例えば、選択されたキャリア周波数は、一つ以上のキャリア周波数を意味し得る。
【０３６１】
−  前記説明した実施例によって、ＵＥがキャリア周波数の選択を行って、選択されたキャリア周波数のリストを提供すると、ＵＥのＲＲＣ層が提供された選択されたキャリア周波数のリストで送信に使用すべきキャリア周波数を選択し、ＰＣ５を介したＶ２Ｘ通信（即ち、サイドリンクＶ２Ｘ通信）を行う。具体的な段階の例示は次の通りである。
【０３６２】
１．サービスタイプとキャリア周波数間のマッピングによるキャリア周波数を導出する。
【０３６３】
２．前記本発明の実施例で提案したキャリア周波数の選択を行う。
【０３６４】
３．ＵＥのＲＲＣ層で選択されたキャリア周波数で送信に使用すべきキャリア周波数を選択する。
【０３６５】
−  前記説明でＶ２Ｘサービスに限って記述したが、前記説明した本発明の実施例は、多様なＤ２Ｄサービス（即ち、サイドリンクサービス）が混在している場合も適用が可能である。例えば、ＰｒｏＳｅサービス（例えば、商用又は公共安全サービス）とＶ２Ｘサービスが混在している場合も適用可能である。
【０３６６】
［実施例３］ＰＣ５を介したＶ２Ｘ通信のためのキャリア周波数の選択方法
【０３６７】
図８は、本発明の一実施例に係るＰＣ５を介したＶ２Ｘ通信のためにキャリア周波数の選択方法を例示する図である。
【０３６８】
段階１）ＵＥ−ＰｒｏＳｅ層は、キャリア周波数と共にサービス識別子（Ｓｅｒｖｉｃｅ  ｉｄｅｎｔｉｆｉｅｒ）又はサービスタイプ（ｓｅｒｖｉｃｅ  ｔｙｐｅ）の情報を下位層に提供することができる。サービス識別子又はサービスタイプの代わりに、サービスタイプ／識別子別に固有のシーケンス番号又はビットマップの情報が提供されることもできる。
【０３６９】
ＵＥ−ＰｒｏＳｅ層は、毎Ｖ２Ｘメッセージの送信がトリガーされる毎に段階１を行うことができる。或いは、シグナリングのオーバーヘッドを減らすために、ＵＥ−ＰｒｏＳｅ層は、以前にＵＥ−ＲＲＣ層に提供したキャリア周波数のセットと異なるキャリア周波数であるときにのみ、段階１を行うか、又は新たなサービスタイプが発生した場合にのみ段階１を行うこともできる。
【０３７０】
段階２）前記段階１でサービス識別子又はサービスタイプの情報が与えられない場合、ＵＥ−ＲＲＣ層は、現在（サービスに関係なく、全てのサービスに対して）の送信のために選択された全てのキャリア周波数に対して段階２を行うことができる。
【０３７１】
反面、前記段階１でサービス識別子又はサービスタイプの情報が与えられた場合、ＵＥ−ＲＲＣ層は、サービス識別子又はサービスタイプ別に段階２を行うこともできる。このとき、サービス識別子又はサービスタイプの代わりに、サービスタイプ／識別子別に固有のシーケンス番号又はビットマップの情報が提供されることもできる。
【０３７２】
また、ＵＥ−ＲＲＣ層は、段階１が行われる毎に段階２を行うこともできる。
【０３７３】
或いは、シグナリングのオーバーヘッドを減らすために、ＵＥ−ＲＲＣ層は、毎段階１が行われる毎に、段階２を行わないのではなく、ＵＥ−ＲＲＣ層は、選択されたキャリア周波数が以前に選択されたキャリア周波数と異なるときにのみ段階２を行うこともできる。
【０３７４】
段階３）ＵＥ−ＰｒｏＳｅ層は、ＵＥがＰＣ５を介したＶ２Ｘ通信のために、Ｅ−ＵＴＲＡＮによってサービスされるモードであるか、ＰＣ５を介したＶ２Ｘ通信のためにＥ−ＵＴＲＡＮによってサービスされないモードであるかを判断する。
【０３７５】
送信のためのキャリア周波数は、「３ＧＰＰ  ＴＳ  ２４．３８６の６．１．２．２節で記述されたように、ＰＣ５を介したＶ２Ｘ通信で送信されるＶ２Ｘメッセージと共に提供される（後述する図９の段階４参照）。
【０３７６】
このとき、送信のためのキャリア周波数は、前記段階２で選択されたキャリア周波数と同一であってもよい。或いは、後述する実施例５を考慮する場合、送信のためのキャリア周波数は、前記段階２で選択されたキャリア周波数以外に、追加的なキャリア周波数が提供されることができる。
【０３７７】
ＵＥ−ＲＲＣ層（即ち、下位層）は送信のためのキャリア周波数上で該当Ｖ２Ｘメッセージを送信する（後述する図９の５段階参照）。
【０３７８】
前記実施例２の「キャリア周波数の選択方法」を行うことによって、ＵＥはキャリア周波数の選択に反映することができる。これについて、図９の不要なＰＬＭＮの選択動作を防止するためのＵＥの動作についてより詳細に見る。
【０３７９】
図９は、本発明の一実施例に係るキャリア周波数の選択及びＶ２Ｘメッセージの送信と関連したＵＥの動作を例示する。
【０３８０】
図９で段階１乃至段階３は、前記図８の段階１乃至段階３と同一であるので、以下、説明を省略する。
【０３８１】
図９を参照すると、前記説明した実施例２の「キャリア周波数の選択方法」は、図９の段階１を行う前に、ＵＥ−ＰｒｏＳｅ層で行われることもできる。
【０３８２】
或いは、前記説明した実施例２の「キャリア周波数の選択方法」は、段階１を行った後、段階２を行う前にＵＥ−ＲＲＣ層で行われることもできる。
【０３８３】
段階４）ＵＥ−ＰｒｏＳｅ層は、送信のためのキャリア周波数をＶ２Ｘメッセージと共に、ＵＥ−ＲＲＣ層に提供する。
【０３８４】
段階５）ＵＥ−ＲＲＣ層（即ち、下位層）は、送信のためのキャリア周波数上で該当Ｖ２Ｘメッセージを送信する。
【０３８５】
一方、３ＧＰＰ  ＲＡＮ２  ＃９７のミーティングで、ＲＲＣ連結確立（ＲＲＣ  ｃｏｎｎｅｃｔｉｏｎ  ｅｓｔａｂｌｉｓｈｍｅｎｔ）のための条件、及びＶ２Ｘサイドリンク通信のためのサイドリンクＵＥ情報（ｓｉｄｅｌｉｎｋ  ＵＥ  ｉｎｆｏｒｍａｔｉｏｎ）の条件がクロスキャリアの動作を支援するために更新された。
【０３８６】
次の変更された部分は、ＵＥがサイドリンクＵＥ情報（ＳｉｄｅｌｉｎｋＵＥＩｎｆｏｒｍａｔｉｏｎ）メッセージを送信することによって、ネットワーク（又はｅＮＢ）にＶ２Ｘ通信のための無線資源を要求することができる条件を示す。第一の部分は受信のためのものであり、第二の部分は、送信のためのものである。
【０３８７】
１＞  サイドリンクＶ２Ｘ共通設定（ｓｌ−Ｖ２Ｘ−ＣｏｎｆｉｇＣｏｍｍｏｎ）を含むシステム情報ブロックタイプ２１（ＳｙｓｔｅｍＩｎｆｏｒｍａｔｉｏｎＢｌｏｃｋＴｙｐｅ２１）がＰセル（ＰＣｅｌｌ：Ｐｒｉｍａｒｙ  Ｃｅｌｌ）によってブロードキャスティングされると：
【０３８８】
２＞  ＵＥはＰＣｅｌｌに対するシステム情報ブロックタイプ２１（ＳｙｓｔｅｍＩｎｆｏｒｍａｔｉｏｎＢｌｏｃｋＴｙｐｅ２１）の有効なバージョンを有したかを確認する；
【０３８９】
２＞  もし、プライマリ周波数上で、又はＶ２Ｘインター−周波数情報リスト（ｖ２ｘ−ＩｎｔｅｒＦｒｅｑＩｎｆｏＬｉｓｔ）内に含まれた一つ以上の周波数上でＶ２Ｘサイドリンク通信を受信するように上位層によって設定された場合、且つＰＣｅｌｌのシステム情報ブロックタイプ２１（ＳｙｓｔｅｍＩｎｆｏｒｍａｔｉｏｎＢｌｏｃｋＴｙｐｅ２１）内に含まれた場合：
【０３９０】
３＞  もし、ＵＥが最後のＲＲＣ連結（ＲＲＣ＿ＣＯＮＮＥＣＴＥＤ）状態に進入した以降、サイドリンクＵＥ情報（ＳｉｄｅｌｉｎｋＵＥＩｎｆｏｒｍａｔｉｏｎ）メッセージを送信しなかった場合；或いは
【０３９１】
３＞  ＵＥがサイドリンクＵＥ情報（ＳｉｄｅｌｉｎｋＵＥＩｎｆｏｒｍａｔｉｏｎ）メッセージを最後に送信した以降、ＵＥがサイドリンクＶ２Ｘ共通設定（ｓｌ−Ｖ２Ｘ−ＣｏｎｆｉｇＣｏｍｍｏｎ）を含むシステム情報ブロックタイプ２１（ＳｙｓｔｅｍＩｎｆｏｒｍａｔｉｏｎＢｌｏｃｋＴｙｐｅ２１）をブロードキャスティングしないＰＣｅｌｌに連結した場合；或いは
【０３９２】
３＞  もし、サイドリンクＵＥ情報（ＳｉｄｅｌｉｎｋＵＥＩｎｆｏｒｍａｔｉｏｎ）メッセージの最後の送信がＶ２Ｘ共通受信の関心ある周波数リスト（ｖ２ｘ−ＣｏｍｍＲｘＩｎｔｅｒｅｓｔｅｄＦｒｅｑＬｉｓｔ）を含まなかった場合；或いはサイドリンクＵＥ情報（ＳｉｄｅｌｉｎｋＵＥＩｎｆｏｒｍａｔｉｏｎ）メッセージの最後の送信以降にＶ２Ｘサイドリンク通信を受信するように上位層によって設定された周波数が変更された場合：
【０３９３】
４＞  ＵＥは、５．１０．２．３節によって、関心あるＶ２Ｘサイドリンク通信の受信周波数を指示するために、サイドリンクＵＥ情報（ＳｉｄｅｌｉｎｋＵＥＩｎｆｏｒｍａｔｉｏｎ）メッセージの送信を開始する。
【０３９４】
２＞  そうでなければ：
【０３９５】
３＞  サイドリンクＵＥ情報（ＳｉｄｅｌｉｎｋＵＥＩｎｆｏｒｍａｔｉｏｎ）メッセージの最後の送信がＶ２Ｘ共通受信の関心のある周波数リスト（ｖ２ｘ−ＣｏｍｍＲｘＩｎｔｅｒｅｓｔｅｄＦｒｅｑＬｉｓｔ）を含んだ場合：
【０３９６】
４＞  ＵＥは、５．１０．２．３節によって、これ以上Ｖ２Ｘサイドリンク通信の受信に関心がないということを指示するために、サイドリンクＵＥ情報（ＳｉｄｅｌｉｎｋＵＥＩｎｆｏｒｍａｔｉｏｎ）メッセージの送信を開始する。；
【０３９７】
２＞  もし、プライマリー周波数上で、又はＶ２Ｘインター−周波数情報リスト（ｖ２ｘ−ＩｎｔｅｒＦｒｅｑＩｎｆｏＬｉｓｔ）内に含まれた一つ以上の周波数上で、Ｖ２Ｘサイドリンク通信を送信するように上位層によって設定された場合、且つＰＣｅｌｌのシステム情報ブロックタイプ２１（ＳｙｓｔｅｍＩｎｆｏｒｍａｔｉｏｎＢｌｏｃｋＴｙｐｅ２１）内に含まれた場合：
【０３９８】
３＞  もし、ＵＥが最後のＲＲＣ連結（ＲＲＣ＿ＣＯＮＮＥＣＴＥＤ）状態に進入した以降、サイドリンクＵＥ情報（ＳｉｄｅｌｉｎｋＵＥＩｎｆｏｒｍａｔｉｏｎ）メッセージを送信しなかった場合；或いは
【０３９９】
３＞  ＵＥがサイドリンクＵＥ情報（ＳｉｄｅｌｉｎｋＵＥＩｎｆｏｒｍａｔｉｏｎ）メッセージを最後に送信した以降、ＵＥがサイドリンクＶ２Ｘ共通設定（ｓｌ−Ｖ２Ｘ−ＣｏｎｆｉｇＣｏｍｍｏｎ）を含むシステム情報ブロックタイプ２１（ＳｙｓｔｅｍＩｎｆｏｒｍａｔｉｏｎＢｌｏｃｋＴｙｐｅ２１）をブロードキャスティングしないＰＣｅｌｌに連結した場合；或いは
【０４００】
３＞  もし、サイドリンクＵＥ情報（ＳｉｄｅｌｉｎｋＵＥＩｎｆｏｒｍａｔｉｏｎ）メッセージの最後の送信がＶ２Ｘ共通送信資源要求（ｖ２ｘ−ＣｏｍｍＴｘＲｅｓｏｕｒｃｅＲｅｑ）を含まなかった場合；或いはサイドリンクＵＥ情報（ＳｉｄｅｌｉｎｋＵＥＩｎｆｏｒｍａｔｉｏｎ）メッセージの最後の送信以降に、Ｖ２Ｘ共通送信資源要求（ｖ２ｘ−ＣｏｍｍＴｘＲｅｓｏｕｒｃｅＲｅｑ）によって伝達される情報が変更された場合：
【０４０１】
４＞  ＵＥは５．１０．２．３節によって、ＵＥによって要求されるＶ２Ｘサイドリンク通信の送信資源を指示するために、サイドリンクＵＥ情報（ＳｉｄｅｌｉｎｋＵＥＩｎｆｏｒｍａｔｉｏｎ）メッセージの送信を開始する；
【０４０２】
２＞  そうでなければ：
【０４０３】
３＞  サイドリンクＵＥ情報（ＳｉｄｅｌｉｎｋＵＥＩｎｆｏｒｍａｔｉｏｎ）メッセージの最後の送信がＶ２Ｘ共通送信資源要求（ｖ２ｘ−ＣｏｍｍＴｘＲｅｓｏｕｒｃｅＲｅｑ）を含んだ場合：
【０４０４】
４＞  ＵＥは、５．１０．２．３節によって、これ以上Ｖ２Ｘサイドリンク通信の送信資源を要求しないということを指示するために、サイドリンクＵＥ情報（ＳｉｄｅｌｉｎｋＵＥＩｎｆｏｒｍａｔｉｏｎ）メッセージの送信を開始する；
【０４０５】
前述したように、Ｖ２Ｘサイドリンク通信のためのサイドリンクＵＥ情報（ｓｉｄｅｌｉｎｋ  ＵＥ  ｉｎｆｏｒｍａｔｉｏｎ）の条件は次のような二つのケースに区分されることができる。
【０４０６】
Ａ．上位層によってプライマリー（ｐｒｉｍａｒｙ）周波数上でＶ２Ｘサイドリンク（ｓｉｄｅｌｉｎｋ）通信を送受信するように設定される場合
【０４０７】
Ｂ．プライマリーセル（ＰＣｅｌｌ：Ｐｒｉｍａｒｙ  Ｃｅｌｌ）のＳＩＢ  ２１（即ち、ＳｙｓｔｅｍＩｎｆｏｒｍａｔｉｏｎＢｌｏｃｋＴｙｐｅ２１）が含まれると、且つ上位層によってＳＩＢ  ２１内Ｖ２Ｘのための他の周波数情報リスト（即ち、ｖ２ｘ−ＩｎｔｅｒＦｒｅｑＩｎｆｏＬｉｓｔ）内に含まれた一つ以上の周波数上でＶ２Ｘサイドリンク（ｓｉｄｅｌｉｎｋ）通信を送受信するように設定される場合
【０４０８】
前記のＡの場合、プライマリー周波数は、ＵＥがキャンプ（ｃａｍｐ）するＥ−ＵＴＲＡＮセルの動作周波数を意味する。前記のＢにおいて、一つ以上の周波数は、ＵＥがキャンプ（ｃａｍｐ）するＥ−ＵＴＲＡＮセルによって提供されたキャリア周波数を意味する。
【０４０９】
観察Ａ：セル／基地局は、ＳＩＢ  ２１内で提供された動作周波数以外の無線資源を提供しない。従って、ＵＥは、動作周波数又はＳＩＢ  ２１内で提供された周波数のみのための無線資源（送信／受信）を要求することができる。
【０４１０】
３ＧＰのミーティングにおいて、「３ＧＰＰ  ＴＳ  ２４．３８６  ６．１．２．１．開始」で次のような変更が含まれた。
【０４１１】
ＰＣ５を介したＶ２Ｘ通信がネットワークによって支援されると指示するが、どんなＰＣ５を介したＶ２Ｘ通信のためのキャリア周波数及び無線資源をブロードキャスティングしないＥ−ＵＴＲＡＮセルにＵＥがキャンプ（ｃａｍｐ）するとき、ＵＥはＰＣ５を介したＶ２Ｘ通信のための無線資源を要求する。
【０４１２】
前記の観察Ａに従って、前記のような状況で、ＳＩＢ  ２１内で提供するキャリア周波数がないため、サービングセルは、動作キャリア周波数のための無線資源のみを提供することができる。これは、ＵＥが動作キャリア周波数に対する無線資源のみを要求することができるということを意味する。
【０４１３】
観察１−１）ＰＣ５を介したＶ２Ｘ通信がネットワークによって支援されると指示するが、いかなるＰＣ５を介したＶ２Ｘ通信のためのキャリア周波数及び無線資源をブロードキャスティングしないＥ−ＵＴＲＡＮセルにＵＥがキャンプ（ｃａｍｐ）するとき、ＵＥは動作キャリア周波数に対する無線資源のみを要求することができる。
【０４１４】
前記の状況は、ＵＥが使用しようとするプロビジョニングされた（ｐｒｏｖｉｓｉｏｎｅｄ）キャリア周波数に属するキャリア周波数上でＥ−ＵＴＲＡＮセルが動作するか否かによって、二つのケースに区分されることができる。
【０４１５】
もし、ＰＣ５を介したＶ２Ｘ通信がネットワークによって支援されると指示するが、いかなるＰＣ５を介したＶ２Ｘ通信のためのキャリア周波数及び無線資源をブロードキャスティングしないＥ−ＵＴＲＡＮセルにＵＥがキャンプ（ｃａｍｐ）すると、
【０４１６】
Ａ．ＵＥが使用しようとするプロビジョニングされたキャリア周波数に属したキャリア周波数上でＥ−ＵＴＲＡＮセルが動作する場合
【０４１７】
Ｂ．ＵＥが使用しようとするプロビジョニングされたキャリア周波数に属さないキャリア周波数上でＥ−ＵＴＲＡＮセルが動作する場合
【０４１８】
前記観察１−１に従って、Ａケースはサービングセルが動作キャリア周波数に対する無線資源を提供することができるので、ＵＥがＥ−ＵＴＲＡＮ によってサービスされる有効なシナリオである。しかし、Ｂケースの場合、サービングセルが動作キャリア周波数以外の無線資源を提供しないので、ＵＥがＥ−ＵＴＲＡＮ によってサービスされることができない。従って、Ｂケースの場合、ＵＥはＰＣ５を介したＶ２Ｘ通信のためにＥ−ＵＴＲＡＮによってサービスされないモードでなければならない。
【０４１９】
提案１−１：従って、次のような定義が追加されることが好ましい。
【０４２０】
ＰＣ５を介したＶ２Ｘ通信がネットワークによって支援されると指示し、ＵＥが使用しようとするＰＣ５を介したＶ２Ｘ通信のために、プロビジョニングされたキャリア周波数に属さないキャリア周波数上で動作し、ＰＣ５を介したＶ２Ｘ通信のために、いかなるキャリア周波数及び無線資源をブロードキャスティングしないＥ−ＵＴＲＡＮセルにＵＥがキャンプ（ｃａｍｐ）するとき、ＵＥは「Ｅ−ＵＴＲＡＮによってサービスされない」モードである。
【０４２１】
３ＧＰＰのミーティングにおいて、「３ＧＰＰ  ＴＳ  ２４．３８６  ３．１定義」で次のような変更が合意された。
【０４２２】
ＵＥが次の通りであるとき、Ｖ２Ｘ通信のための「Ｅ−ＵＴＲＡＮによってサービスされない」と定義する：
【０４２３】
−  Ｅ−ＵＴＲＡＮカバレッジを外れるとき；
【０４２４】
−  Ｅ−ＵＴＲＡＮカバレッジ内であるが、どんなセルにもキャンプ（ｃａｍｐ）しないとき；
【０４２５】
−  Ｅ−ＵＴＲＡＮカバレッジ内であるが、非ＥＵＴＲＡＮ（ｎｏｎ−Ｅ−ＵＴＲＡＮ）セルにキャンプ（ｃａｍｐ）するとき；
【０４２６】
−  ＰＣ５を介したＶ２Ｘ通信がネットワークによって支援されると指示しないＥ−ＵＴＲＡＮセルにキャンプ（ｃａｍｐ）するとき；
【０４２７】
−  ＰＣ５を介したＶ２Ｘ通信がネットワークによって支援されると指示し、ＵＥが使用しようとするプロビジョニングされたキャリア周波数に属さないＰＣ５を介したＶ２Ｘ通信のためのキャリア周波数及び／又は無線資源を提供するＥ−ＵＴＲＡＮセルにキャンプ（ｃａｍｐ）するとき。
【０４２８】
前記の内容において、「又は無線資源」は、サービングセルが動作キャリア周波数のための無線資源のみを提供するシナリオをカバーするためである。
【０４２９】
提案２：「Ｖ２Ｘ通信のためのＥ−ＵＴＲＡＮによってサービスされない」の定義内に次のように変更を追加することを提案する。
【０４３０】
ＰＣ５を介したＶ２Ｘ通信がネットワークによって支援されると指示し、ＵＥが使用しようとするプロビジョニングされたＰＣ５を介したＶ２Ｘ通信のためのキャリア周波数に属さないキャリア周波数を提供し、ＵＥが使用しようとするプロビジョニングされたＰＣ５を介したＶ２Ｘ通信のためのキャリア周波数に属さないキャリア周波数で動作するＥ−ＵＴＲＡＮセルにＵＥがキャンプ（ｃａｍｐ）するとき、ＵＥはＶ２Ｘ通信のための「Ｅ−ＵＴＲＡＮによってサービスされない」モードである。
【０４３１】
３ＧＰＰ  ＴＳ  ２４．３８６  ６．１．２．３節によると、次の通りである。
【０４３２】
６．１．２．３  ＵＥがＰＣ５を介したＶ２Ｘ通信のためにプロビジョニング（ｐｒｏｖｉｓｉｏｎｉｎｇ）された無線資源を用いる手続
【０４３３】
ＵＥがＶ２Ｘ通信のためにＥ−ＵＴＲＡＮによってサービスされないとき（ｎｏｔ  ｓｅｒｖｅｄ  ｂｙ  Ｅ−ＵＴＲＡＮ）、ＵＥは次のようにＰＣ５を介したＶ２Ｘ通信のために用いられる無線パラメータ（ｒａｄｉｏ  ｐａｒａｍｅｔｅｒｓ）を選択する：
【０４３４】
もし、下位層がプロビジョニングされた無線資源（即ち、キャリア周波数）を運用するセルが存在すると判断すると、且つセルが登録ＰＬＭＮ又は登録されたＰＬＭＮと同等の（ｅｑｕｉｖａｌｅｎｔ）ＰＬＭＮに属すると、且つＵＥがこのＰＬＭＮ内ＰＣ５を介したＶ２Ｘ通信のために許可された場合、ＵＥは３ＧＰＰ  ＴＳ  ３６．３３１内で記述されたように、セルによって指示された無線パラメータを用いることができる。
【０４３５】
−  そうでなく、下位層がプロビジョニングされた無線資源（即ち、キャリア周波数）を運用する一つ以上のＰＬＭＮを報告すると：．．．
【０４３６】
前述した内容に従って、ＵＥがＥ−ＵＴＲＡＮによってサービスされないとき、ＵＥはプロビジョニングされた無線資源を運用するセルを見つけることを試みる。しかし、クロス−キャリアの動作を導入された後、これは、これ以上有効ではない。代わりに、ＵＥはキャリア周波数を提供するセル又はＵＥが使用しようとするＰＣ５を介したＶ２Ｘ通信のためのプロビジョニングされたキャリア周波数に属するキャリア周波数上で動作するセルを見つけなければならない。
【０４３７】
提案３）ＵＥがＥ−ＵＴＲＡＮによってサービスされないか、又はＶ２Ｘ通信によってトリガーされたＰＬＭＮの選択を行うとき、ＵＥがＰＣ５を介したＶ２Ｘ通信を行うためにセルを見つけなければならない必要があれば、ＵＥはキャリア周波数を提供するセル又はＵＥが使用しようとするＰＣ５を介したＶ２Ｘ通信のためのプロビジョニングされたキャリア周波数に属するキャリア周波数上で動作するセルを見つけなければならない。
【０４３８】
前記提案３を具現する方法は次の通りである。
【０４３９】
６．１．２．３  ＵＥがＰＣ５を介したＶ２Ｘ通信のためにプロビジョニング（ｐｒｏｖｉｓｉｏｎｉｎｇ）された無線資源を用いる手続
【０４４０】
ＵＥがＶ２Ｘ通信のためにＥ−ＵＴＲＡＮによってサービスされないとき（ｎｏｔ  ｓｅｒｖｅｄ  ｂｙ  Ｅ−ＵＴＲＡＮ）、ＵＥは次のようにＰＣ５を介したＶ２Ｘ通信のために用いられるべき無線パラメータ（ｒａｄｉｏ  ｐａｒａｍｅｔｅｒｓ）を選択する：
【０４４１】
−  ＵＥが地理的領域（ｇｅｏｇｒａｐｈｉｃａｌ  ａｒｅａ）内に自身が位置すると自己判断でき、ＵＥに地理的領域のための無線パラメータがプロビジョニング（ｐｒｏｖｉｓｉｏｎｉｎｇ）されると、ＵＥは地理的領域と関連した無線パラメータを選択する；或いは
【０４４２】
−  他の全ての場合において、ＵＥはＰｒｏＳｅ直接通信を開始しない。
【０４４３】
ＵＥが３ＧＰＰ  ＲＡＴのカバレッジ内にあるとき、例えば、ＵＥはサービングＰＬＭＮから導出された情報を用いて、ＵＥが自身が特定の地理的領域内に位置すると決定することができる。また、ＵＥが３ＧＰＰ  ＲＡＴのカバレッジにないとき、ＵＥはローカル規定によって決定された異なる技術（例えば、全地球航法衛星システム（ＧＮＳＳ：Ｇｌｏｂａｌ  Ｎａｖｉｇａｔｉｏｎ  Ｓａｔｅｌｌｉｔｅ  Ｓｙｓｔｅｍ）を用いてＵＥが自身が特定の地理的領域内に位置すると決定することができる。
【０４４４】
ＰＣ５を介したＶ２Ｘ通信を開始する前にＵＥが「運営者によって管理される（ｏｐｅｒａｔｏｒ  ｍａｎａｇｅｄ）」無線パラメータを使用することを希望すると、ＵＥは選択された無線パラメータが他のセルに干渉を誘発せず、現在の位置内で用いられることができるかを下位層とチェックする。
【０４４５】
−  下位層が、使用がどんな干渉も誘発しないと指示すると、ＵＥはＰＣ５を介したＶ２Ｘ通信を開始する；或いは
【０４４６】
もし、下位層が、ＵＥが使用しようとするプロビジョニングされたキャリア周波数に属するキャリア周波数上で動作するセル、又はＵＥが使用しようとするプロビジョニングされたキャリア周波数に属するキャリア周波数を提供するセルが存在すると見つけると、また、セルが登録されたＰＬＭＮ又は登録されたＰＬＭＮと同等の（ｅｑｕｉｖａｌｅｎｔ）ＰＬＭＮに属すると、また、ＵＥがこのＰＬＭＮ内でＰＣ５を介したＶ２Ｘ通信のために許可された場合、ＵＥは３ＧＰＰ  ＴＳ  ３６．３３１内に記述されたように、セルによって指示された無線パラメータを用いることができる。
【０４４７】
−  そうでなく、ＵＥが使用しようとするプロビジョニングされたキャリア周波数に属するキャリア周波数上で動作するか、ＵＥが使用しようとするプロビジョニングされたキャリア周波数に属するキャリア周波数を提供する一つ以上のＰＬＭＮを報告すると：
【０４４８】
ａ）次のような条件が満たされると：
【０４４９】
１）下位層によって報告されたＰＬＭＮが、登録されたＰＬＭＮ又は登録されたＰＬＭＮと同等のＰＬＭＮではない場合；
【０４５０】
２）下位層によって報告されたＰＬＭＮの少なくとも一つがＰＣ５を介したＶ２Ｘ通信のために許可されたＰＬＭＮのリストに含まれ、ＰＣ５を介したＶ２Ｘ通信のための無線資源を提供する場合；及び
【０４５１】
３）ＵＥが緊急のＰＤＮ連結を有さない場合；
【０４５２】
そうすれば、ＵＥは次のように動作する：
【０４５３】
１）ＥＭＭ−ＩＤＬＥモードであると、ＰＣ５を介したＶ２Ｘ通信によってトリガーされたＰＬＭＮの選択を行う；或いは
【０４５４】
２）そうでなく、ＥＭＭ−連結モードであると、次のうちの一つを行う：
【０４５５】
ｉ）ディタッチ（ｄｅｔａｃｈ）手続を行い、ＰＣ５を介したＶ２Ｘ通信によってトリガされたＰＬＭＮの選択を行う；或いは
【０４５６】
ｉｉ）ＰｒｏＳｅ直接通信を開始しない。
【０４５７】
ＵＥが前記のｉ）又はｉｉ）のうちどの動作を行うかはＵＥの具現に従う。
【０４５８】
ｂ）そうでなければ、ＵＥはＰＣ５を介したＶ２Ｘ通信を開始しない。
【０４５９】
選択されたＰＬＭＮへの登録が成功されると、ＵＥはＰＣ５を介したＶ２Ｘ通信を開始するための手続を行う。
【０４６０】
ＵＥが地理的領域と関連した無線パラメータを用いてＰＣ５を介したＶ２Ｘ通信を行う中に地理的領域を外れると、ＵＥはＰＣ５を介したＶ２Ｘ通信を行うことを中断する：
【０４６１】
−  ＵＥがＶ２Ｘ通信のためにＥ−ＵＴＲＡＮによってサービスされないと（ｎｏｔ  ｓｅｒｖｅｄ  ｂｙ  Ｅ−ＵＴＲＡＮ）、又はＵＥがサービングＥ−ＵＴＲＡＮセルによって動作（ｏｐｅｒａｔｅ）される無線資源以外のＰＣ５を介したＶ２Ｘ通信のための無線資源を用いることを希望すると、ＵＥは新たな地理的領域のための適切な無線パラメータを選択する；或いは
【０４６２】
−  ＵＥがＶ２Ｘ通信のためにＥ−ＵＴＲＡＮによってサービスされ（ｓｅｒｖｅｄ  ｂｙ  Ｅ−ＵＴＲＡＮ）、サービングＥ−ＵＴＲＡＮセルによって動作（ｏｐｅｒａｔｅ）されるＰＣ５を介したＶ２Ｘ通信のための無線資源を用いることを希望すると、ＵＥはＶ２Ｘ通信のためにＥ−ＵＴＲＡＮによってサービスされるとき、ＰＣ５を介したＶ２Ｘ通信を開始するための手続を行う。
【０４６３】
以下、ＰＣ５を介したＶ２Ｘ通信によってトリガー（ｔｒｉｇｇｅｒ）されるＰＬＭＮの選択方法を見る。
【０４６４】
３．１Ｃ  ＰＣ５を介したＶ２Ｘ通信によってトリガーされたＰＬＭＮの選択
【０４６５】
ＭＳ（Ｍｏｂｉｌｅ  Ｓｔａｔｉｏｎ）がＰＣ５を介したＶ２Ｘ通信を支援し、ＰＣ５を介したＶ２Ｘ通信のためにＰＬＭＮの選択を行う必要があり、ＭＳは次のように行う：
【０４６６】
ｉ）このＰＣ５を介したＶ２Ｘ通信によるＰＬＭＮの選択がＰＣ５を介したＶ２Ｘ通信又はマニュアルＣＳＧ（Ｃｌｏｓｅｄ  Ｓｕｂｓｃｒｉｂｅ  Ｇｒｏｕｐ）の選択によるまた別のＰＬＭＮの選択に従わない限り、ＭＳはＰＣ５を介したＶ２Ｘ通信によりＰＬＭＮの選択が開始される前に用いられていたＰＬＭＮの選択モードの複写値及び登録されたＰＬＭＮ（ＲＰＬＭＮ：Ｒｅｇｉｓｔｅｒｅｄ  ＰＬＭＮ）の複写値を格納する；
【０４６７】
ｉｉ）ＭＳは後述する追加的な要求事項ｉｉｉ）乃至ｘ）を考慮し、ＰＬＭＮの選択の自動モードに進入する；
【０４６８】
ｉｉｉ）ＵＥが使用しようとするプロビジョニングされたキャリア周波数に属するキャリア周波数を提供するか、又はＵＥが使用しようとするプロビジョニングされたキャリア周波数に属するキャリア周波数上で動作するＥ−ＵＴＲＡセルによって広告されたＰＬＭＮのうち、ＭＳは次のような一つの許可可能なＰＬＭＮを選択する：
【０４６９】
１）ＰＣ５を介したＶ２Ｘ通信のための無線資源を提供するＰＬＭＮ；
【０４７０】
２）ＰＣ５を介したＶ２Ｘ通信のために許可されたＰＬＭＮのリストに属したＰＬＭＮ；及び
【０４７１】
３）「Ｅ−ＵＴＲＡＮにＰＬＭＮが許可されない」のリストに属さないＰＬＭＮ；及び
【０４７２】
前述した条件１）乃至３）が満たされると、ＭＳはＰＬＭＮに登録を試みる。前述した条件１）乃至３）の何れの条件で満たさなければ、ＭＳは格納された複写されたＰＬＭＮの選択モードに戻し、追加的な動作のために、格納されたＲＰＬＭＮの複写された値を使用する；
【０４７３】
ｉｖ）「ＰＬＭＮが許可されない」又は「ＥＰＳサービスが許可されない」ことによって登録が失敗されると、ＭＳは禁止されたＰＬＭＮの適切なリストを更新し、次を行う：
【０４７４】
Ａ）ＰＬＭＮがＰＣ５を介したＶ２Ｘ通信を行うためにＭＳによって必要な共通の無線資源を提供すると、ＭＳは制限されたサービス状態で選択されたＰＬＭＮ上でＰＣ５を介したＶ２Ｘ通信を行う。この場合、ＭＳはＰＣ５を介したＶ２Ｘ通信の区間の間に利用可能な、且つ許可可能なＰＬＭＮを探索しない；
【０４７５】
Ｂ）格納された複写されたＰＬＭＮの選択モードに戻し、追加された動作のために格納されたＲＰＬＭＮの複写された値を使用する；或いは
【０４７６】
Ｃ）ＭＳが登録に失敗したＰＬＭＮを除き、ＰＬＭＮの選択でｉｉｉ）で前述した動作を再度行う。
【０４７７】
ＭＳが前述したＡ）、Ｂ）又はＣ）を行うかは、ＭＳの具現に従う。
【０４７８】
ｖ）「ＰＬＭＮが許可されない」又は「ＥＰＳサービスが許可されない」ことによって登録が失敗すると、ＭＳは次を行う：
【０４７９】
−  失敗の処理が禁止されたＰＬＭＮのリストを更新を要求すると、適切なリストに更新する；且つ
【０４８０】
−  失敗の処理が禁止されたＰＬＭＮのリストを更新を要求しないと、ＭＳが登録に失敗したＰＬＭＮとして該当ＰＬＭＮを記憶する；
【０４８１】
そして、ＭＳは次のうち一つを行う：
【０４８２】
Ａ１）格納された複写されたＰＬＭＮの選択モードに戻し、以降の動作のために格納されたＲＰＬＭＮの複写された値を使用する；
【０４８３】
Ｂ１）ＭＳが登録に失敗したＰＬＭＮを除き、ＰＬＭＮの選択でｉｉｉ）で記述された動作を再度行う。
【０４８４】
Ｃ１）このＰＬＭＮ上の登録が以前にＰＬＭＮが許可されない」又は「ＥＰＳサービスが許可されない」ことによって失敗された場合、且つこのＰＬＭＮがＰＣ５を介したＶ２Ｘ通信を行うためにＭＳによって必要な共通の無線資源を提供すると、ＭＳはＰＣ５を介したＶ２Ｘ通信のためにＭＳでプロビジョニングされた無線資源内で動作するセルにより広告されたＰＬＭＮ上で制限されたサービス状態でＰＣ５を介したＶ２Ｘ通信を行う。この場合、ＭＳはＰＣ５を介したＶ２Ｘ通信の区間の間に利用可能な、且つ許可可能なＰＬＭＮの探索をしない；
【０４８５】
ＭＳが前述したＡ１）、Ｂ１）又はＣ１）を行うかはＭＳの具現に従う。
【０４８６】
ｖｉ）ＭＥが選択されたＰＬＭＮのカバレッジに位置しないと、ＵＥは次のうち一つを行う：
【０４８７】
Ａ２）プロビジョニングされた無線資源を用いてＰＣ５を介したＶ２Ｘ通信を行う；或いは
【０４８８】
Ｂ２）格納された複写されたＰＬＭＮの選択モードに戻し、追加動作のために格納されたＲＰＬＭＮの複写された値を用いる。
【０４８９】
ＭＳが前述したＡ２）又はＢ２）を行うかは、ＭＳの具現に従う。
【０４９０】
ｖｉｉ）ＭＳが選択されたＰＬＭＮ上で好適なセルを見つけることができなければ、ＭＳは次のうち一つを行う：
【０４９１】
Ａ３）ＰＬＭＮがＰＣ５を介したＶ２Ｘ通信を行うためにＭＳにより必要な共通の無線資源を提供すると、ＭＳは制限されたサービス状態で選択されたＰＬＭＮ上でＰＣ５を介したＶ２Ｘ通信を行う。この場合、ＭＳはＰＣ５を介したＶ２Ｘ通信の区間の間に利用可能な、且つ許可可能なＰＬＭＮの探索をしない；或いは
【０４９２】
Ｂ３）格納された複写されたＰＬＭＮの選択モードに戻し、追加動作のために格納されたＲＰＬＭＮの複写された値を用いる。
【０４９３】
ＭＳが前述したＡ３）又はＢ３）を行うかは、ＭＳの具現に従う。
【０４９４】
ｖｉｉｉ）ＭＳが選択されたＰＬＭＮにある間、電源がオフになり、再度オンになった場合、ＭＥはＲＰＬＭＮとして格納されたＲＰＬＭＮの複写された値を用いる；
【０４９５】
ｉｘ）ユーザーが選択されたセルにある間、ＰＬＭＮの選択を開始すると、ＭＳはＰＬＭＮの選択モードの格納された複写値を削除し、ＲＰＬＭＮとして格納されたＲＰＬＭＮの複写値を用いる。ＭＳが選択されたＰＬＭＮに成功的に登録されるとき、ＭＳはＲＰＬＭＮの格納された複写値を削除する；且つ
【０４９６】
ｘ）ＭＳがＰＣ５を介したＶ２Ｘ通信の実行をこれ以上必要としないと、ＭＳは格納された複写されたＰＬＭＮの選択モードに戻し、追加動作のためにＲＰＬＭＮの格納された複写値を使用する。
【０４９７】
ＰＣ５を介したＶ２Ｘ通信のために選択されたＰＬＭＮが訪問ＰＬＭＮ（ＶＰＬＭＮ：Ｖｉｓｉｔｅｄ  ＰＬＭＮ）であると、ＭＳはＰＣ５を介したＶ２Ｘ通信の区間の間に、より高い優先順位のＰＬＭＮを周期的にスキャンしない。
【０４９８】
ＲＰＬＭＮとＰＣ５を介したＶ２Ｘ通信のために選択されたＰＬＭＮ間に潜在的なピンポン（ｐｉｎｇ−ｐｏｎｇ）を防止するためのソリューションはＭＳの具現に従う。
【０４９９】
また、前記の動作を具現するために、ＵＥのＰｒｏＳｅ層は、ＵＥの下位層（即ち、ＵＥのＡＳ層又はＵＥのＲＲＣ層）に下記のようなセルを見つけるという命令／指示を伝達することが好ましい。
【０５００】
−  ＵＥが使用しようとするプロビジョニングされたキャリア周波数に属したキャリア周波数上で動作するか、又は該当キャリア周波数を提供するＥ−ＵＴＲＡＮセル
【０５０１】
これを受信したＵＥの下位層（即ち、ＵＥのＡＳ層又はＵＥのＲＲＣ層）は、該当セルを見つけるとき、上位層（即ち、ＵＥのＰｒｏＳｅ層）に知らせる。
【０５０２】
また、ＰＣ５を介したＶ２Ｘ通信がネットワークによって支援されると指示し、ＵＥが使用しようとするプロビジョニングされたキャリア周波数に属さないＰＣ５を介したＶ２Ｘ通信のためのキャリア周波数及び／又は無線資源を提供するＥ−ＵＴＲＡＮセルにＵＥがキャンプ（ｃａｍｐ）するとき、ＵＥは「Ｅ−ＵＴＲＡＮによってサービスされない」モードと定義される。
【０５０３】
ここで、「又は無線資源」を規定した理由は、サービングセルが動作キャリア周波数に対する無線資源のみを提供するシナリオを考慮するためである。
【０５０４】
従って、ＰＣ５を介したＶ２Ｘ通信がネットワークによって支援されると指示し、キャリア周波数上で動作し、ＰＣ５を介したＶ２Ｘ通信のためのキャリア周波数を提供し、二つのキャリア周波数がいずれもＵＥが使用しようとするプロビジョニングされたキャリア周波数に属さない、Ｅ−ＵＴＲＡＮセルにＵＥがキャンプ（ｃａｍｐ）するとき、ＵＥは、「Ｅ−ＵＴＲＡＮによってサービスされない」モードと定義されることが好ましい。
【０５０５】
また、ＵＥが「Ｅ−ＵＴＲＡＮによってサービスされない」とき、ＵＥはプロビジョニングされた無線資源を運用するセルを見つけようと試みる。但し、クロス−キャリアの動作が導入されたことによって、これはこれ以上有効ではないことがある。ＵＥは、ＵＥが使用しようとするプロビジョニングされたキャリア周波数に属するキャリア周波数上で動作するキャリア周波数を提供するセルを見つけなければならない。
【０５０６】
従って、ＵＥが「Ｅ−ＵＴＲＡＮによってサービスされない」か、又はＶ２Ｘ通信によってトリガーされたＰＬＭＮの選択を行うとき、ＵＥがＰＣ５を介したＶ２Ｘ通信を行うセルを見つけなければならない必要があれば、ＵＥは、ＵＥが使用しようとするプロビジョニングされたキャリア周波数に属するキャリア周波数上で動作するキャリア周波数を提供するセルを見つけることが好ましい。このような動作を支援するために、次のように行わなければならない。
【０５０７】
６．１．２．３  ＵＥがＰＣ５を介したＶ２Ｘ通信のためにプロビジョニング（ｐｒｏｖｉｓｉｏｎｉｎｇ）された無線資源を用いる手続
【０５０８】
ＵＥがＥ−ＵＴＲＡＮによってサービスされないとき（ｎｏｔ  ｓｅｒｖｅｄ  ｂｙ  Ｅ−ＵＴＲＡＮ）、無線パラメータ（即ち、キャリア周波数）がＰＣ５を介したＶ２Ｘ通信のためのＶ２Ｘ周波数へのＶ２Ｘサービス識別子のマッピングによって選択されると、ＵＥは選択された無線パラメータを用いる。そうでなければ、ＵＥは次のようにＰＣ５を介したＶ２Ｘ通信のために用いられる無線パラメータ（ｒａｄｉｏ  ｐａｒａｍｅｔｅｒｓ）を選択する：
【０５０９】
−  ＵＥが地理的領域（ｇｅｏｇｒａｐｈｉｃａｌ  ａｒｅａ）内に自身が位置すると自己判断でき、ＵＥに地理的領域のための無線パラメータがプロビジョニング（ｐｒｏｖｉｓｉｏｎｉｎｇ）されると、ＵＥは地理的領域と関連した無線パラメータを選択する；或いは
【０５１０】
−  他の全ての場合において、ＵＥはＰｒｏＳｅ直接通信を開始しない。
【０５１１】
ＵＥが３ＧＰＰ  ＲＡＴのカバレッジ内にあるとき、例えば、ＵＥはサービングＰＬＭＮから導出された情報を用いて、ＵＥが、自身が特定の地理的領域内に位置すると決定することができる。また、ＵＥが３ＧＰＰ  ＲＡＴのカバレッジにないとき、ＵＥはローカル規定によって決定された異なる技術（例えば、全地球航法衛星システム（ＧＮＳＳ：Ｇｌｏｂａｌ  Ｎａｖｉｇａｔｉｏｎ  Ｓａｔｅｌｌｉｔｅ  Ｓｙｓｔｅｍ）を用いてＵＥが自身が特定の地理的領域内に位置すると決定することができる。
【０５１２】
ＰＣ５を介したＶ２Ｘ通信を開始する前にＵＥが「運営者によって管理される（ｏｐｅｒａｔｏｒ  ｍａｎａｇｅｄ）」無線パラメータを使用することを希望すると、ＵＥは選択された無線パラメータが他のセルに干渉を誘発せず、現在の位置内で用いられることができるかを下位層とチェックする。
【０５１３】
−  下位層が、使用がどんな干渉も誘発しないと指示すると、ＵＥはＰＣ５を介したＶ２Ｘ通信を開始する；或いは
【０５１４】
もし、下位層が、ＵＥが使用しようとするプロビジョニングキャリア周波数に属するキャリア周波数上で動作するか、又は該当キャリア周波数を提供するセルが存在すると見つけると、また、セルが登録されたＰＬＭＮ又は登録されたＰＬＭＮと等価のＰＬＭＮに属すると、また、ＵＥがこのＰＬＭＮ内でＰＣ５を介したＶ２Ｘ通信のために許可された場合、ＵＥは、セルによって指示された無線資源を用いることができる。
【０５１５】
−  そうでなく、下位層がＵＥが使用しようとするプロビジョニングキャリア周波数に属するキャリア周波数上で動作するか、又は該当キャリア周波数を提供する一つ以上のＰＬＭＮを報告すると：
【０５１６】
ａ）次のような条件が満たされると：
【０５１７】
１）下位層によって報告されたＰＬＭＮが登録されたＰＬＭＮ又は登録されたＰＬＭＮと同等のＰＬＭＮではない場合；
【０５１８】
２）下位層によって報告されたＰＬＭＮの少なくとも一つがＰＣ５を介したＶ２Ｘ通信のために許可されたＰＬＭＮのリストに含まれ、ＰＣ５を介したＶ２Ｘ通信のための無線資源を提供する場合；及び
【０５１９】
３）ＵＥが緊急のＰＤＮ連結を有さない場合；
【０５２０】
そうすれば、ＵＥは次のように動作する：
【０５２１】
１）ＥＭＭ−ＩＤＬＥモードであると、ＰＣ５を介したＶ２Ｘ通信によってトリガーされたＰＬＭＮの選択を行う；或いは
【０５２２】
２）そうでなく、ＥＭＭ−連結モードであると、次のうちの一つを行う：
【０５２３】
ｉ）ディタッチ（ｄｅｔａｃｈ）手続を行い、ＰＣ５を介したＶ２Ｘ通信によってトリガーされたＰＬＭＮの選択を行う；或いは
【０５２４】
ｉｉ）ＰｒｏＳｅ直接通信を開始しない。
【０５２５】
ＵＥが前記のｉ）又はｉｉ）のうちどの動作を行うかはＵＥの具現に従う。
【０５２６】
ｂ）そうでなければ、ＵＥはＰＣ５を介したＶ２Ｘ通信を開始しない。
【０５２７】
選択されたＰＬＭＮへの登録が成功されると、ＵＥはＰＣ５を介したＶ２Ｘ通信を開始するための手続を行う。
【０５２８】
ＵＥが地理的領域と関連した無線パラメータを用いてＰＣ５を介したＶ２Ｘ通信を行う中に地理的領域を外れると、ＵＥはＰＣ５を介したＶ２Ｘ通信を行うことを中断する：
【０５２９】
−  ＵＥがＥ−ＵＴＲＡＮによってサービスされないと（ｎｏｔ  ｓｅｒｖｅｄ  ｂｙ  Ｅ−ＵＴＲＡＮ）、又はＵＥがサービングＥ−ＵＴＲＡＮセルによって動作（ｏｐｅｒａｔｅ）される無線資源以外のＰＣ５を介したＶ２Ｘ通信のための無線資源を用いることを希望すると、ＵＥは新たな地理的領域のための適切な無線パラメータを選択する；或いは
【０５３０】
−  ＵＥがＥ−ＵＴＲＡＮによってサービスされ（ｓｅｒｖｅｄ  ｂｙ  Ｅ−ＵＴＲＡＮ）、サービングＥ−ＵＴＲＡＮセルによって動作（ｏｐｅｒａｔｅ）されるＰＣ５を介したＶ２Ｘ通信のための無線資源を用いることを希望すると、ＵＥは、Ｅ−ＵＴＲＡＮによってサービスされるとき、ＰＣ５を介したＶ２Ｘ通信を開始するための手続を行う。
【０５３１】
３．１Ｃ  ＰＣ５を介したＶ２Ｘ通信によってトリガーされたＰＬＭＮの選択
【０５３２】
ＭＳ（Ｍｏｂｉｌｅ  Ｓｔａｔｉｏｎ）がＰＣ５を介したＶ２Ｘ通信を支援し、ＰＣ５を介したＶ２Ｘ通信のためにＰＬＭＮの選択を行う必要があり、ＭＳは次のように行う：
【０５３３】
ｉ）このＰＣ５を介したＶ２Ｘ通信によるＰＬＭＮの選択がＰＣ５を介したＶ２Ｘ通信又はマニュアルＣＳＧ（Ｃｌｏｓｅｄ  Ｓｕｂｓｃｒｉｂｅ  Ｇｒｏｕｐ）の選択によるまた別のＰＬＭＮの選択に従わない限り、ＭＳはＰＣ５を介したＶ２Ｘ通信によりＰＬＭＮの選択が開始される前に用いられていたＰＬＭＮの選択モードの複写値及び登録されたＰＬＭＮ（ＲＰＬＭＮ：Ｒｅｇｉｓｔｅｒｅｄ  ＰＬＭＮ）の複写値を格納する；
【０５３４】
ｉｉ）ＭＳは後述する追加的な要求事項ｉｉｉ）乃至ｘ）を考慮し、ＰＬＭＮの選択の自動モードに進入する；
【０５３５】
ｉｉｉ）ＭＲが使用しようとするプロビジョニングされたキャリア周波数に属したキャリア周波数上で動作するか、又は該当キャリア周波数を提供するＥ−ＵＴＲＡＮセルによって広告されたＰＬＭＮのうち、ＭＳは次のような一つの許可可能なＰＬＭＮを選択する：
【０５３６】
１）ＰＣ５を介したＶ２Ｘ通信のための無線資源を提供するＰＬＭＮ；
【０５３７】
２）ＰＣ５を介したＶ２Ｘ通信のために許可されたＰＬＭＮのリストに属したＰＬＭＮ；及び
【０５３８】
３）「Ｅ−ＵＴＲＡＮにＰＬＭＮが許可されない」のリストに属さないＰＬＭＮ；
【０５３９】
前述した条件１）乃至３）が満たされると、ＭＳはＰＬＭＮに登録を試みる。前述した条件１）乃至３）の何れの条件で満たさなければ、ＭＳは格納された複写されたＰＬＭＮの選択モードに戻し、追加的な動作のために、格納されたＲＰＬＭＮの複写された値を使用する；
【０５４０】
ｉｖ）「ＰＬＭＮが許可されない」又は「ＥＰＳサービスが許可されない」ことによって登録が失敗されると、ＭＳは禁止されたＰＬＭＮの適切なリストを更新し、次を行う：
【０５４１】
Ａ）ＰＬＭＮがＰＣ５を介したＶ２Ｘ通信を行うためにＭＳによって必要な共通の無線資源を提供すると、ＭＳは制限されたサービス状態で選択されたＰＬＭＮ上でＰＣ５を介したＶ２Ｘ通信を行う。この場合、ＭＳはＰＣ５を介したＶ２Ｘ通信の区間の間に利用可能な、且つ許可可能なＰＬＭＮを探索しない；
【０５４２】
Ｂ）格納された複写されたＰＬＭＮの選択モードに戻し、追加された動作のために格納されたＲＰＬＭＮの複写された値を使用する；或いは
【０５４３】
Ｃ）ＭＳが登録に失敗したＰＬＭＮを除き、ＰＬＭＮの選択でｉｉｉ）で前述した動作を再度行う。
【０５４４】
ＭＳが前述したＡ）、Ｂ）又はＣ）を行うかは、ＭＳの具現に従う。
【０５４５】
ｖ）「ＰＬＭＮが許可されない」又は「ＥＰＳサービスが許可されない」ことによって登録が失敗すると、ＭＳは次を行う：
【０５４６】
−  失敗の処理が禁止されたＰＬＭＮのリストを更新を要求すると、適切なリストに更新する；且つ
【０５４７】
−  失敗の処理が禁止されたＰＬＭＮのリストを更新を要求しないと、ＭＳが登録に失敗したＰＬＭＮとして該当ＰＬＭＮを記憶する；
【０５４８】
そして、ＭＳは次のうち一つを行う：
【０５４９】
Ａ１）格納された複写されたＰＬＭＮの選択モードに戻し、以降の動作のために格納されたＲＰＬＭＮの複写された値を使用する；
【０５５０】
Ｂ１）ＭＳが登録に失敗したＰＬＭＮを除き、ＰＬＭＮの選択でｉｉｉ）で記述された動作を再度行う。
【０５５１】
Ｃ１）このＰＬＭＮ上の登録が以前にＰＬＭＮが許可されない」又は「ＥＰＳサービスが許可されない」ことによって失敗された場合、且つこのＰＬＭＮがＰＣ５を介したＶ２Ｘ通信を行うためにＭＳによって必要な共通の無線資源を提供すると、ＭＳはＰＣ５を介したＶ２Ｘ通信のためにＭＳでプロビジョニングされた無線資源内で動作するセルにより広告されたＰＬＭＮ上で制限されたサービス状態でＰＣ５を介したＶ２Ｘ通信を行う。この場合、ＭＳはＰＣ５を介したＶ２Ｘ通信の区間の間に利用可能な、且つ許可可能なＰＬＭＮの探索をしない；
【０５５２】
ＭＳが前述したＡ１）、Ｂ１）又はＣ１）を行うかはＭＳの具現に従う。
【０５５３】
ｖｉ）ＭＥが選択されたＰＬＭＮのカバレッジに位置しないと、ＵＥは次のうち一つを行う：
【０５５４】
Ａ２）プロビジョニングされた無線資源を用いてＰＣ５を介したＶ２Ｘ通信を行う；或いは
【０５５５】
Ｂ２）格納された複写されたＰＬＭＮの選択モードに戻し、追加動作のために格納されたＲＰＬＭＮの複写された値を用いる。
【０５５６】
ＭＳが前述したＡ２）又はＢ２）を行うかは、ＭＳの具現に従う。
【０５５７】
ｖｉｉ）ＭＳが選択されたＰＬＭＮ上で好適なセルを見つけることができなければ、ＭＳは次のうち一つを行う：
【０５５８】
Ａ３）ＰＬＭＮがＰＣ５を介したＶ２Ｘ通信を行うためにＭＳにより必要な共通の無線資源を提供すると、ＭＳは制限されたサービス状態で選択されたＰＬＭＮ上でＰＣ５を介したＶ２Ｘ通信を行う。この場合、ＭＳはＰＣ５を介したＶ２Ｘ通信の区間の間に利用可能な、且つ許可可能なＰＬＭＮの探索をしない；或いは
【０５５９】
Ｂ３）格納された複写されたＰＬＭＮの選択モードに戻し、追加動作のために格納されたＲＰＬＭＮの複写された値を用いる。
【０５６０】
ＭＳが前述したＡ３）又はＢ３）を行うかは、ＭＳの具現に従う。
【０５６１】
ｖｉｉｉ）ＭＳが選択されたＰＬＭＮにある間、電源がオフになり、再度オンになった場合、ＭＳはＲＰＬＭＮとして格納されたＲＰＬＭＮの複写された値を用いる；
【０５６２】
ｉｘ）ユーザーが選択されたセルにある間、ＰＬＭＮの選択を開始すると、ＭＳはＰＬＭＮの選択モードの格納された複写値を削除し、ＲＰＬＭＮとして格納されたＲＰＬＭＮの複写値を用いる。ＭＳが選択されたＰＬＭＮに成功的に登録されるとき、ＭＳはＲＰＬＭＮの格納された複写値を削除する；且つ
【０５６３】
ｘ）ＭＳがＰＣ５を介したＶ２Ｘ通信の実行をこれ以上必要としないと、ＭＳは格納された複写されたＰＬＭＮの選択モードに戻し、追加動作のためにＲＰＬＭＮの格納された複写値を使用する。
【０５６４】
ＰＣ５を介したＶ２Ｘ通信のために選択されたＰＬＭＮが訪問ＰＬＭＮ（ＶＰＬＭＮ：Ｖｉｓｉｔｅｄ  ＰＬＭＮ）であると、ＭＳはＰＣ５を介したＶ２Ｘ通信の区間の間に、より高い優先順位のＰＬＭＮを周期的にスキャンしない。
【０５６５】
また、前記の動作を具現するために、ＵＥのＰｒｏＳｅ層は、ＵＥの下位層（即ち、ＵＥのＡＳ層又はＵＥのＲＲＣ層）に下記のようなセルを見つけるという命令／指示を伝達することが好ましい。
【０５６６】
−  ＵＥが使用しようとするプロビジョニングされたキャリア周波数に属したキャリア周波数上で動作するか、又は該当キャリア周波数を提供するＥ−ＵＴＲＡＮセル
【０５６７】
これを受信したＵＥの下位層（即ち、ＵＥのＡＳ層又はＵＥのＲＲＣ層）は、該当セルを見つけるとき、上位層（即ち、ＵＥのＰｒｏＳｅ層）に知らせる。
【０５６８】
以下、キャリア周波数の選択及びＶ２ＸサービスとＶ２Ｘ周波数間のマッピングについて見る。
【０５６９】
６．１．２．１開始
【０５７０】
上位層は、ＵＥがＰＣ５を介したＶ２Ｘ通信を用いてＶ２Ｘサービス識別子によって識別されるＶ２ＸサービスのＶ２Ｘメッセージを送信するように要求することができる。
【０５７１】
上位層からの要求は次を含む：
【０５７２】
ａ）Ｖ２Ｘメッセージ；
【０５７３】
ｂ）Ｖ２ＸメッセージのためのＶ２ＸサービスのＶ２Ｘサービス識別子；
【０５７４】
ｃ）Ｖ２Ｘメッセージ内のデータタイプ（インターネットプロトコル（ＩＰ：Ｉｎｔｅｒｎｅｔ  Ｐｒｏｔｏｃｏｌ）又は非ＩＰ（ｎｏｎ−ＩＰ））；
【０５７５】
ｄ）Ｖ２Ｘメッセージが非ＩＰデータを含むと、Ｖ２Ｘメッセージ内のデータのＶ２Ｘメッセージのファミリー（ｆａｍｉｌｙ）；及び
【０５７６】
ｅ）Ｖ２Ｘメッセージの優先順位。
【０５７７】
上位層からＰＣ５を介したＶ２Ｘ通信を用いてＶ２Ｘサービス識別子によって識別されるＶ２ＸサービスのＶ２Ｘメッセージを送信するように要求を受信すると、ＵＥは次の手続を行う：
【０５７８】
ａ）もし、次の条件が満たされると：
【０５７９】
１）ＵＥがＥ−ＵＴＲＡＮによってサービスされるモードである（「ｓｅｒｖｅｄ  ｂｙ  Ｅ−ＵＴＲＡＮ」）；
【０５８０】
．．．
【０５８１】
この場合、ＵＥは次のように動作する：
【０５８２】
１）ＵＥがＰＣ５を介したＶ２Ｘ通信のためのＶ２Ｘ周波数のマッピング規則に対するＶ２Ｘサービス識別子が設定されると、且つ現在の地理的領域内Ｖ２ＸメッセージのためのＶ２ＸサービスのＶ２Ｘサービス識別子と関連した一つ以上のＶ２Ｘ周波数があると、Ｖ２ＸメッセージのためのＶ２ＸサービスのＶ２Ｘサービス識別子と関連した一つ以上のＶ２Ｘ周波数を下位層に伝達する；
【０５８３】
２）３ＧＰＰ  ＴＳ  ２４．３３４  １０．２．２節で規定されたように、ＰＣ５を介したＶ２Ｘ通信のための無線資源を要求する；及び
【０５８４】
３）６．１．２．２節で規定されたように、ＰＣ５を介したＶ２Ｘ通信の送信を行う。
【０５８５】
ｂ）反面、次の条件が満たされると：
【０５８６】
１）ＵＥが：
【０５８７】
Ａ）Ｅ−ＵＴＲＡＮによってサービスされないモードである（「ｎｏｔ  ｓｅｒｖｅｄ  ｂｙ  Ｅ−ＵＴＲＡＮ」）；又は
【０５８８】
．．．
【０５８９】
この場合、ＵＥは次のように動作する：
【０５９０】
１）ＵＥがＰＣ５を介したＶ２Ｘ通信のためのＶ２Ｘ周波数のマッピング規則に対するＶ２Ｘサービス識別子が設定されると、且つ現在の地理的領域内Ｖ２ＸメッセージのためのＶ２ＸサービスのＶ２Ｘサービス識別子と関連した一つ以上のＶ２Ｘ周波数があると、Ｖ２ＸメッセージのためのＶ２ＸサービスのＶ２Ｘサービス識別子と関連した一つ以上のＶ２Ｘ周波数を下位層に伝達する；
【０５９１】
２）６．１．２．３節に規定されたように、ＰＣ５を介したＶ２Ｘ通信のための無線資源を選択する；及び
【０５９２】
３）６．１．２．２節に定されたように、ＰＣ５を介したＶ２Ｘ通信の送信を行う。
【０５９３】
そうでなければ、ＵＥはＰＣ５を介したＶ２Ｘ通信を行わない。
【０５９４】
前記６．１．２．１の説明によると、下位層に一つ以上の周波数を提供するＵＥ動作は、Ｅ−ＵＴＲＡＮによってサービスされる、及びＥ−ＵＴＲＡＮによってサービスされないモードの両方に規定される。ＵＥ動作は、ＵＥがＥ−ＵＴＲＡＮによってサービスされるか、又はそうでないかを決定した後に行われる。
【０５９５】
観察２−１：３ＧＰＰ  ＴＳ  ２４．３８６の６．１．２．１節で、サービスタイプにマッピングされた一つ以上のキャリア周波数は、ＵＥがＥ−ＵＴＲＡＮによってサービスされるか否かを決定した後に下位層に提供される。
【０５９６】
「Ｅ−ＵＴＲＡＮによってサービスされない」の定義によると、ＵＥがＥ−ＵＴＲＡＮによってサービスされるか否かに対する決定は、ＵＥが使用しようとするキャリア周波数に依存する。従って、ＵＥ−ＰｒｏＳｅ層は、ＵＥがＥ−ＵＴＲＡＮによってサービスされるか否かを決定するために、ＵＥが使用しようとするキャリア周波数を知る必要がある。
【０５９７】
観察２−２：ＵＥ−ＰｒｏＳｅ層は、ＵＥがＥ−ＵＴＲＡＮによってサービスされるか否かを決定するために、「ＵＥが使用しようとするキャリア周波数」を知る必要がある。
【０５９８】
しかし、前記説明したように、ＵＥ−ＰｒｏＳｅ層は下位層に一つ以上のＶ２Ｘ周波数が提供される前に「ＵＥが使用しようとするキャリア周波数」を知ることができず、「ＵＥが使用しようとするキャリア周波数」は、ＵＥ−ＲＲＣ層で選択される。従って、決定時点に「ＵＥが使用しようとするキャリア周波数」が与えられないので、ＵＥは、ＵＥがＥ−ＵＴＲＡＮによってサービスされるか否かを決定することができない。
【０５９９】
観察２−３：現在の標準によると、決定時点に「ＵＥが使用しようとするキャリア周波数」が与えられないので、ＵＥは、ＵＥがＥ−ＵＴＲＡＮによってサービスされるか否かを決定することができない。
【０６００】
従って、ＵＥがＥ−ＵＴＲＡＮによってサービスされるか否かを決定する前に、サービスタイプにマッピングされる一つ以上のＶ２Ｘ周波数が下位層に提供される動作が行われることが好ましい。
【０６０１】
提案２−１：サービスタイプにマッピングされる一つ以上のＶ２Ｘ周波数が、下位層に提供される動作がＵＥがＥ−ＵＴＲＡＮによってサービスされるか否かを決定する前に行われることを提案する。
【０６０２】
また、前記観察２−２を支援するために、ＵＥ−ＲＲＣ層で選択される「ＵＥが使用しようとするキャリア周波数」は、ＵＥがＥ−ＵＴＲＡＮによってサービスされるか否かを決定するために、ＵＥ−ＰｒｏＳｅ層に提供されなければならない。
【０６０３】
観察２−４：ＵＥ−ＲＲＣ層で選択される「ＵＥが使用しようとするキャリア周波数」は、ＵＥがＥ−ＵＴＲＡＮによってサービスされるか否かを決定するために、ＵＥ−ＰｒｏＳｅ層に提供されなければならない。
【０６０４】
図８は、前記説明したように、サービスタイプとキャリア周波数のマッピングを考慮し、ＵＥがＥ−ＵＴＲＡＮによってサービスされるか否かを決定するためのＵＥ−ＰｒｏＳｅ層とＵＥ−ＲＲＣ層間に一連の動作を例示する。
【０６０５】
提案２−２：ＵＥ−ＲＲＣ層は、ＵＥが使用しようとする選択されたキャリア周波数をＵＥ−ＰｒｏＳｅ層に知らせることができる。
【０６０６】
現在、ＰＣ５を介したＶ２Ｘ通信のために、Ｖ２Ｘ周波数とＶ２Ｘサービス識別子のマッピング規則が設定されないＵＥに対するキャリア周波数の選択手続は規定されていない。ＰｒｏＳｅ内の直接通信と異なるＰＣ５を介したＶ２Ｘ通信で、多重のキャリア周波数がプロビジョニングされることができる。従って、ＰＣ５を介したＶ２Ｘ通信のために、Ｖ２Ｘ周波数とＶ２Ｘサービス識別子のマッピング規則が設定されない場合にも、ＵＥは、ＵＥが使用しようとするキャリア周波数を選択しなければならない。
【０６０７】
ＵＥがＰＣ５を介したＶ２Ｘ通信のために、Ｖ２Ｘ周波数とＶ２Ｘサービス識別子のマッピング規則が設定されるとき、ＵＥ動作を考慮するとき、前記図７のように、ＵＥが使用しようとするキャリア周波数を選択する「設定されないケース」の手続は、「設定されたケース」の手続と同一でなければならない。
【０６０８】
提案２−３：ＵＥがＰＣ５を介したＶ２Ｘ通信のために、Ｖ２Ｘ周波数とＶ２Ｘサービス識別子のマッピング規則が設定されない場合、ＵＥ−ＰｒｏＳｅ層は、下位層にプロビジョニングキャリア周波数を提供することができる。下位層は、「ＵＥが使用しようとするキャリア周波数」を選択し、「ＵＥが使用しようとする選択されたキャリア周波数」をＵＥ−ＰｒｏＳｅ層に提供することができる。
【０６０９】
以下、Ｅ−ＵＴＲＡＮによってサービスされないときのＵＥ動作について見る。
【０６１０】
３ＧＰＰ  ＴＳ  ２４．３８６の６．１．２．３節で、ＵＥがＥ−ＵＴＲＡＮによってサービスされないとき、無線パラメータの選択が規定される。選択された無線パラメータは、キャリア周波数だけでなく、該当キャリア周波数内の無線資源を含む。
【０６１１】
６．１．２．３  ＵＥがＰＣ５を介したＶ２Ｘ通信のためにプロビジョニング（ｐｒｏｖｉｓｉｏｎｉｎｇ）された無線資源を用いる手続
【０６１２】
ＵＥがＶ２Ｘ通信のためにＥ−ＵＴＲＡＮによってサービスされないとき（ｎｏｔ  ｓｅｒｖｅｄ  ｂｙ  Ｅ−ＵＴＲＡＮ）、ＵＥは次のようにＰＣ５を介したＶ２Ｘ通信のために用いられる無線パラメータ（ｒａｄｉｏ  ｐａｒａｍｅｔｅｒｓ）を選択する：
【０６１３】
−  ＵＥが地理的領域（ｇｅｏｇｒａｐｈｉｃａｌ  ａｒｅａ）内に自身が位置すると自己判断でき、ＵＥに地理的領域のための無線パラメータがプロビジョニング（ｐｒｏｖｉｓｉｏｎｉｎｇ）されると、ＵＥは地理的領域と関連した無線パラメータを選択する；或いは
【０６１４】
−  他の全ての場合において、ＵＥはＰＣ５を介したＶ２Ｘ通信を開始しない。
【０６１５】
前述したように、３ＧＰＰ  ＴＳ  ２４．３８６の６．１．２．１節で「ＵＥが使用しようとするキャリア周波数」が選択される。但し、ＵＥがＥ−ＵＴＲＡＮによってサービスされないとき（ｎｏｔ  ｓｅｒｖｅｄ  ｂｙ  Ｅ−ＵＴＲＡＮ）、３ＧＰＰ  ＴＳ  ２４．３８６の６．１．２．１節で無線パラメータの選択のうち、地理的領域に対するプロビジョニングされた無線パラメータに基づいて、再度キャリア周波数の選択が行われる。３ＧＰＰ  ＴＳ  ２４．３８６の６．１．２．１節で、キャリア周波数の選択は、「ＵＥが使用しようとする選択されたキャリア周波数」を考慮しない。
【０６１６】
サービスタイプとキャリア周波数のマッピングは、ＵＥがＥ−ＵＴＲＡＮによってサービスされるときのみならず、ＵＥがＥ−ＵＴＲＡＮによってサービスされないときに支援されなければならない。但し、現在、３ＧＰＰ  ＴＳ  ２４．３８６の６．１．２．１節で現在の規定によると、３ＧＰＰ  ＴＳ  ２４．３８６の６．１．２．１節内のマッピングに基づいた、選択されたキャリア周波数は、ＵＥが「Ｅ−ＵＴＲＡＮによってサービスされない」ときに支援されない。
【０６１７】
観察３−１：３ＧＰＰ  ＴＳ  ２４．３８６の６．１．２．１節内のサービスタイプとキャリア周波数のマッピングは、ＵＥがＥ−ＵＴＲＡＮによってサービスされないときに支援されない。
【０６１８】
従って、３ＧＰＰ  ＴＳ  ２４．３８６の６．１．２．１節でキャリア周波数の選択が一度行われ、３ＧＰＰ  ＴＳ  ２４．３８６の６．１．２．１節内で選択されたキャリア周波数は、ＵＥがＥ−ＵＴＲＡＮによってサービスされず、無線パラメータを選択するときにも考慮されなければならない。
【０６１９】
提案３−１：ＵＥがＥ−ＵＴＲＡＮによってサービスされないとき、ＵＥは３ＧＰＰ  ＴＳ  ２４．３８６の６．１．２．１節内で選択されたＵＥが使用しようとするキャリア周波数と地理的領域と関連した無線パラメータを選択することができる。
【０６２０】
３ＧＰＰ  ＴＳ  ２４．３８６の６．１．２．３節では、ＵＥがＥ−ＵＴＲＡＮによってサービスされないとき、ＰＣ５を介したＶ２Ｘ通信を行うためのセル／ＰＬＭＮの探索を次のように規定している。
【０６２１】
６．１．２．３  ＵＥがＰＣ５を介したＶ２Ｘ通信のためのプロビジョニングされた無線資源を用いるための手続
【０６２２】
ＵＥがＶ２Ｘ通信のためにＥ−ＵＴＲＡＮによってサービスされないとき、ＵＥは次のようにＰＣ５を介したＶ２Ｘ通信のために用いられる無線パラメータを選択する：
【０６２３】
…
【０６２４】
下位層がプロビジョニングされた無線資源（即ち、キャリア周波数）を運用するセルが存在すると見つけると、且つ該当セルが登録されたＰＬＭＮ又は登録されたＰＬＭＮと同等の（ｅｑｕｉｖａｌｅｎｔ）ＰＬＭＮに属すると、且つＵＥがこのＰＬＭＮ内ＰＣ５を介したＶ２Ｘ通信のために許可されると、ＵＥは３ＧＰＰ  ＴＳ３６．３３１内で規定されたように、該当セルによって指示された無線パラメータを用いることができる。
【０６２５】
−  そうでなく、下位層がプロビジョニングされた無線資源（即ち、キャリア周波数）内で動作する一つ以上のＰＬＭＮを報告すると：
【０６２６】
しかし、クロスキャリアの動作が導入された後（前記「ＰＣ５を介したＶ２Ｘ通信のためのＥ−ＵＴＲＡＮによってサービスされない」の定義又は「観察Ａ」参照）、ＵＥがＥ−ＵＴＲＡＮによってサービスされないとき、プロビジョニングされた無線資源を運用するセル／ＰＬＭＮを探索することはこれ以上有効ではない。代わりに、ＵＥは、ＵＥが使用しようとするＰＣ５を介したＶ２Ｘ通信のためのキャリア周波数上を提供するセル／ＰＬＭＮ又はＵＥが使用しようとするＰＣ５を介したＶ２Ｘ通信のためのキャリア周波数上で動作するセル／ＰＬＭＮを見つけなければならない。
【０６２７】
観察３−２：ＵＥがＥ−ＵＴＲＡＮによってサービスされないとき、ＵＥがＰＣ５を介したＶ２Ｘ通信を行うためのセル／ＰＬＭＮを見つけなければならない必要があると、ＵＥは、ＵＥが使用しようとするＰＣ５を介したＶ２Ｘ通信のためのキャリア周波数を提供するセル／ＰＬＭＮ又はＵＥが使用しようとするＰＣ５を介したＶ２Ｘ通信のためのキャリア周波数上で動作するセル／ＰＬＭＮを見つけなければならない。
【０６２８】
提案３−２：３ＧＰＰ  ＴＳ  ２４．３８６の６．１．２．３節及び３ＧＰＰ  ＴＳ  ２３．１２２の３．１Ｃ節に後述する動作が適用されることができる。
【０６２９】
ＵＥがＥ−ＵＴＲＡＮによってサービスされないとき、ＵＥがＰＣ５を介したＶ２Ｘ通信を行うためのセル／ＰＬＭＮを見つけなければならない必要があると、ＵＥは、ＵＥが使用しようとするＰＣ５を介したＶ２Ｘ通信のためのキャリア周波数を提供するセル／ＰＬＭＮ又はＵＥが使用しようとするＰＣ５を介したＶ２Ｘ通信のためのキャリア周波数上で動作するセル／ＰＬＭＮを見つけなければならない。
【０６３０】
前記提案１−１を反映した手続、動作及び方法は、次の通りである。
【０６３１】
３．１  定義
【０６３２】
ＵＥが次の通りであるとき、Ｖ２Ｘ通信のための「Ｅ−ＵＴＲＡＮによってサービスされない」モードと定義する：
【０６３３】
−  Ｅ−ＵＴＲＡＮカバレッジを外れるとき；
【０６３４】
−  Ｅ−ＵＴＲＡＮカバレッジ内であるが、どのセルにもキャンプ（ｃａｍｐ）しないとき；
【０６３５】
−  Ｅ−ＵＴＲＡＮカバレッジ内であるが、非ＥＵＴＲＡＮ（ｎｏｎ−Ｅ−ＵＴＲＡＮ）セルにキャンプ（ｃａｍｐ）するとき；
【０６３６】
−  ＰＣ５を介したＶ２Ｘ通信がネットワークによって支援されると指示しないＥ−ＵＴＲＡＮセルにキャンプ（ｃａｍｐ）するとき；
【０６３７】
−  ＰＣ５を介したＶ２Ｘ通信がネットワークによって支援されると指示する、且つＵＥが使用しようとするプロビジョニングされた（ｐｒｏｖｉｓｉｏｎｅｄ）キャリア周波数に属さないＰＣ５を介したＶ２Ｘ通信のためのキャリア周波数及び／又は無線資源を提供するＥ−ＵＴＲＡＮセルにキャンプ（ｃａｍｐ）するとき；或いは
【０６３８】
−  ＰＣ５を介したＶ２Ｘ通信がネットワークによって支援されると指示する、且つＵＥが使用しようとするＰＣ５を介したＶ２Ｘ通信のためにプロビジョニングされた（ｐｒｏｖｉｓｉｏｎｅｄ）キャリア周波数に属さないキャリア周波数上に運用されるが、ＰＣ５を介したＶ２Ｘ通信のためのいかなるキャリア周波数及び無線資源をブロードキャスティングしないＥ−ＵＴＲＡＮセルにキャンプ（ｃａｍｐ）するとき。
【０６３９】
６．１．２．１開始
【０６４０】
上位層は、ＵＥがＰＣ５を介したＶ２Ｘ通信を用いてＶ２Ｘサービス識別子によって識別されるＶ２ＸサービスのＶ２Ｘメッセージを送信するように要求することができる。
【０６４１】
上位層からの要求は次を含む：
【０６４２】
ａ）Ｖ２Ｘメッセージ；
【０６４３】
ｂ）Ｖ２ＸメッセージのためのＶ２ＸサービスのＶ２Ｘサービス識別子；
【０６４４】
ｃ）Ｖ２Ｘメッセージ内のデータタイプ（ＩＰ又は非ＩＰ）；
【０６４５】
ｄ）Ｖ２Ｘメッセージが非ＩＰデータを含むと、Ｖ２Ｘメッセージ内のデータのＶ２Ｘメッセージのファミリー（ｆａｍｉｌｙ）；及び
【０６４６】
ｅ）Ｖ２Ｘメッセージの優先順位。
【０６４７】
上位層からＰＣ５を介したＶ２Ｘ通信を用いてＶ２Ｘサービス識別子によって識別されるＶ２ＸサービスのＶ２Ｘメッセージを送信するように要求を受信すると、ＵＥは次の手続を行う：
【０６４８】
ａ）もし、次の条件が満たされると：
【０６４９】
１）ＵＥがＶ２Ｘ通信のためのＥ−ＵＴＲＡＮによってサービスされるモードである（「ｓｅｒｖｅｄ  ｂｙ  Ｅ−ＵＴＲＡＮ」）；
【０６５０】
２）ＵＥがＥ−ＵＴＲＡＮセルによって提供される無線資源（即ち、キャリア周波数）を使用しようとする；
【０６５１】
３）３ＧＰＰ  ＴＳ  ２４．３８６の５．２．４節で規定されたように、ＵＥがＶ２Ｘ通信のためにＥ−ＵＴＲＡＮによってサービスされるとき、登録されたＰＬＭＮが、ＵＥがＰＣ５を介したＶ２Ｘ通信を利用するように許可されたＰＬＭＮリスト内に属する；及び
【０６５２】
４）３ＧＰＰ  ＴＳ  ２４．３８６の５．２．４節で規定されたように、Ｖ２ＸサービスのＶ２Ｘサービス識別子がＰＣ５を介したＶ２Ｘ通信のために許可されたＶ２Ｘサービスのリスト内に含まれるか、又は３ＧＰＰ  ＴＳ  ２４．３８６の５．２．４節で規定されたように、ＵＥがＰＣ５を介したＶ２Ｘ通信のための基本宛先第２層識別子（ｄｅｓｔｉｎａｔｉｏｎ  Ｌａｙｅｒ−２  ＩＤ（Ｉｄｅｎｔｉｆｉｅｒ））に設定される；
【０６５３】
この場合、ＵＥは次のように動作する：
【０６５４】
１）３ＧＰＰ  ＴＳ  ２４．３８６の５．２．４節で規定されたように、ＰＣ５を介したＶ２Ｘ通信のためにＶ２Ｘサービス識別子のＶ２Ｘ周波数へのマッピング規則が設定されると、且つ現在の地理的領域内Ｖ２ＸメッセージのためのＶ２ＸサービスのＶ２Ｘサービス識別子と関連した一つ以上のＶ２Ｘ周波数が存在すると、下位層にＶ２ＸメッセージのためのＶ２ＸサービスのＶ２Ｘサービス識別子と関連した一つ以上のＶ２Ｘ周波数を伝達する；
【０６５５】
２）３ＧＰＰ  ＴＳ  ２４．３３４  １０．２．２節で規定されたように、ＰＣ５を介したＶ２Ｘ通信のための無線資源を要求する；且つ
【０６５６】
３）３ＧＰＰ  ＴＳ  ２４．３８６  ６．１．２．２節で規定されたように、ＰＣ５を介したＶ２Ｘ通信の送信を行う；且つ
【０６５７】
ｂ）もし、次の条件が満たされると：
【０６５８】
１）ＵＥが：
【０６５９】
Ａ）Ｖ２Ｘ通信のためのＥ−ＵＴＲＡＮによってサービスされないモードである（「ｎｏｔ  ｓｅｒｖｅｄ  ｂｙ  Ｅ−ＵＴＲＡＮ」）；或いは
【０６６０】
Ｂ）３ＧＰＰ  ＴＳ  ２３．１２２で規定されたように、制限されたサービス状態で、もしＵＥが制限されたサービス状態である理由が次のうちいずれかに該当すると；
【０６６１】
ｉ）３ＧＰＰ  ＴＳ  ３６．３０４内に規定されたように、ＵＥが選択されたＰＬＭＮ内で好適なセル（ｓｕｉｔａｂｌｅ  ｃｅｌｌ）を見つけることができない場合；
【０６６２】
ｉｉ）３ＧＰＰ  ＴＳ  ２４．３０１内に規定されたように、ＵＥがＥＭＭ原因＃１１「ＰＬＭＮが許可されない（ＰＬＭＮ  ｎｏｔ  ａｌｌｏｗｅｄ）」を含むアタッチ拒絶（ＡＴＴＡＣＨ  ＲＥＪＥＣＴ）メッセージ又はトラッキング領域更新拒絶（ＴＲＡＣＫＩＮＧ  ＡＲＥＡ  ＵＰＤＡＴＥ  ＲＥＪＥＣＴ）メッセージ又はサービス拒絶（ＳＥＲＶＩＣＥ  ＲＥＪＥＣＴ）メッセージを受信するか、又は３ＧＰＰ  ＴＳ  ２４．００８内に規定されたように、ＵＥがＥＭＭ原因＃１１「ＰＬＭＮが許可されない（ＰＬＭＮ  ｎｏｔ  ａｌｌｏｗｅｄ）」を含む位置更新拒絶（ＬＯＣＡＴＩＯＮ  ＵＰＤＡＴＩＮＧ  ＲＥＪＥＣＴ）メッセージ又はＧＰＲＳアタッチ拒絶（ＧＰＲＳ  ＡＴＴＡＣＨ  ＲＥＪＥＣＴ）メッセージ又はルーティング領域更新拒絶（ＲＯＵＴＩＮＧ  ＡＲＥＡ  ＵＰＤＡＴＥ  ＲＥＪＥＣＴ）メッセージを受信した場合；又は
【０６６３】
ｉｉｉ）３ＧＰＰ  ＴＳ  ２４．３０１内に規定されたように、ＵＥがＥＭＭ原因＃７「ＥＰＳサービスが許可されない（ＥＰＳ  ｓｅｒｖｉｃｅｓ  ｎｏｔ  ａｌｌｏｗｅｄ）」を含むアタッチ拒絶メッセージ又はトラッキング領域更新拒絶メッセージ又はサービス拒絶メッセージを受信した場合、又は３ＧＰＰ  ＴＳ  ２４．００８内に規定されたように、ＥＭＭ原因＃７「ＧＰＲＳサービスが許可されない（ＧＰＲＳ  ｓｅｒｖｉｃｅｓ  ｎｏｔ  ａｌｌｏｗｅｄ）」を含む位置更新拒絶メッセージ又はＧＰＲＳアタッチ拒絶メッセージ又はルーティング領域更新拒絶メッセージ又はサービス拒絶メッセージを受信した場合；或いは
【０６６４】
Ｃ）前記のｉ）、ｉｉ）、ｉｉｉ）以外の理由で３ＧＰＰ  ＴＳ  ２３．１２２内に規定された制限されたサービス状態であり、３ＧＰＰ  ＴＳ  ２４．３８６の５．２．４節で規定されたように、「運営者によって管理されない（ｎｏｎ−ｏｐｅｒａｔｏｒ  ｍａｎａｇｅｄ）」無線パラメータがプロビジョニング（ｐｒｏｖｉｓｉｏｎｉｎｇ）される地理的領域内に位置する；
【０６６５】
２）３ＧＰＰ  ＴＳ  ２４．３８６の５．２．４節で規定されたように、ＵＥがＶ２Ｘ通信のためにＥ−ＵＴＲＡＮによってサービスされないモードであるとき、ＵＥがＰＣ５を介したＶ２Ｘ通信を利用するように許可される；及び
【０６６６】
３）３ＧＰＰ  ＴＳ  ２４．３８６の５．２．４節で規定されたように、Ｖ２ＸサービスのＶ２Ｘサービス識別子がＰＣ５を介したＶ２Ｘ通信のために許可されたＶ２Ｘサービスのリスト内に含まれるか、３ＧＰＰ  ＴＳ  ２４．３８６の５．２．４節で規定されたように、ＵＥがＰＣ５を介したＶ２Ｘ通信のための基本宛先第２層識別子（ｄｅｓｔｉｎａｔｉｏｎ  Ｌａｙｅｒ−２  ＩＤ（Ｉｄｅｎｔｉｆｉｅｒ））に設定される；
【０６６７】
この場合、ＵＥは次のように動作する：
【０６６８】
１）３ＧＰＰ  ＴＳ  ２４．３８６の５．２．４節で規定されたように、ＰＣ５を介したＶ２Ｘ通信のために、Ｖ２Ｘサービス識別子のＶ２Ｘ周波数へのマッピング規則が設定されると、且つ現在の地理的領域内Ｖ２ＸメッセージのためのＶ２ＸサービスのＶ２Ｘサービス識別子と関連した一つ以上のＶ２Ｘ周波数が存在すると、下位層にＶ２ＸメッセージのためのＶ２ＸサービスのＶ２Ｘサービス識別子と関連した一つ以上のＶ２Ｘ周波数を伝達する。
【０６６９】
２）３ＧＰＰ  ＴＳ２４．３８６の６．１．２．３節に規定されたように、ＰＣ５を介したＶ２Ｘ通信のための無線資源を選択する；且つ
【０６７０】
３）３ＧＰＰ  ＴＳ２４．３８６の６．１．２．２節に規定されたように、ＰＣ５を介したＶ２Ｘ通信の送信を行う；
【０６７１】
そうでなければ、ＵＥはＰＣ５を介したＶ２Ｘ通信を行わない。
【０６７２】
前記提案２−１及び２−３を反映した手続、動作及び方法は次の通りである。
【０６７３】
６．１．２．１開始
【０６７４】
上位層は、ＵＥがＰＣ５を介したＶ２Ｘ通信を利用してＶ２Ｘサービス識別子によって識別されるＶ２ＸサービスのＶ２Ｘメッセージを送信するように要求することができる。
【０６７５】
上位層からの要求は次を含む：
【０６７６】
ａ）Ｖ２Ｘメッセージ；
【０６７７】
ｂ）Ｖ２ＸメッセージのためのＶ２ＸサービスのＶ２Ｘサービス識別子；
【０６７８】
ｃ）Ｖ２Ｘメッセージ内のデータタイプ（ＩＰ又は非ＩＰ）；
【０６７９】
ｄ）Ｖ２Ｘメッセージが非ＩＰデータを含むと、Ｖ２Ｘメッセージ内のデータのＶ２Ｘメッセージのファミリー（ｆａｍｉｌｙ）；及び
【０６８０】
ｅ）Ｖ２Ｘメッセージの優先順位。
【０６８１】
上位層からＰＣ５を介したＶ２Ｘ通信を利用してＶ２Ｘサービス識別子によって識別されるＶ２ＸサービスのＶ２Ｘメッセージを送信するように要求を受信するとき、
【０６８２】
もし、３ＧＰＰ  ＴＳ  ２４．３８６の５．２．４節で規定されたように、ＰＣ５を介したＶ２Ｘ通信のために、Ｖ２Ｘサービス識別子のＶ２Ｘ周波数へのマッピング規則が設定されると、且つ現在の地理的領域内Ｖ２ＸメッセージのためのＶ２ＸサービスのＶ２Ｘサービス識別子と関連した一つ以上のＶ２Ｘ周波数が存在すると、下位層にＶ２ＸメッセージのためのＶ２ＸサービスのＶ２Ｘサービス識別子と関連した一つ以上のＶ２Ｘ周波数を伝達する；或いは
【０６８３】
そうでなく、ＵＥが地理的領域のための無線パラメータがプロビジョニングされると、現在の地理的領域と関連したＰＣ５を介したＶ２Ｘ通信のための一つ以上のプロビジョニングされたキャリア周波数を下位層に伝達する。
【０６８４】
下位層からＵＥが使用しようとするキャリア周波数を受信するとき、ＵＥは次の手続を行う：
【０６８５】
ａ）もし、次の条件が満たされると：
【０６８６】
１）ＵＥがＶ２Ｘ通信のためのＥ−ＵＴＲＡＮによってサービスされるモードである（「ｓｅｒｖｅｄ  ｂｙ  Ｅ−ＵＴＲＡＮ」）；
【０６８７】
２）ＵＥがＥ−ＵＴＲＡＮセルによって提供される無線資源（即ち、キャリア周波数）を使用しようとする；
【０６８８】
３）３ＧＰＰ  ＴＳ  ２４．３８６の５．２．４節で規定されたように、ＵＥがＶ２Ｘ通信のためにＥ−ＵＴＲＡＮによってサービスされるとき、登録されたＰＬＭＮが、ＵＥがＰＣ５を介したＶ２Ｘ通信を利用するように許可されたＰＬＭＮリスト内に属する；及び
【０６８９】
４）３ＧＰＰ  ＴＳ  ２４．３８６の５．２．４節で規定されたように、Ｖ２ＸサービスのＶ２Ｘサービス識別子がＰＣ５を介したＶ２Ｘ通信のために許可されたＶ２Ｘサービスのリスト内に含まれるか、又は３ＧＰＰ  ＴＳ  ２４．３８６の５．２．４節で規定されたように、ＵＥがＰＣ５を介したＶ２Ｘ通信のための基本宛先第２層識別子（ｄｅｓｔｉｎａｔｉｏｎ  Ｌａｙｅｒ−２  ＩＤ（Ｉｄｅｎｔｉｆｉｅｒ））に設定される；
【０６９０】
この場合、ＵＥは次のように動作する：
【０６９１】
１）３ＧＰＰ  ＴＳ  ２４．３３４の１０．２．２節で規定されたように、ＰＣ５を介したＶ２Ｘ通信のための無線資源を要求する；且つ
【０６９２】
２）３ＧＰＰ  ＴＳ  ２４．３８６の６．１．２．２節で規定されたように、ＰＣ５を介したＶ２Ｘ通信の送信を行う；且つ
【０６９３】
ｂ）もし、次の条件が満たされると：
【０６９４】
１）ＵＥが：
【０６９５】
Ａ）Ｖ２Ｘ通信のためのＥ−ＵＴＲＡＮによってサービスされないモードである（「ｎｏｔ  ｓｅｒｖｅｄ  ｂｙ  Ｅ−ＵＴＲＡＮ」）；或いは
【０６９６】
Ｂ）３ＧＰＰ  ＴＳ  ２３．１２２で規定された制限されたサービス状態で、もしＵＥが制限されたサービス状態である理由が、次のいずれかに該当すると；
【０６９７】
ｉ）３ＧＰＰ  ＴＳ  ３６．３０４内に規定されたように、ＵＥが選択されたＰＬＭＮ内で好適なセル（ｓｕｉｔａｂｌｅ  ｃｅｌｌ）を見つけることができない場合；
【０６９８】
ｉｉ）３ＧＰＰ  ＴＳ  ２４．３０１内に規定されたように、ＵＥがＥＭＭ原因＃１１「ＰＬＭＮが許可されない（ＰＬＭＮ  ｎｏｔ  ａｌｌｏｗｅｄ）」を含むアタッチ拒絶（ＡＴＴＡＣＨ  ＲＥＪＥＣＴ）メッセージ又はトラッキング領域更新拒絶（ＴＲＡＣＫＩＮＧ  ＡＲＥＡ  ＵＰＤＡＴＥ  ＲＥＪＥＣＴ）メッセージ又はサービス拒絶（ＳＥＲＶＩＣＥ  ＲＥＪＥＣＴ）メッセージを受信するか、又は３ＧＰＰ  ＴＳ  ２４．００８内に規定されたように、ＵＥがＥＭＭ原因＃１１「ＰＬＭＮが許可されない（ＰＬＭＮ  ｎｏｔ  ａｌｌｏｗｅｄ）」を含む位置更新拒絶（ＬＯＣＡＴＩＯＮ  ＵＰＤＡＴＩＮＧ  ＲＥＪＥＣＴ）メッセージ又はＧＰＲＳアタッチ拒絶（ＧＰＲＳ  ＡＴＴＡＣＨ  ＲＥＪＥＣＴ）メッセージ又はルーティング領域更新拒絶（ＲＯＵＴＩＮＧ  ＡＲＥＡ  ＵＰＤＡＴＥ  ＲＥＪＥＣＴ）メッセージを受信した場合；又は
【０６９９】
ｉｉｉ）３ＧＰＰ  ＴＳ  ２４．３０１内に規定されたように、ＵＥがＥＭＭ原因＃７「ＥＰＳサービスが許可されない（ＥＰＳ  ｓｅｒｖｉｃｅｓ  ｎｏｔ  ａｌｌｏｗｅｄ）」を含むアタッチ拒絶メッセージ又はトラッキング領域更新拒絶メッセージ又はサービス拒絶メッセージを受信した場合、又は３ＧＰＰ  ＴＳ  ２４．００８内に規定されたように、ＥＭＭ原因＃７「ＧＰＲＳサービスが許可されない（ＧＰＲＳ  ｓｅｒｖｉｃｅｓ  ｎｏｔ  ａｌｌｏｗｅｄ）」を含む位置更新拒絶メッセージ又はＧＰＲＳアタッチ拒絶メッセージ又はルーティング領域更新拒絶メッセージ又はサービス拒絶メッセージを受信した場合；或いは
【０７００】
Ｃ）前記のｉ）、ｉｉ）、ｉｉｉ）以外の理由で３ＧＰＰ  ＴＳ  ２３．１２２内に規定されたように制限されたサービス状態であり、３ＧＰＰ  ＴＳ  ２４．３８６の５．２．４節で規定されたように、「運営者によって管理されない（ｎｏｎ−ｏｐｅｒａｔｏｒ  ｍａｎａｇｅｄ）」無線パラメータがプロビジョニング（ｐｒｏｖｉｓｉｏｎｉｎｇ）される地理的領域内に位置する；
【０７０１】
２）３ＧＰＰ  ＴＳ  ２４．３８６の５．２．４節で規定されたように、ＵＥがＶ２Ｘ通信のためにＥ−ＵＴＲＡＮによってサービスされないモードであるとき、ＵＥがＰＣ５を介したＶ２Ｘ通信を利用するように許可される；及び
【０７０２】
３）３ＧＰＰ  ＴＳ  ２４．３８６の５．２．４節で規定されたように、Ｖ２ＸサービスのＶ２Ｘサービス識別子がＰＣ５を介したＶ２Ｘ通信のために許可されたＶ２Ｘサービスのリスト内に含まれるか、３ＧＰＰ  ＴＳ  ２４．３８６の５．２．４節で規定されたように、ＵＥがＰＣ５を介したＶ２Ｘ通信のための基本宛先第２層識別子（ｄｅｓｔｉｎａｔｉｏｎ  Ｌａｙｅｒ−２  ＩＤ（Ｉｄｅｎｔｉｆｉｅｒ））に設定される；
【０７０３】
この場合、ＵＥは次のように動作する：
【０７０４】
１）３ＧＰＰ  ＴＳ  ２４．３８６の６．１．２．３節に規定されたように、ＰＣ５を介したＶ２Ｘ通信のための無線資源を選択する；及び
【０７０５】
２）３ＧＰＰ  ＴＳ  ２４．３８６の６．１．２．２節に規定されたように、ＰＣ５を介したＶ２Ｘ通信の送信を行う；
【０７０６】
そうでなければ、ＵＥはＰＣ５を介したＶ２Ｘ通信を行わない。
【０７０７】
もし、ＰＣ５を介したＶ２Ｘ通信がネットワークによって支援されると指示するが、３ＧＰＰ  ＴＳ  ３６．３３１内で規定されたように、ＰＣ５を介したＶ２Ｘ通信のための如何なるキャリア周波数及び無線資源をブロードキャスティングしないＥ−ＵＴＲＡＮセルにＵＥがキャンプ（ｃａｍｐ）すると、ＵＥは３ＧＰＰ  ＴＳ  ２４．３３４の１０．２．２節で規定されたように、ＰＣ５を介したＶ２Ｘ通信のための無線資源を要求しなければならない。
【０７０８】
前記提案２−２を反映した手続、動作及び方法は次の通りである。
【０７０９】
６．１．２．３  ＵＥがＰＣ５を介したＶ２Ｘ通信のためにプロビジョニング（ｐｒｏｖｉｓｉｏｎｉｎｇ）された無線資源を用いる手続
【０７１０】
ＵＥがＶ２Ｘ通信のためにＥ−ＵＴＲＡＮによってサービスされないとき（ｎｏｔ  ｓｅｒｖｅｄ  ｂｙ  Ｅ−ＵＴＲＡＮ）、ＵＥは次のようにＰＣ５を介したＶ２Ｘ通信のために用いられる無線パラメータ（ｒａｄｉｏ  ｐａｒａｍｅｔｅｒｓ）を選択する：
【０７１１】
−  ＵＥが地理的領域（ｇｅｏｇｒａｐｈｉｃａｌ  ａｒｅａ）内に自身が位置すると自己判断でき、ＵＥに地理的領域のための無線パラメータと３ＧＰＰ  ＴＳ  ２４．３８６の６．１．２．１節で規定されたように、ＵＥが使用しようとするキャリア周波数がプロビジョニングされると、ＵＥは地理的領域と関連した無線パラメータとＵＥが使用しようとする選択されたキャリア周波数を選択する；或いは
【０７１２】
−  他の全ての場合において、ＵＥはＰｒｏＳｅ直接通信を開始しない。
【０７１３】
３ＧＰＰ  ＴＳ  ２４．３８６の５．２．４節で規定されたように、ＵＥが「運営者によって管理されない（ｎｏｎ−ｏｐｅｒａｔｏｒ  ｍａｎａｇｅｄ）」無線パラメータを用いることを希望すると、ＵＥは選択された無線パラメータを用いてＰＣ５を介したＶ２Ｘ通信を開始する。
【０７１４】
３ＧＰＰ  ＴＳ  ２４．３８６の５．２．４節で規定されたように、ＰＣ５を介したＶ２Ｘ通信を開始する前にＵＥが「運営者によって管理される（ｏｐｅｒａｔｏｒ  ｍａｎａｇｅｄ）」無線パラメータを用いることを希望すると、ＵＥは選択された無線パラメータが他のセルに干渉を誘発せず、現在の位置内で用いられるかを下位層とチェックする。
【０７１５】
−  下位層が、使用がどんな干渉も誘発しないと指示すると、ＵＥはＰＣ５を介したＶ２Ｘ通信を開始する；或いは
【０７１６】
もし、下位層が、ＵＥが使用しようとするＰＣ５を介したＶ２Ｘ通信のためのプロビジョニングされたキャリア周波数に属するキャリア周波数を提供するか、又はＵＥが使用しようとするＰＣ５を介したＶ２Ｘ通信のためのプロビジョニングされたキャリア周波数に属するキャリア周波数上で動作するセルが存在すると見つけると、また、該当セルが登録されたＰＬＭＮ又は登録されたＰＬＭＮと同等の（ｅｑｕｉｖａｌｅｎｔ）ＰＬＭＮに属すると、また、ＵＥがこのＰＬＭＮ内ＰＣ５を介したＶ２Ｘ通信のために許可されると、ＵＥは、３ＧＰＰ  ＴＳ  ３６．３３１で規定されたように、該当セルによって指示された無線パラメータを用いることができる。
【０７１７】
−  そうでなく、下位層がＵＥが使用しようとするＰＣ５を介したＶ２Ｘ通信のためのプロビジョニングされたキャリア周波数に属するキャリア周波数を提供するか、又はＵＥが使用しようとするＰＣ５を介したＶ２Ｘ通信のためのプロビジョニングされたキャリア周波数に属するキャリア周波数上で動作する一つ以上のＰＬＭＮを報告すると、次のように動作する：
【０７１８】
ａ）次のような条件が満たされると：
【０７１９】
１）下位層によって報告されたＰＬＭＮが登録されたＰＬＭＮ又は登録されたＰＬＭＮと同等のＰＬＭＮではない場合；
【０７２０】
２）下位層によって報告されたＰＬＭＮの少なくとも一つがＰＣ５を介したＶ２Ｘ通信のために許可されたＰＬＭＮのリストに含まれ、３ＧＰＰ  ＴＳ  ３６．３３１で規定されたように、ＰＣ５を介したＶ２Ｘ通信のための無線資源を提供する場合；及び
【０７２１】
３）ＵＥが緊急のＰＤＮ連結を有さない場合；
【０７２２】
そうすれば、ＵＥは次のように動作する：
【０７２３】
１）ＥＭＭ−ＩＤＬＥモードであると、３ＧＰＰ  ＴＳ  ２３．１２２で規定されたように、ＰＣ５を介したＶ２Ｘ通信によってトリガーされたＰＬＭＮの選択を行う；或いは
【０７２４】
２）そうでなく、ＥＭＭ−連結モードであると、次のうちの一つを行う：
【０７２５】
ｉ）３ＧＰＰ  ＴＳ  ２４．３０１で規定されたように、ディタッチ（ｄｅｔａｃｈ）手続を行い、３ＧＰＰ  ＴＳ  ２３．１２２で規定されたように、ＰＣ５を介したＶ２Ｘ通信によってトリガーされたＰＬＭＮの選択を行う；或いは
【０７２６】
ｉｉ）ＰｒｏＳｅ直接通信を開始しない。
【０７２７】
ＵＥが前記のｉ）又はｉｉ）のうちどの動作を行うかはＵＥの具現に従う。
【０７２８】
ｂ）そうでなければ、ＵＥはＰＣ５を介したＶ２Ｘ通信を開始しない。
【０７２９】
選択されたＰＬＭＮへの登録が成功されると、ＵＥは３ＧＰＰ  ＴＳ  ２４．３８６の６．１．２．１節で規定されたように、ＰＣ５を介したＶ２Ｘ通信を開始するための手続を行う。
【０７３０】
ＵＥが地理的領域と関連した無線パラメータとＵＥが使用しようとする選択されたキャリア周波数を用いて、ＰＣ５を介したＶ２Ｘ通信を行う中に地理的領域を外れると、ＵＥはＰＣ５を介したＶ２Ｘ通信を行うことを中断する：
【０７３１】
−  ＵＥがＶ２Ｘ通信のためにＥ−ＵＴＲＡＮによってサービスされないと（ｎｏｔ  ｓｅｒｖｅｄ  ｂｙ  Ｅ−ＵＴＲＡＮ）、又はＵＥがサービングＥ−ＵＴＲＡＮセルによって動作（ｏｐｅｒａｔｅ）される無線資源以外のＰＣ５を介したＶ２Ｘ通信のための無線資源を用いることを希望すると、ＵＥは新たな地理的領域のための適切な無線パラメータを選択する；或いは
【０７３２】
−  ＵＥがＶ２Ｘ通信のためにＥ−ＵＴＲＡＮによってサービスされ（ｓｅｒｖｅｄ  ｂｙ  Ｅ−ＵＴＲＡＮ）、サービングＥ−ＵＴＲＡＮセルによって動作（ｏｐｅｒａｔｅ）されるＰＣ５を介したＶ２Ｘ通信のための無線資源を用いることを希望すると、ＵＥは、Ｖ２Ｘ通信のためにＥ−ＵＴＲＡＮによってサービスされるとき、ＰＣ５を介したＶ２Ｘ通信を開始するための手続を行う。
【０７３３】
前記提案３−２を反映した手続、動作及び方法は次の通りである。
【０７３４】
３．１Ｃ  ＰＣ５を介したＶ２Ｘ通信によってトリガーされたＰＬＭＮの選択
【０７３５】
ＭＳ（Ｍｏｂｉｌｅ  Ｓｔａｔｉｏｎ）が３ＧＰＰ  ＴＳ２４．３８６で規定されたように、ＰＣ５を介したＶ２Ｘ通信を支援し、ＰＣ５を介したＶ２Ｘ通信のためにＰＬＭＮの選択を行う必要があると、ＭＳは次のように行う：
【０７３６】
ｉ）３ＧＰＰ  ＴＳ  ２３．１２２の４．４．３．１．３．３節で規定されたように、このＰＣ５を介したＶ２Ｘ通信によるＰＬＭＮの選択がＰＣ５を介したＶ２Ｘ通信又はマニュアルＣＳＧ（Ｃｌｏｓｅｄ  Ｓｕｂｓｃｒｉｂｅ  Ｇｒｏｕｐ）の選択によるまた別のＰＬＭＮの選択に従わない限り、ＭＳはＰＣ５を介したＶ２Ｘ通信によってＰＬＭＮの選択が開始される前に用いられていたＰＬＭＮの選択モードの複写値及び登録されたＰＬＭＮ（ＲＰＬＭＮ：Ｒｅｇｉｓｔｅｒｅｄ  ＰＬＭＮ）の複写値を格納する；
【０７３７】
ｉｉ）ＭＳは後述する追加的な要求事項ｉｉｉ）乃至ｘ）を考慮し、３ＧＰＰ  ＴＳ  ２３．１２２の４．４節で規定されたように、ＰＬＭＮの選択の自動モードに進入する；
【０７３８】
ｉｉｉ）３ＧＰＰ  ＴＳ  ２４．３８５又は３ＧＰＰ  ＴＳ  ３１．１０２で規定されたように、ＰＣ５を介したＶ２Ｘ通信のためにＭＳが使用しようとするＰＣ５を介したＶ２Ｘ通信のためのプロビジョニングされたキャリア周波数に属するキャリア周波数を提供するか、又は該当キャリア周波数で運用されるＥ−ＵＴＲＡＮセルによって広告されたＰＬＭＮのうち、ＭＳは次のような一つの許可可能なＰＬＭＮを選択する：
【０７３９】
１）ＰＣ５を介したＶ２Ｘ通信のための無線資源を提供するＰＬＭＮ；
【０７４０】
２）３ＧＰＰ  ＴＳ  ２４．３８６で規定されたように、ＰＣ５を介したＶ２Ｘ通信のために許可されたＰＬＭＮのリストに属したＰＬＭＮ；及び
【０７４１】
３）３ＧＰＰ  ＴＳ  ２３．１２２の３．１節で規定されたように、「Ｅ−ＵＴＲＡＮにＰＬＭＮが許可されない」のリストに属さないＰＬＭＮ；
【０７４２】
前述した条件１）乃至３）が満たされると、ＭＳはＰＬＭＮに登録を試みる。前述した条件１）乃至３）の何れの条件で満たさなければ、ＭＳは格納された複写されたＰＬＭＮの選択モードに戻し、追加的な動作のために、格納されたＲＰＬＭＮの複写された値を使用する；
【０７４３】
ｉｖ）３ＧＰＰ  ＴＳ  ２４．３８６で規定されたように、「ＰＬＭＮが許可されない」又は「ＥＰＳサービスが許可されない」ことによって登録が失敗されると、３ＧＰＰ  ＴＳ  ２３．１２２の３．１節で規定されたように、ＭＳは禁止されたＰＬＭＮの適切なリストを更新し、次を行う：
【０７４４】
Ａ）ＴＳ  ３６．３３１で規定されたように、ＰＬＭＮがＰＣ５を介したＶ２Ｘ通信を行うためにＭＳによって必要な共通の無線資源を提供すると、ＭＳは制限されたサービス状態で選択されたＰＬＭＮ上でＰＣ５を介したＶ２Ｘ通信を行う。この場合、ＭＳはＰＣ５を介したＶ２Ｘ通信の区間の間に利用可能な、且つ許可可能なＰＬＭＮを探索しない；
【０７４５】
Ｂ）格納された複写されたＰＬＭＮの選択モードに戻し、追加された動作のために格納されたＲＰＬＭＮの複写された値を使用する；或いは
【０７４６】
Ｃ）ＭＳが登録に失敗したＰＬＭＮを除き、ＰＬＭＮの選択でｉｉｉ）で前述した動作を再度行う。
【０７４７】
ＭＳが前述したＡ）、Ｂ）又はＣ）を行うかは、ＭＳの具現に従う。
【０７４８】
ｖ）「ＰＬＭＮが許可されない」又は「ＥＰＳサービスが許可されない」ことによって登録が失敗すると、ＭＳは次を行う：
【０７４９】
−  失敗の処理が禁止されたＰＬＭＮのリストを更新を要求すると（３ＧＰＰ  ＴＳ  ２４．３０１で規定されたように）、適切なリストに更新する；且つ
【０７５０】
−    失敗の処理が禁止されたＰＬＭＮのリストを更新を要求しないと（３ＧＰＰ  ＴＳ  ２４．３０１で規定されたように）、ＭＳが登録に失敗したＰＬＭＮとして該当ＰＬＭＮを記憶する；
【０７５１】
そして、ＭＳは次のうち一つを行う：
【０７５２】
Ａ１）格納された複写されたＰＬＭＮの選択モードに戻し、以降の動作のために格納されたＲＰＬＭＮの複写された値を使用する；
【０７５３】
Ｂ１）ＭＳが登録に失敗したＰＬＭＮを除き、ＰＬＭＮの選択でｉｉｉ）で記述された動作を再度行う。
【０７５４】
Ｃ１）３ＧＰＰ  ＴＳ  ２４．３８６で規定されたように、このＰＬＭＮ上の登録が以前にＰＬＭＮが許可されない」又は「ＥＰＳサービスが許可されない」ことによって失敗された場合、且つ３ＧＰＰ  ＴＳ  ３６．３３１で規定されたように、このＰＬＭＮがＰＣ５を介したＶ２Ｘ通信を行うためにＭＳによって必要な共通の無線資源を提供すると、３ＧＰＰ  ＴＳ  ２４．３８５又は３ＧＰＰ  ＴＳ  ３１．１０２で規定されたように、ＵＥはＰＣ５を介したＶ２Ｘ通信のためにＭＳでプロビジョニングされた無線資源内で動作するセルにより広告されたＰＬＭＮ上で制限されたサービス状態でＰＣ５を介したＶ２Ｘ通信を行う。この場合、ＭＳはＰＣ５を介したＶ２Ｘ通信の区間の間に利用可能な、且つ許可可能なＰＬＭＮの探索をしない；
【０７５５】
ＭＳが前述したＡ１）、Ｂ１）又はＣ１）を行うかはＭＳの具現に従う。
【０７５６】
ｖｉ）ＭＥが選択されたＰＬＭＮのカバレッジに位置しないと、ＵＥは次のうち一つを行う：
【０７５７】
Ａ２）３ＧＰＰ  ＴＳ  ２４．３８６で規定されたように、プロビジョニングされた無線資源を用いてＰＣ５を介したＶ２Ｘ通信を行う；或いは
【０７５８】
Ｂ２）格納された複写されたＰＬＭＮの選択モードに戻し、追加動作のために格納されたＲＰＬＭＮの複写された値を用いる。
【０７５９】
ＭＳが前述したＡ２）又はＢ２）を行うかは、ＭＳの具現に従う。
【０７６０】
ｖｉｉ）３ＧＰＰ  ＴＳ  ２４．３８６で規定されたように、ＭＳが選択されたＰＬＭＮ上で好適なセルを見つけることができなければ、ＭＳは次のうち一つを行う：
【０７６１】
Ａ３）３ＧＰＰ  ＴＳ  ３６．３３１で規定されたように、ＰＬＭＮがＰＣ５を介したＶ２Ｘ通信を行うためにＭＳにより必要な共通の無線資源を提供すると、ＭＳは制限されたサービス状態で選択されたＰＬＭＮ上でＰＣ５を介したＶ２Ｘ通信を行う。この場合、ＭＳはＰＣ５を介したＶ２Ｘ通信の区間の間に利用可能な、且つ許可可能なＰＬＭＮの探索をしない；或いは
【０７６２】
Ｂ３）格納された複写されたＰＬＭＮの選択モードに戻し、追加動作のために格納されたＲＰＬＭＮの複写された値を用いる。
【０７６３】
ＭＳが前述したＡ３）又はＢ３）を行うかは、ＭＳの具現に従う。
【０７６４】
ｖｉｉｉ）ＭＳが選択されたＰＬＭＮにある間、電源がオフになり、再度オンになった場合、３ＧＰＰ  ＴＳ  ２３．１２２の４．４．３．１節で規定されたように、ＭＳはＲＰＬＭＮとして格納されたＲＰＬＭＮの複写された値を用いる；
【０７６５】
ｉｘ）ユーザーが選択されたセルにある間、ＰＬＭＮの選択を開始すると、ＭＳはＰＬＭＮの選択モードの格納された複写値を削除し、ＲＰＬＭＮとして格納されたＲＰＬＭＮの複写値を用いて、３ＧＰＰ  ＴＳ  ２３．１２２の４．４．３．１節内の手続に従う。ＭＳが選択されたＰＬＭＮに成功的に登録されるとき、ＭＳはＲＰＬＭＮの格納された複写値を削除する；及び
【０７６６】
ｘ）ＭＳがＰＣ５を介したＶ２Ｘ通信の実行をこれ以上必要としないと、ＭＳは格納された複写されたＰＬＭＮの選択モードに戻し、追加動作のためにＲＰＬＭＮの格納された複写値を使用する。
【０７６７】
選択されたＰＬＭＮ内登録に失敗を理由で、ＭＳがＲＰＬＭＮに復帰すると、ＭＳの上位層はＰＣ５を介したＶ２Ｘ通信を開始するために、ＰＬＭＮの選択を再度トリガーする。
【０７６８】
ＰＣ５を介したＶ２Ｘ通信のために選択されたＰＬＭＮが訪問ＰＬＭＮ（ＶＰＬＭＮ：Ｖｉｓｉｔｅｄ  ＰＬＭＮ）であると、ＭＳはＰＣ５を介したＶ２Ｘ通信の区間の間に、より高い優先順位のＰＬＭＮを周期的にスキャンしない。
【０７６９】
前記提案３−１及び提案３−２を反映した手続は、下記図１０の通りである。
【０７７０】
図１０は、本発明の一実施例に係るキャリア周波数の選択及びセル／ＰＬＭＮの選択方法を例示する。
【０７７１】
図１０を参照すると、ＵＥ−Ｐｒｏｓｅ層は、前記説明した実施例２に係り、キャリア周波数を選択することができる。前述したように、この過程は省略されることができる。
【０７７２】
段階１）ＵＥ−ＰｒｏＳｅ層は、キャリア周波数と共にサービス識別子（Ｓｅｒｖｉｃｅ  ｉｄｅｎｔｉｆｉｅｒ）又はサービスタイプ（ｓｅｒｖｉｃｅ  ｔｙｐｅ）の情報を下位層に提供することができる。サービス識別子又はサービスタイプの代わりに、サービスタイプ／識別子別に固有のシーケンス番号又はビットマップの情報が提供されることもできる。
【０７７３】
ＵＥ−ＰｒｏＳｅ層は、毎Ｖ２Ｘメッセージの送信がトリガーされる毎に段階１を行うことができる。或いは、シグナリングのオーバーヘッドを減らすために、ＵＥ−ＰｒｏＳｅ層は、以前にＵＥ−ＲＲＣ層に提供したキャリア周波数のセットと異なるキャリア周波数であるときにのみ、段階１を行うか、又は新たなサービスタイプが発生した場合にのみ段階１を行うこともできる。
【０７７４】
ＵＥ−ＲＲＣ層は、前記説明した実施例２に係り、キャリア周波数を選択することができる。前述したように、この過程は省略されることができる。
【０７７５】
段階２）前記段階１でサービス識別子又はサービスタイプの情報が与えられない場合、ＵＥ−ＲＲＣ層は、現在（サービスに関係なく、全てのサービスに対して）送信のために選択された全てのキャリア周波数に対して段階２を行うことができる。
【０７７６】
反面、前記段階１でサービス識別子又はサービスタイプの情報が与えられた場合、ＵＥ−ＲＲＣ層は、サービス識別子又はサービスタイプ別に段階２を行うこともできる。このとき、サービス識別子又はサービスタイプの代わりに、サービスタイプ／識別子別に固有のシーケンス番号又はビットマップの情報が提供されることもできる。
【０７７７】
また、ＵＥ−ＲＲＣ層は、段階１が行われる毎に段階２を行うこともできる。
【０７７８】
或いは、シグナリングのオーバーヘッドを減らすために、ＵＥ−ＲＲＣ層は、毎段階１が行われる毎に、段階２を行わないのではなく、ＵＥ−ＲＲＣ層は、選択されたキャリア周波数が以前に選択されたキャリア周波数と異なるときにのみ段階２を行うこともできる。
【０７７９】
段階３）ＵＥ−ＰｒｏＳｅ層は、ＵＥがＰＣ５を介したＶ２Ｘ通信のために、Ｅ−ＵＴＲＡＮによってサービスされるモードであるか、ＰＣ５を介したＶ２Ｘ通信のためにＥ−ＵＴＲＡＮによってサービスされないモードであるかを判断する。
【０７８０】
段階４）ＵＥがＥ−ＵＴＲＡＮによってサービスされないモードであると、段階４−Ｂ１、段階４−Ｂ２を行う。反面、ＵＥがＥ−ＵＴＲＡＮによってサービスされないモードでなければ、段階４−Ａ１、段階４−Ａ２を行う。
【０７８１】
まず、ＵＥがＥ−ＵＴＲＡＮによってサービスされないモードではない場合について行う。
【０７８２】
段階４−Ａ１）ＵＥ−ＰｒｏＳｅ層は、送信のためのキャリア周波数とＰＣ５を介したＶ２Ｘ通信で送信されるＶ２Ｘメッセージを共にＵＥ−ＲＲＣ層に送信する。
【０７８３】
このとき、送信のためのキャリア周波数は、前記段階２で選択されたキャリア周波数と同一であってもよい。或いは、後述する実施例５を考慮する場合、送信のためのキャリア周波数は、前記段階２で選択されたキャリア周波数以外に、追加的なキャリア周波数が提供されることができる。
【０７８４】
段階４−Ａ２）ＵＥ−ＲＲＣ層（即ち、下位層）は送信のためのキャリア周波数上で該当Ｖ２Ｘメッセージを送信する。
【０７８５】
次に、ＵＥがＥ−ＵＴＲＡＮによってサービスされないモードである場合について見る。
【０７８６】
段階４−Ｂ１）ＵＥ−ＰｒｏＳｅ層は、地理知的領域とＵＥが使用しようとする選択されたキャリア周波数と関連した無線パラメータを選択する。この段階に関する具体的な説明は、前記提案３−１に従う。
【０７８７】
段階４−Ｂ２）ＵＥ−ＰｒｏＳｅ層は、選択された無線パラメータが干渉を引き起こさずに用いられるかを判断する。
【０７８８】
このとき、ＵＥ−ＰｒｏＳｅ層は、ＵＥは選択された無線パラメータが（他のセルに）干渉を誘発せず、現在の位置内で用いられるかＵＥ−ＲＲＣ層とチェックすることができる。
【０７８９】
選択された無線パラメータが干渉を引き起こさずに用いられることができれば、段階４−Ｂ２−ａを行う。反面、選択された無線パラメータが干渉を引き起こさずに用いられることができなければ（即ち、干渉を引き起こせば）、段階４−Ｂ２−ｂ、段階４−Ｂ２−ｂ１を行う。
【０７９０】
段階４−Ｂ２−ａ）ＵＥは選択された無線パラメータ上でＰＣ５を介したＶ２Ｘ通信を行う。図１０で、ＵＥ−ＰｒｏＳｅ層のみがＶ２Ｘ通信を行うことが示されているが、これは説明の便宜のためのものであり、ＵＥ−ＰｒｏＳｅ層はＵＥ−ＲＲＣ層を介してＰＣ５を介したＶ２Ｘ通信を行うことができる。
【０７９１】
段階４−Ｂ２−ｂ）ＵＥ−ＲＲＣ層は、ＵＥが使用しようとするＰＣ５を介したＶ２Ｘ通信のためのプロビジョニングされたキャリア周波数に属するキャリア周波数を提供するか、又はＵＥが使用しようとするＰＣ５を介したＶ２Ｘ通信のためのプロビジョニングされたキャリア周波数に属するキャリア周波数上で動作するセル／ＰＬＭＮを探索する。この段階に関する具体的な説明は、前記提案３−２に従う。
【０７９２】
段階４−Ｂ２−ｂ１）ＵＥ−ＲＲＣ層は、３ＧＰＰ  ＴＳ  ２３．１２２で規定されたように、ＰＣ５を介したＶ２Ｘ通信によってトリガーされたＰＬＭＮの選択を行う。また、ＵＥが使用しようとするＰＣ５を介したＶ２Ｘ通信のためのプロビジョニングされたキャリア周波数に属するキャリア周波数を提供するか、又はＵＥが使用しようとするＰＣ５を介したＶ２Ｘ通信のためのプロビジョニングされたキャリア周波数に属するキャリア周波数上で動作するＰＬＭＮを探索する。この段階に関する具体的な説明は、前記提案３−２に従う。
【０７９３】
段階４−Ｂ２−ａ及び段階４−Ｂ２−ｂ１を行うために（即ち、提案３−２を行うために）、ＵＥ−ＰｒｏＳｅ層は、ＵＥ−下位層（例えば、ＵＥ−ＡＳ層又はＵＥ−ＲＲＣ層）に下記のようなセルを見つけるという命令／指示を伝達する。
【０７９４】
−  ＭＳが使用しようとするＰＣ５を介したＶ２Ｘ通信のためにプロビジョニングされたキャリア周波数に属するキャリア周波数を提供するか、又はＭＳが使用しようとするＰＣ５を介したＶ２Ｘ通信のためのプロビジョニングされたキャリア周波数に属するキャリア周波数上で動作するＥ−ＵＴＲＡＮセル
【０７９５】
これを受信したＵＥ−下位層（例えば、ＵＥ−ＡＳ層又はＵＥ−ＲＲＣ層）は、該当セルを見つけると、上位層（即ち、ＵＥ−ＰｒｏＳｅ層）に該当ＰＬＭＮリストの情報を知らせる。
【０７９６】
［実施例４］６４ＱＡＭ又は送信（ＴＸ：Ｔｒａｎｓｍｉｔ）ダイバーシティ（ｄｉｖｅｒｓｉｔｙ）のための設定
【０７９７】
３ＧＰＰでは、６４ＱＡＭのためのソリューションと送信ダイバーシティを用いたＰＣ５動作の利得について議論されている。
【０７９８】
３ＧＰＰのワークアイテムによると、リリース（Ｒｅｌ：ｒｅｌｅａｓｅ）−１５  ＰＣ５機能は、Ｒｅｌ−１４  ＰＣ５機能と同一の資源プール（ｐｏｏｌ）内で共存することができる。従って、Ｒｅｌ−１４  ＵＥは、共有された資源プール上でＲｅｌ−１５  ＵＥからサイドリンク送信を受信することができる。サイドリンクを介したＶ２Ｘメッセージの送信時、６４ＱＡＭ又はＴＸダイバーシティが送信側に送信されると、Ｒｅｌ−１４  ＵＥは６４ＱＡＭ  及び／又はＴＸダイバーシティを用いて送信されたメッセージを正確にデコーディングすることができない。
【０７９９】
このような理由で、６４ＱＡＭ及び／又はＴＸダイバーシティを支援するＲｅｌ−１５  ＵＥは、あるＶ２Ｘサービスが６４ＱＡＭ及び／又はＴＸダイバーシティに送信されることができるか知らなければならない。基本的に、ＵＥは６４ＱＡＭ及び／又はＴＸダイバーシティがサービスに依存して適用可否を決定することができる。言い換えると、全てのＶ２Ｘ  ＵＥによって理解されなければならないあるサービスは、６４ＱＡＭ又はＴＸダイバーシティを使用してはならない。一部のＵＥのための他のサービスが６４ＱＡＭ又は  ＴＸダイバーシティを使用することができる。
【０８００】
観察１：６４ＱＡＭ又はＴＸダイバーシティを支援しないＲｅｌ−１４  ＵＥ又はＲｅｌ−１５  ＵＥは、Ｒｅｌ−１５  ＵＥから６４ＱＡＭ又はＴＸダイバーシティを用いたＲｅｌ−１５サイドリンク送信を受信することができない。
【０８０１】
６４ＱＡＭ又はＴＸダイバーシティを支援するＵＥは、ある特定のＶ２Ｘサービスが６４ＱＡＭ又はＴＸダイバーシティに送信されることができるか否かを知らなければならない。
【０８０２】
ＡＳ層の観点から、あるＶ２Ｘサービスが６４ＱＡＭ又はＴＸダイバーシティに送信されるか否かを知るために、次のような幾つかのオプションが考慮できる。
【０８０３】
−  オプション１：ＡＳ層は上位層によって提供されたサービス情報に基づいて、毎パケットに６４ＱＡＭ又はＴＸダイバーシティが許可されるかを決定する。
【０８０４】
−  オプション２：上位層が６４ＱＡＭ又はＴＸダイバーシティが毎パケットに許可されるか否かに関する情報をＡＳ層に提供する。情報は異なり得る。
【０８０５】
前述したオプション１を具現するために、ＡＳ層は、６４ＱＡＭ又はＴＸダイバーシティがどんなサービスに対して許可されるか否かに対する情報を格納する必要がある。上位層によって提供されるサービス情報の場合、既存の宛先ＩＤ又はＰＰＰＰが考慮されることができる。また、このような目的で、上位層内で利用可能なサービスＩＤがＡＳ層に提供されることができる。
【０８０６】
オプション２は、周波数情報が毎パケット別にＡＳ層に伝達される現在のＲｅｌ−１４のメカニズムとさらによく合う。
【０８０７】
オプション２の場合、ＵＥ−ＰｒｏＳｅ層は、Ｖ２Ｘサービス識別子が送信のために６４ＱＡＭ又はＴＸダイバーシティを使用（又は高いデータレート送信）するように許可されるか否かに対する設定を有さなければならない。例えば、これは次のように具現されることができる。
【０８０８】
５．２．４  ＰＣ５（即ち、ＵＥ間の直接インターフェース）を介したＶ２Ｘ通信のための設定パラメータ
【０８０９】
ＰＣ５を介したＶ２Ｘ通信のための設定パラメータは、次を含む：
【０８１０】
ａ）ＰＣ５を介したＶ２Ｘ通信のための設定パラメータの有効性（ｖａｌｉｄｉｔｙ）のための満了時間（ｅｘｐｉｒａｔｉｏｎ  ｔｉｍｅ）；
【０８１１】
ｂ）ＵＥがＥ−ＵＴＲＡＮによってサービスされるモード（「ｓｅｒｖｅｄ  ｂｙ  Ｅ−ＵＴＲＡＮ」）であるとき、ＵＥがＰＣ５を介したＶ２Ｘ通信を使用するように認可された（ａｕｔｈｏｒｉｚｅｄ）ＰＬＭＮのリスト；
【０８１２】
ｃ）ＵＥがＥ−ＵＴＲＡＮによってサービスされないモード（「ｎｏｔ  ｓｅｒｖｅｄ  ｂｙ  Ｅ−ＵＴＲＡＮ」）であるとき、ＵＥがＰＣ５を介したＶ２Ｘ通信を使用するように認可（ａｕｔｈｏｒｉｚｅｄ）されたかを指示；
【０８１３】
ｄ）地理的領域当たり：
【０８１４】
１）ＵＥが「Ｅ−ＵＴＲＡＮによってサービスされないとき、且つＵＥが地理的領域内に位置するとき、適用可能なＰＣ５を介したＶ２Ｘ通信を無線パラメータ、且つこれらの無線パラメータが「運営者によって管理される（ｏｐｅｒａｔｏｒ  ｍａｎａｇｅｄ）」パラメータであるか、又は「運営者によって管理されない（ｎｏｎ−ｏｐｅｒａｔｏｒ  ｍａｎａｇｅｄ）」パラメータであるかを指示
【０８１５】
ｅ）ＰＣ５を介したＶ２Ｘ通信のために認可された（ａｕｔｈｏｒｉｚｅｄ）Ｖ２Ｘサービスのリスト。リストの各項目（ｅｎｔｒｙ）は次を含む：
【０８１６】
１）Ｖ２Ｘサービス識別子（Ｖ２Ｘ  ｓｅｒｖｉｃｅ  ｉｄｅｎｔｉｆｉｅｒ）；及び
【０８１７】
２）宛先第２層識別子（ｄｅｓｔｉｎａｔｉｏｎ  Ｌａｙｅｒ−２  ＩＤ）；
【０８１８】
３）選択的に、Ｖ２Ｘサービス識別子が送信のために６４ＱＡＭ又はＴＸダイバーシティを使用（又は高いデータレート送信）するように許容するか否かに対する指示
【０８１９】
ＵＥ−ＰｒｏＳｅ層は設定をチェックする。Ｖ２Ｘサービス識別子が送信のために６４ＱＡＭ又はＴＸダイバーシティを使用（又は高いデータレート送信）するように許可する場合、ＵＥ−ＰｒｏＳｅ層が３ＧＰＰ  ＴＳ  ２４．３８６の６．１．２．２節内に規定されたように、ＰＣ５を介したＶ２Ｘ通信の送信を行うとき、ＵＥ−Ｐｒｏｓｅ層は、この指示を下位層に伝達する。例えば、これは次のように具現できる。或いは、Ｖ２Ｘサービス識別子と指示のみ別途の設定で構成されることもできる。
【０８２０】
６．１．２．２  Ｔｒａｎｓｍｉｓｓｉｏｎ
【０８２１】
ＵＥはプロトコルデータユニット内のＶ２Ｘメッセージを含ませ、これを次のようなパラメータと共に下位層に伝達する：
【０８２２】
ａ）次のように、セッティングされる第３層プロトコルデータユニットタイプ：
【０８２３】
１）ＩＰパケット、Ｖ２ＸメッセージがＩＰデータを含むと；或いは
【０８２４】
２）非ＩＰパケット、Ｖ２Ｘメッセージが非ＩＰデータを含むと；
【０８２５】
．．．
【０８２６】
ｇ）ＵＥが３ＧＰＰ  ＴＳ  ２４．３８６の５．２．４節で規定されたように、ＰＣ５を介したＶ２Ｘ通信のためのＰＤＢとＰＰＰＰ間のマッピング規則が設定されると、３ＧＰＰ  ＴＳ  ２４．３８６の５．２．４節で規定されたように、ＰＰＰＰと関連したＰＤＢ、且つ
【０８２７】
ｈ）ＵＥがＶ２Ｘサービス識別子が送信のために６４ＱＡＭ又はＴＸダイバーシティを使用（又は高いデータレート送信）するように許可された否かに対する指示が設定されると、Ｖ２ＸメッセージのＶ２Ｘサービス識別子と関連した指示
【０８２８】
これを受信したＡＳは次のような動作を行う。
【０８２９】
前記手続に基づき、送信ＵＥが６４ＱＡＭ及び／又はＴＸダイバーシティを用いてＶ２Ｘメッセージを送信すると、受信ＵＥは、受信されたメッセージのデコーディングを試みる。しかし、このメッセージのデコーディングに失敗するはずだ。もし、送信ＵＥがこのメッセージが６４ＱＡＭ及び／又はＴＸダイバーシティを用いて送信されることをサイドリンク制御情報（ＳＣＩ：ｓｉｄｅｌｉｎｋ  ｃｏｎｔｒｏｌ  ｉｎｆｏｒｍａｔｉｏｎ）内にシグナリングすると、受信ＵＥは不要なデコーディングを避けることができる。
【０８３０】
観察２：６４ＱＡＭ及び／又はＴＸダイバーシティを支援しない受信（ＲＸ：Ｒｅｃｅｐｔｉｏｎ）ＵＥは、ＳＣＩを受信した後に、６４ＱＡＭ及び／又はＴＸダイバーシティを用いた物理サイドリンク共有チャネル（ＰＳＳＣＨ：Ｐｈｙｓｉｃａｌ  Ｓｉｄｅｌｉｎｋ  Ｓｈａｒｅｄ  Ｃｈａｎｎｅｌ）の送信を受信することを避けることができる。
【０８３１】
前記のような観察に基づき、本発明では次のように提案する。
【０８３２】
−  送信ＵＥは、６４ＱＡＭ及び／又はＴＸダイバーシティが適用されるか否かをＳＣＩ内で指示する。
【０８３３】
［実施例５］
【０８３４】
従来のＵＥ−ＰｒｏＳｅ層がキャリア周波数を下位層（ＵＥ−ＲＲＣ層）に伝達すると、下位層は、そのうち一つ以上のキャリア周波数を選択し、Ｖ２Ｘ送信を行う。このとき、下位層はただ一つのキャリア周波数のみを選択することもできる。ここで、ＵＥ−ＰｒｏＳｅ層が下位層に伝達するキャリア周波数の情報には特定のキャリア周波数で必ず送信すべきか否かの情報が含まれていない。
【０８３５】
以下、前述した問題点を解決するための本発明に係る実施例を説明する。
【０８３６】
オプション１）前記図９の段階１で行う方法
【０８３７】
１．ＵＥ−ＰｒｏＳｅ層が下位層に伝達するキャリア周波数の情報は、各キャリア周波数別の下位層が必ず送信すべきか否かを示す指示を含むことができる。即ち、このような指示に従って、各キャリア周波数別にＵＥ−ＲＲＣ層がＶ２Ｘ送信時に必ず利用しなければならないか否かが指示されることができる。
【０８３８】
ａ）前記と異なる方法としては、ＵＥ−ＰｒｏＳｅ層が必ず送信すべきキャリア周波数の情報と、そうでないキャリア周波数の情報とを分けて各々下位層に伝達することもできる。
【０８３９】
２．これを受信した下位層は、キャリア周波数の選択時、「必ず送信すべきキャリア周波数」を選択し、該当キャリア周波数上でＶ２Ｘメッセージを送信しなければならない。もし、一つ以上のキャリア周波数で送信しなければならない場合（即ち、一つ以上のキャリア周波数が送信に必ず用いられなければならないと指示された場合）、Ｖ２Ｘメッセージを複写して各キャリア周波数上で送信することができる。
【０８４０】
前記のような動作において、次のように指示が設定されることができる。
【０８４１】
Ａ．前記１）の場合、前記指示は、ＰＣ５を介したＶ２Ｘ通信のための地理的領域と関連したＶ２Ｘ周波数とＶ２Ｘサービス識別子間のＶ２Ｘ周波数へのＶ２Ｘサービス識別子のマッピング規則内に含まれることができる。
【０８４２】
Ｂ．前記１−ａ）の場合、キャリア周波数を示す分類（ｂｒａｎｃｈ）が送信されなければならない。これらの分類情報は、ＰＣ５を介したＶ２Ｘ通信のための地理的領域と関連したＶ２Ｘ周波数とＶ２Ｘサービス識別子間のＶ２Ｘ周波数へのＶ２Ｘサービス識別子のマッピング規則内に含まれないことがある。
【０８４３】
Ｃ．また、前記１）又は１−ａ）の場合、前記指示は、新たな設定内で生成されることができる。即ち、新たな設定は、Ｖ２Ｘサービス識別子と現在の地理的領域別に送信されなければならないキャリア周波数の情報に対して生成されることができる。
【０８４４】
オプション２）前記図９の段階４で行う方法
【０８４５】
１．ＵＥ−ＰｒｏＳｅ層が下位層に伝達する送信のためのキャリア周波数の情報内の図９の段階３で提供された選択されたキャリア周波数以外に「追加的な送信が必要なキャリア周波数」が含まれることができる。
【０８４６】
２．これを受信した下位層は、提供された送信のためのキャリア周波数内に含まれたキャリア周波数上で該当Ｖ２Ｘメッセージを送信しなければならない。もし、一つ以上のキャリア周波数で送信すべき場合（即ち、一つ以上のキャリア周波数が送信に必ず用いられなければならないと指示された場合）、Ｖ２Ｘメッセージを複写して各キャリア周波数上で送信することができる。
【０８４７】
前記１）でＵＥ−ＰｒｏＳｅ層が「追加的な送信が必要なキャリア周波数」があるということは、次のような方法で認知することができる。
【０８４８】
前記１）は、設定（ｃｏｎｆｉｇｕｒａｔｉｏｎ）で具現されなければならない。可能な設定の具現方法は次の通りである。
【０８４９】
前記のような動作において、次のように指示が設定されることができる。
【０８５０】
Ａ．前記指示は、ＰＣ５を介したＶ２Ｘ通信のための地理的領域と関連したＶ２Ｘ周波数とＶ２Ｘサービス識別子間のＶ２Ｘ周波数へのＶ２Ｘサービス識別子のマッピング規則内に含まれることができる。
【０８５１】
Ｂ．キャリア周波数を示す分類（ｂｒａｎｃｈ）が送信されなければならない。これらの分類情報は、ＰＣ５を介したＶ２Ｘ通信のための地理的領域と関連したＶ２Ｘ周波数とＶ２Ｘサービス識別子間のＶ２Ｘ周波数へのＶ２Ｘサービス識別子のマッピング規則内に含まれないことがある。
【０８５２】
Ｃ．また、前記指示は新たな設定内で生成されることができる。即ち、新たな設定は、Ｖ２Ｘサービス識別子と現在の地理的領域別に送信されなければならないキャリア周波数の情報に対して生成されることができる。
【０８５３】
前記でＡ）やＢ）のように具現される場合、追加的な情報は、前記図９の４段階の以前には用いられず、段階４を行う時にのみ用いられることができる。
【０８５４】
図１１は、本発明の一実施例に係るＶ２Ｘ通信の実行方法を例示する。
【０８５５】
図１１を参照すると、ＵＥは上位層（ｕｐｐｅｒ  ｌａｙｅｒ）からＶ２Ｘメッセージの送信要求を受信する（Ｓ１１０１）。
【０８５６】
即ち、ＵＥは上位層からＰＣ５インターフェースを介したＶ２Ｘ通信を用いてＶ２Ｘサービス識別子によって識別されたＶ２ＸサービスのＶ２Ｘメッセージの送信要求を受信する。このとき、送信要求は、前記で説明したように、前記Ｖ２Ｘメッセージ及び前記Ｖ２Ｘサービス識別子等を含むことができる。
【０８５７】
また、送信要求の送信時、前記説明した実施例３（図８乃至図１０参照）のように、上位層（例えば、ＵＥ−ＰｒｏＳｅ層）は下位層（例えば、ＵＥ−ＲＲＣ層）にサービスタイプとマッピングされたキャリア周波数を知らせることができる。これに関する詳細な説明は、前記説明した実施例３（図８乃至図１０参照）を参照することによって、本実施例に併合されることができる。
【０８５８】
このとき、進行中のＶ２Ｘサービスが存在しない場合、前記実施例１に係る方法でキャリア周波数が選択されることができる。或いは、進行中のＶ２Ｘサービスが存在する場合、前記実施例２に係る方法でキャリア周波数が選択されることができる。
【０８５９】
また、このようなキャリア周波数の選択は、前記図９又は図１０の説明のように、上位層（例えば、ＵＥ−ＰｒｏＳｅ層）又は下位層（例えば、ＵＥ−ＲＲＣ層）で行われることができる。下位層（例えば、ＵＥ−ＲＲＣ層）で行われる場合、下位層は上位層にＵＥが使用しようとする選択されたキャリア周波数の情報を伝達することができる。
【０８６０】
ＵＥは自身のモードを確認する（Ｓ１１０２）。
【０８６１】
即ち、ＵＥは自身がＥ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）によってサービスされるか否か（Ｖ２Ｘ通信のためにＥ−ＵＴＲＡＮによってサービスされるモード（Ｓｅｒｖｅｄ  ｂｙ  Ｅ−ＵＴＲＡＮ  ｆｏｒ  Ｖ２Ｘ  ｃｏｍｍｕｎｉｃａｔｉｏｎ）又はＥ−ＵＴＲＡＮによってサービスされないモード（Ｎｏｔ  Ｓｅｒｖｅｄ  ｂｙ  Ｅ−ＵＴＲＡＮ  ｆｏｒ  Ｖ２Ｘ  ｃｏｍｍｕｎｉｃａｔｉｏｎ））を確認する。
【０８６２】
このとき、前記説明した実施例３（図８乃至図１０参照）のように、上位層は、ＵＥが自身がＥ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）によってサービスされるか否かを決定し、上位層は送信のためのキャリア周波数を下位層に知らせることができる。また、図１１では例示していないが、図９又は図１０による以降の段階が行われることができる。これに関する詳細な説明は、前記説明した実施例３（図８乃至図１０参照）を参照することによって、本実施例に併合されることができる。
【０８６３】
もし、ＵＥがＶ２Ｘ通信のためにＥ−ＵＴＲＡＮによってサービスされるモード（Ｓｅｒｖｅｄ  ｂｙ  Ｅ−ＵＴＲＡＮ  ｆｏｒ  Ｖ２Ｘ  ｃｏｍｍｕｎｉｃａｔｉｏｎ）であると、ＵＥは基地局にＰＣ５インターフェースを介したＶ２Ｘ通信のための資源を要求するか、又は前記基地局によって予め設定された資源プール（ｒｅｓｏｕｒｃｅ  ｐｏｏｌ）内でＰＣ５インターフェースを介したＶ２Ｘ通信のための資源を選択することができる（Ｓ１１０３）。
【０８６４】
このとき、ＵＥがＶ２Ｘ通信のためにＥ−ＵＴＲＡＮによってサービスされるモード（Ｓｅｒｖｅｄ  ｂｙ  Ｅ−ＵＴＲＡＮ  ｆｏｒ  Ｖ２Ｘ  ｃｏｍｍｕｎｉｃａｔｉｏｎ）と見なされる条件又はＥ−ＵＴＲＡＮによってサービスされないモード（Ｎｏｔ  Ｓｅｒｖｅｄ  ｂｙ  Ｅ−ＵＴＲＡＮ  ｆｏｒ  Ｖ２Ｘ  ｃｏｍｍｕｎｉｃａｔｉｏｎ）と見なされる条件は、前記説明した実施例に係り、これに関する詳細な説明は省略する。
【０８６５】
反面、Ｖ２Ｘメッセージの送信要求を受信するとき、Ｖ２Ｘ通信のためにＥ−ＵＴＲＡＮによってサービスされないモード（Ｎｏｔ  Ｓｅｒｖｅｄ  ｂｙ  Ｅ−ＵＴＲＡＮ  ｆｏｒ  Ｖ２Ｘ  ｃｏｍｍｕｎｉｃａｔｉｏｎ）であると、ＵＥはＰＣ５インターフェースを介したＶ２Ｘ通信のための資源を選択する（Ｓ１１０４）。
【０８６６】
ＵＥはＰＣ５インターフェースを介したＶ２Ｘ通信のための送信を行う（Ｓ１１０５）。
【０８６７】
具体的に、ＵＥは下位層（例えば、ＵＥのＭＡＣ層、ＰＨＹ層）にＶ２Ｘメッセージを送信することによって、ＰＣ５インターフェースを介してＶ２Ｘメッセージを送信することができる。前記実施例４に関して、Ｓ１１０５の段階に対して、下記図を参照してより具体的に見る。
【０８６８】
図１２は、本発明の一実施例に係るＶ２Ｘ通信の実行方法を例示する。
【０８６９】
図１２を参照すると、ＵＥ（例えば、ＲＲＣ層）は、Ｖ２Ｘサービス識別子と関連した送信パラメータを設定する（Ｓ１２０１）。
【０８７０】
ここで、送信パラメータは、６４ＱＡＭの変調及びコーディング方式（ＭＣＳ：Ｍｏｄｕｌａｔｉｏｎ  ａｎｄ  Ｃｏｄｉｎｇ  Ｓｃｈｅｍｅ）レベルの適用可否を指示するパラメータを含むことができる。
【０８７１】
ＵＥはＳ１１０１で設定された設定に基づき、上位層から受信されたＶ２Ｘサービス識別子と関連した送信パラメータを決定する（Ｓ１２０２）。また、決定された送信パラメータをＶ２Ｘメッセージと共に下位層（例えば、ＵＥのＭＡＣ層及び／又はＰＨＹ層）に伝達することができる。
【０８７２】
ＵＥ（例えば、ＭＡＣ層）は、上位層（例えば、ＲＲＣ層）から受信した送信パラメータに基づいてＭＣＳを決定する（Ｓ１２０３）。
【０８７３】
ＵＥ（例えば、ＭＡＣ層及び／又はＰＨＹ層）は、決定されたＭＣＳに基づいてＶ２Ｘメッセージを他のＵＥに送信する（Ｓ１２０４）。
【０８７４】
特に、ＰＨＹ層は、サイドリンク（即ち、ＰＣ５インターフェース）を介して上位層から伝達されたＶ２Ｘメッセージを送信し、このとき、Ｖ２Ｘメッセージは、ＰＳＳＣＨ上で送信されることができる。また、ＵＥはＰＳＳＣＨスケジューリングの情報を受信ＵＥに知らせるために、物理サイドリンク制御チャネル（ＰＳＣＣＨ：Ｐｈｙｓｉｃａｌ  Ｓｉｄｅｌｉｎｋ  Ｃｏｎｔｒｏｌ  Ｃｈａｎｎｅｌ）でＳＣＩを送信することができる。
【０８７５】
また、前記説明したように、送信ＵＥは、受信ＵＥが受信したＶ２Ｘメッセージを成功的にデコーディングできるように、ＳＣＩ（サイドリンク制御情報）にＭＣＳレベルの情報を含ませて送信することができる。
【０８７６】
本発明が適用され得る装置一般
【０８７７】
図１３は、本発明の一実施例に係る通信装置のブロック構成図を例示する。
【０８７８】
図１３を参照すると、無線通信システムは、ネットワークノード１３１０と、多数の端末（ＵＥ）１３２０を含む。
【０８７９】
ネットワークノード１３１０は、プロセッサ（ｐｒｏｃｅｓｓｏｒ）１３１１、メモリ（ｍｅｍｏｒｙ）１３１２、および送受信機（ｔｒａｎｓｃｅｉｖｅｒ）１３１３を含む。プロセッサ１３１１は、前記図１乃至図１２で提案された機能、過程及び／又は方法を具現する。有／無線インターフェースプロトコルの層は、プロセッサ１３１１によって具現できる。
【０８８０】
メモリ１３１２は、プロセッサ１３１１と連結されて、プロセッサ１３１１を駆動するための様々な情報を格納する。送受信機１３１３はプロセッサ１３１１と連結され、有／無線信号を送信及び／又は受信する。ネットワークノード１３１０の一例として、基地局、ＭＭＥ、ＨＳＳ、ＳＧＷ、ＰＧＷ、ＳＣＥＦ、ＳＣＳ／ＡＳ等がこれに該当し得る。特に、ネットワークノード１３１０が基地局である場合、送受信機１３１３は、無線信号を送／受信するためのＲＦ部（ｒａｄｉｏ  ｆｒｅｑｕｅｎｃｙ  ｕｎｉｔ）を含むことができる。
【０８８１】
端末１３２０は、プロセッサ１３２１、メモリ１３２２及び送受信機（またはＲＦ部）１３２３を含む。プロセッサ１３２１は、前記図１乃至図１２で提案された機能、過程及び／又は方法を具現する。無線インターフェースプロトコルの層は、プロセッサ１３２１によって具現できる。特に、プロセッサはＮＡＳ層及びＡＳ層を含むことができる。メモリ１３２２は、プロセッサ１３２１と連結され、プロセッサ１３２１を駆動するための様々な情報を格納する。送受信機１３２３はプロセッサ１３２１と連結されて、無線信号を送信及び／又は受信する。
【０８８２】
メモリ１３１２、１３２２は、プロセッサ１３１１、１３２１の内部または外部にあってもよく、よく知られている様々な手段でプロセッサ１３１１、１３２１と連結されてもよい。また、ネットワークノード１３１０（基地局である場合）及び／又は端末１３２０は、一つのアンテナ（ｓｉｎｇｌｅ  ａｎｔｅｎｎａ）または多重アンテナ（ｍｕｌｔｉｐｌｅ  ａｎｔｅｎｎａ）を有し得る。
【０８８３】
図１４は、本発明の一実施例に係る通信装置のブロック構成図を例示する。
【０８８４】
特に、図１４では、前記図１３の端末をより詳細に例示する図である。
【０８８５】
図１４を参照すると、端末は、プロセッサ（またはデジタル信号プロセッサ（ＤＳＰ：ｄｉｇｉｔａｌ  ｓｉｇｎａｌ  ｐｒｏｃｅｓｓｏｒ）１４１０、ＲＦモジュール（ＲＦ  ｍｏｄｕｌｅ）（またはＲＦユニット）１４３５、パワー管理モジュール（ｐｏｗｅｒ  ｍａｎａｇｅｍｅｎｔ  ｍｏｄｕｌｅ）１４０５、アンテナ（ａｎｔｅｎｎａ）１４４０、バッテリー（ｂａｔｔｅｒｙ）１４５５、ディスプレイ（ｄｉｓｐｌａｙ）１４１５、キーパッド（ｋｅｙｐａｄ）１４２０、メモリ（ｍｅｍｏｒｙ）１４３０、ＳＩＭカード（ＳＩＭ（Ｓｕｂｓｃｒｉｂｅｒ  Ｉｄｅｎｔｉｆｉｃａｔｉｏｎ  Ｍｏｄｕｌｅ）ｃａｒｄ）１４２５（この構成は選択的である）、スピーカー（ｓｐｅａｋｅｒ）1445、及びマイクロフォン（ｍｉｃｒｏｐｈｏｎｅ）１４５０を含んで構成され得る。端末はまた、単一のアンテナまたは多重のアンテナを含み得る。
【０８８６】
プロセッサ１４１０は、前記図１乃至図１２で提案された機能、過程及び／又は方法を具現する。無線インターフェースプロトコルの層は、プロセッサ１４１０によって具現できる。
【０８８７】
メモリ１４３０は、プロセッサ１４１０と連結され、プロセッサ１４１０の動作と関連した情報を格納する。メモリ１４３０は、プロセッサ１４１０の内部または外部にあってもよく、よく知られている様々な手段でプロセッサ１４１０と連結されてもよい。
【０８８８】
ユーザーは、例えば、キーパッド１４２０のボタンを押すか（あるいはタッチするか）、またはマイクロフォン１４５０を用いた音声駆動（ｖｏｉｃｅ  ａｃｔｉｖａｔｉｏｎ）によって電話番号などのような命令情報を入力する。プロセッサ１４１０は、このような命令情報を受信し、電話番号に電話をかけるなど、適切な機能を行うように処理する。駆動上のデータ（ｏｐｅｒａｔｉｏｎａｌ  ｄａｔａ）は、ＳＩＭカード１４２５またはメモリ１４３０から抽出することができる。また、プロセッサ１４１０は、ユーザーが認知し、また便宜のために、命令情報または駆動情報をディスプレイ１４１５上にディスプレイすることができる。
【０８８９】
ＲＦモジュール１４３５は、プロセッサ１４１０に連結されて、ＲＦ信号を送信及び／又は受信する。プロセッサ１４１０は、通信を開始するために、例えば、音声通信データを構成する無線信号を送信するように命令情報をＲＦモジュール１４３５に伝達する。ＲＦモジュール１４３５は、無線信号を受信および送信するために受信機（ｒｅｃｅｉｖｅｒ）と送信機（ｔｒａｎｓｍｉｔｔｅｒ）で構成される。アンテナ１４４０は、無線信号を送信および受信する機能をする。無線信号を受信するとき、ＲＦモジュール１４３５は、プロセッサ１４１０によって処理するために信号を伝達して、基底帯域に信号を変換し得る。処理された信号は、スピーカー１４４５を介して出力される可聴または可読情報に変換され得る。
【０８９０】
以上で説明された実施例は、本発明の構成要素と特徴が所定の形態で結合されたものである。各構成要素または特徴は、別の明示的な言及がない限り、選択的なものと考慮されなければならない。各構成要素または特徴は、他の構成要素や特徴と結合されない形態で実施され得る。また、一部の構成要素及び／又は特徴を結合して本発明の実施例を構成することも可能である。本発明の実施例で説明される動作の順序は変更され得る。ある実施例の一部構成や特徴は、他の実施例に含まれてもよく、または他の実施例の対応する構成または特徴と交換してもよい。特許請求範囲で明示的な引用関係のない請求項を結合して実施例を構成したり、出願後の補正により新たな請求項に含ませることができることは自明である。
【０８９１】
本発明に係る実施例は、様々な手段、例えば、ハードウェア、ファームウェア（ｆｉｒｍｗａｒｅ）、ソフトウェアまたはそれらの結合などにより具現され得る。ハードウェアによる具現の場合、本発明の一実施例は、一つまたはそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどにより具現され得る。
【０８９２】
ファームウェアやソフトウェアによる具現の場合、本発明の一実施例は、以上で説明された機能または動作を行うモジュール、手続、関数などの形態で具現され得る。ソフトウェアのコードは、メモリに格納され、プロセッサによって駆動され得る。前記メモリは、前記プロセッサの内部または外部に位置し、既に公知となった多様な手段により、前記プロセッサとデータをやり取りすることができる。
【０８９３】
本発明は、本発明の必須的特徴を外れない範囲で他の特定の形態で具体化されることができることは当業者にとって自明である。したがって、前述した詳細な説明は、あらゆる面で制限的に解釈されてはならず、例示的なものと考慮されるべきである。本発明の範囲は、添付された請求項の合理的解釈によって決定されるべきであり、本発明の等価的範囲内での全ての変更は、本発明の範囲に含まれる。
【産業上の利用可能性】
【０８９４】
本発明は、３ＧＰＰ  ＬＴＥ／ＬＴＥ−Ａシステムに適用される例を中心に説明したが、３ＧＰＰ  ＬＴＥ／ＬＴＥ−Ａシステム以外にも、様々な無線通信システム、特に５Ｇ（５  ｇｅｎｅｒａｔｉｏｎ）システムに適用することが可能である。
【図１】
0006949205.tif 000004
【図２】
0006949205.tif 000005
【図３】
0006949205.tif 000006
【図４】
0006949205.tif 000007
【図５】
0006949205.tif 000008
【図６】
0006949205.tif 000009
【図７】
0006949205.tif 000010
【図８】
0006949205.tif 000011
【図９】
0006949205.tif 000012
【図１０】
0006949205.tif 000013
【図１１】
0006949205.tif 000014
【図１２】
0006949205.tif 000015
【図１３】
0006949205.tif 000016
【図１４】
0006949205.tif 000017